(57)【要約】【課題】太陽の初めに存在した中性子星が作った軌道引力により、元素は集まり惑星ができた。しかし、軌道引力が小さい木星の軌道と土星の軌道で、地球の質量の317.83倍の木星や、95.16倍の土星ができた。木星や土星は、第1世代の星の惑星であったと考えられる。水星より近い軌道には惑星ができなかったのはその軌道に、元素は存在しなかったと推察できる。ビッグバンの以前の球体はどのようであったか。【解決手段】第1世代のブラックホールが作る軌道引力を算出する。、中性子星が作った軌道引力がどれ位で何の惑星を作ったかを知る。それによって、ブラックホールが作った軌道引力も第1世代の惑星を作ったことを確かめる。ブラックホールが作った、高速の軌道にはなにもできなかった。光速の場には何も存在しなかった。ビッグバンの以前、電子のラブと陽子のラブはどのように自転して何を作っていたかを理解する。【選択図】  図3
2009201352.tif 000002
【特許請求の範囲】
【請求項１】
宇宙の軌道エネルギーとは何か。
宇宙の軌道エネルギーとは中央の軌道エネルギーが作る軌道に於けるエネルギーです。
その一般式は、
中央のエネルギー×2×105Km÷軌道＝中央の物体の表面の原子数×出発する光子1個のエネルギー×105Km÷距離、です。
2×105は“見かけ上の(軌道エネルギー)に換算する定数”です。
【請求項２】
太陽が作る惑星の軌道エネルギーの式はどのような事を意味するのか。
(私は、2008年1月4日に提出した、特願2008−23309の「請求項6」で、
惑星の軌道エネルギー＝太陽から出発した1個の光子が届くエネルギー×太陽から出発する光子の数＝10−31J×105Km÷距離×1.325×1037個＝10−26Ｊ・Km÷距離×1.325×1037個＝1.325×1011J・Km÷距離
惑星の軌道エネルギーの式＝1.325×1011J・Km÷距離、とした。)
この意味する事は次のようです。
中央のエネルギー＝太陽の表面の原子数×1原子が作る1個の光子のエネルギー
軌道のエネルギー＝中央のエネルギー×2×105Km÷軌道＝太陽の表面の原子数×1原子が作る1個の光子のエネルギー×2×105Km÷軌道＝1.325×1037個×10−31J×105Km÷距離＝1.325×1011J・Km÷距離
【請求項３】
銀河系の中央のブラックホールの質量が太陽質量の10n倍である場合、ブラックホールが作る星の軌道エネルギーの式はどのような事を意味するのか。
(私は、2008年1月4日に提出した、特願2008−23309の「請求項17」で、
ブラックホールの表面に存在する原子数は、5.438×1038×102ｎ/3個です。
・届く1個の光子のエネルギーはいくらか。
ブラックホールから出発する1個の光子のエネルギーは、10−25Ｊですから、届く1個の光子のエネルギーは、
10−25Ｊ×2×105Ｋｍ÷（距離×2）＝10−20ＪＫｍ÷距離です。
届く1個の光子のエネルギーは、10−20ＪＫｍ÷距離です。
・星の軌道エネルギーの式はいくらか。
星の軌道エネルギー＝光子の数×届く1個の光子のエネルギー＝ブラックホールの表面に存在する原子数×届く1個の光子のエネルギー＝5.471×1038×102ｎ/3個×10−20Ｊ・Ｋｍ÷距離＝5.471×1018＋2ｎ/3Ｊ・Ｋｍ÷距離
星の軌道エネルギーの式は、5.471×1018＋2ｎ/3ＪＫｍ÷距離です。とした。)
この意味する事は次のようです。
中央のエネルギー＝ブラックホールの表面の原子数×1原子が作る1個の光子のエネルギー
軌道のエネルギー＝中央のエネルギー×2×105Km÷軌道＝ブラックホールの表面の原子数×1原子が作る1個の光子のエネルギー×2×105Km÷軌道＝5.471×1038×102n/3個×10ー25Ｊ×2×105Ｋｍ÷（距離×2）＝5.471×1018+2n/3ＪＫｍ÷距離
ブラックホールが作る星の軌道エネルギーの式は、5.471×1018+2n/3ＪＫｍ÷距離、です。
【請求項４】
星ができる時、中性子星の質量が太陽質量の10n倍である場合、中性子星が作る軌道エネルギーの式はどのようであるか。どのような事を意味するのか。
(2008年1月4日に提出した、特願2008−23309の「請求項17」と同じように考える。)
・中性子星の半径に何個の原子が存在するか。
中性子星の原子数は、
10ｎ×6×1026個×1.989×1030Kg＝1.193×10ｎ＋57個です。
半径にｘ個の原子が存在するとする。
4π÷3×ｘ3＝1.193×10ｎ＋57個
ｘ3＝1.193×3÷４π×10ｎ＋57個
ｘ3＝285×10ｎ＋54個
ｘ＝（285×10ｎ＋54個）1/3=6.58×1018×10ｎ/3個
中性子星の半径に、6.58×1018×10ｎ/3個の原子が存在する。
・中性子星の半径はいくらか。
中性子星の半径＝原子1個の大きさ×半径の原子数＝1.058×10−10ｍ÷中性子星のA×6.58×1018×10ｎ/3個＝1.058×10−10ｍ÷(1.968×105)×6.58×1018×10ｎ/3個=5.376×10−16ｍ×6.58×1018×10ｎ/3個＝3.537×103×10ｎ/3ｍ＝3.537×10ｎ/3Km
中性子星の半径は、3.537×10ｎ/3Kmです。
・中性子星の表面に存在する原子数はいくらか。
4π×（6.58×1018×10ｎ/3個）2＝5.438×1038×102ｎ/3個
中性子星の表面に存在する原子数は、5.438×1038×102ｎ/3個です。
・中性子星の表面の1原子が作る1個の光子のエネルギーはいくらか。
中性子星の表面の1原子が作る1個の光子の軌道は、
1.058×10−10ｍ÷中性子星のA＝1.058×10−10ｍ÷(1.968×105)＝5.376×10−16ｍ
中性子星の表面の1原子が作る1個の光子のエネルギーは、
1.233×10−41Jm÷(5.376×10−16ｍ)＝2.294×10−26J
中性子星の表面の1原子が作る1個の光子のエネルギーは、2.294×10−26Jです。
・中性子星が作る軌道エネルギーの式はどのようであるか。どのような事を意味するのか。。
中央のエネルギー＝中性子星の表面の原子数×1原子が作る1個の光子のエネルギー
軌道のエネルギー＝中央のエネルギー×2×105Km÷軌道＝中性子星の表面の原子数×1原子が作る1個の光子のエネルギー×2×105Km÷軌道＝5.438×1038×102ｎ/3個×2.294×10−26J×105Km÷距離＝1.247×1018×102ｎ/3JKｍ÷距離
中性子星が作る軌道エネルギーの式は1.247×1018×102ｎ/3 JKｍ÷距離です。
中性子星が作る軌道エネルギーの式は、中央の中性子星が作る軌道に於けるエネルギーです。  
【請求項５】
地球が作る月の軌道エネルギーの式はどのようであるか。どのような事を意味するのか。
(私は、2008年1月4日に提出した、特願2008−23309の「請求項18」で、
地球の表面の原子数は、
4π×（9.111×1016)2＝4×3.14×（9.111×1016個）2＝1.043×1035個です。
この原子から光子が常に放出している。
地球発の光子は青色とする。
青色の波長は、4.5×10−7ｍですから、軌道は、4.5×10−7ｍ÷2＝2.25×10−7ｍです。
エネルギーは、10−41Jm÷（2.25×10−7ｍ）＝4.444×10−35Jです。
届く光子のエネルギーは、4.444×10−35J×105Km÷距離＝4.444×10−30J・Kｍ÷距離です。
月の軌道エネルギーの式は、
月の軌道エネルギー＝光子の数×届く1個の光子のエネルギー＝地球の表面の原子数×届く1個の光子のエネルギー＝1.043×1035個×4.444×10−30J・Km÷距離＝4.635×105J・Km÷距離です。
月の軌道エネルギーの式は4.635×105J・Km÷距離です。とした。)
この意味する事は次のようです。
中央のエネルギー＝地球の表面の原子数×1原子が作る1個の光子のエネルギー
軌道のエネルギー＝中央のエネルギー×2×105Km÷軌道＝地球の表面の原子数×1原子が作る1個の光子のエネルギー×2×105Km÷軌道＝1.043×1035個×4.444×10−35J ×2×105Ｋｍ÷（距離×2）＝4.635×105J・Km÷距離
【請求項６】
惑星の表面の原子数が7.602×1033個である場合、太陽から惑星に届く軌道エネルギーと惑星の軌道エネルギーは等しい。
7.602×1033個÷惑星の表面の原子数(特願2008−268538、「宇宙11」の「請求項11」で求めた、惑星の表面の原子数の値)
水星。
7.602×1033個÷(1.699×1034個)＝4.473×10−1
金星。
7.602×1033個÷(9.900×1034個)＝7.679×10−2
地球。
7.602×1033個÷(1.138×1035個)＝6.680×10−2
火星。
7.602×1033個÷(2.574×1034個)＝2.953×10−1
木星。
7.602×1033個÷(5.541×1036個)＝1.372×10−3
土星。
7.602×1033個÷(2.539×1036個)＝2.993×10−3
天王星。
7.602×1033個÷(6.909×1035個)＝1.100×10−2
海王星。
7.602×1033個÷(6.101×1035個)＝1.246×10−2
・地球の値、7.602×1033個÷(1.138×1035個)＝6.680×10−2、を1とすると、惑星の値はいくらか。
水星：金星：地球：火星：木星：土星：天王星：海王星＝4.473×10−1：7.679×10−2：6.680×10−2：2.953×10−1：1.372×10−3：2.993×10−3：1.100×10−2：1.246×10−2＝6.7：1.15：1：4.4：0.02：0.045：0.165：0.19
水星、金星、地球、火星は固体です。
木星、土星はガス体です。
天王星、海王星は水の氷です。
表に示す。
7.6×1033個÷惑星の表面の原子数
表17
2009201352.tif 000019
この事によって理解できる事。
1.惑星は、表面の原子数が同数になるようにできた。
2.太陽が作る軌道エネルギーと同じ軌道エネルギーを持つ惑星ができた。
3.惑星は惑星が存在する軌道エネルギーにより作られた。
4.軌道エネルギー＝速度2ですから、惑星は速度2によりできた。
5.惑星は、速度2になるようにできた。
6.小惑星は、惑星ができた時には、もうすでに、出来上がっていたので、そのままです。
【請求項７】
我々は、太陽から光子を受けている。この光子のエネルギーを計算する式はどのようであるか。惑星にたどり着く電気の光子1個のエネルギー＝太陽を出発する電気の光子1個のエネルギー×見かけ上に換算する定数÷距離、の式を再考する。
太陽の表面1kmでは、温度は4.3×103K＝4.3×103℃です。
太陽の表面のA=(4.3×103℃)1/2=6.55×10
電子のラブの公転軌道は、1.058×10−10ｍ÷(6.557×10)＝1.614×10−12ｍ、です。
この電子のラブが1公転で作る電気の光子1個のエネルギーは、1.233×10−41Jm÷(1.614×10−12ｍ)＝7.639×10−30J
太陽の表面１Kmでできる電気の光子1個のエネルギーは、7.639×10−30Jです。
このエネルギーを太陽を出発するエネルギーとする。
・惑星にたどり着く電気の光子のエネルギーを計算する式はどのようであるか。
惑星にたどり着く電気の光子1個のエネルギー＝太陽を出発する電気の光子1個のエネルギー×見かけ上に換算する定数÷距離＝7.639×10−30J×見かけ上に換算する定数÷距離
１．太陽から届く光子を輻射量とする場合。
輻射熱1/2＝1.743×10−23JKm÷距離(この式は、2008年10月17日に提出した、特願2008−268538．「宇宙11」の「請求項16」に記した。)
輻射熱1/2＝1.743×10−23JKm÷距離＝7.639×10−30J×見かけ上に換算する定数÷距離。
見かけ上に換算する定数＝1.743×10−23JKm÷(7.639×10−30J)＝2.282×106Km
よって、受ける光子を輻射量1/2とする場合、見かけ上に換算する定数は、2.282×106Kmです。
惑星にたどり着く輻射量1/2＝太陽を出発する電気の光子のエネルギー×見かけ上に換算する定数÷距離＝7.639×10−30J×2.282×106Km÷距離＝1.743×10−23JKm÷距離
２．太陽から届く光子を可視光とする場合。
地球において、届く光子を6.68×10−35Jの可視光とする場合。
地球において、
届く光子1個のエネルギー＝7.639×10−30J×見かけ上に換算する定数÷距離
6.68×10−35J＝7.639×10−30J×見かけ上に換算する定数÷(1.496×108Km)
見かけ上に換算する定数＝6.68×10−35J÷(7.639×10−30J)×1.496×108Km＝1.308×103Km
よって、地球において、届く光子を6.68×10−35Jの可視光とする場合、見かけ上に換算する定数は、1.308×103Kmです。
惑星にたどり着く光子1個のエネルギー＝太陽を出発する電気の光子1個のエネルギー×見かけ上に換算する定数÷距離＝7.639×10−30J×1.308×103Km÷距離＝10−26JKm÷距離
この事を表に示す。
表18
2009201352.tif 000020
この事によって理解できる事。
1.私は、太陽から出発する電気の光子1個のエネルギーを10−31Jとし、たどり着く電気の光子1個のエネルギーを可視光としているので、“見かけ上に換算する定数”は105Kmです。
10−31J×105÷距離＝10−31J×105Km÷(1.496×108Km)＝6.68×10−35J
この軌道は、1.233×10−41Jm÷(6.68×10−35J)＝1.846×10−7ｍ。
この波長は、1.846×10−7ｍ×2＝3.692×10−7ｍ。可視光は3.3×10−7ｍから、7.7×10−7ｍですから、大きいエネルギーが届いているとした。
2.太陽を出発する電気の光子1個のエネルギーを7.639×10−30J とし、たどり着く電気の光子のエネルギーを輻射熱とすると、“見かけ上に換算する定数”は2.282×106Kmです。
3. 太陽を出発する電気の光子1個のエネルギーを7.639×10−30J とし、地球にたどり着く電気の光子1個のエネルギーを6.68×10−35Jとすると、“見かけ上に換算する定数”は1.308×103Kmです。
4.よって、太陽から出発する光子のエネルギーや、たどり着く光子の種類やエネルギーにより、“見かけ上に換算する定数”は異なる。
5.このように、届く光子1個のエネルギーは、出発する光子1個のエネルギー×見かけ上に換算する定数÷距離、の式で計算できる。
【請求項８】
遠くの星や銀河やクエーサーからやってくる光子が可視光として届くのはどうしてか。
遠くの星や銀河やクエーサーの光子ほど高エネルギーの場に存在するので、高エネルギーです。高エネルギーで出発するから、たくさんの距離を走っても、可視光で届く。
それで、光子は走っているうちにエネルギーを減少させる、ということが公理になる。
光子はどれくらい走ってどれ位エネルギーを減少させるのかについては、太陽の場合を考えると、
出発する光子1個のエネルギー×“見かけ上に換算する定数”÷走る距離＝届く光子1個のエネルギー、の式が成立する。
【請求項９】
太陽から受ける輻射量が、惑星の表面の1原子が1公転で作る電気の光子のエネルギーになるとする。太陽から受ける輻射量から計算した、惑星の表面の1原子が1公転で作る電気の光子のエネルギーの計算式と、惑星の表面の1原子が1秒間に作る電気の光子のエネルギーの計算式はどのようであるか。
太陽から受ける輻射量から計算した、惑星の表面の1原子が1公転で作る電気の光子のエネルギー＝1.233×10−41Jm÷(1.058×10−10ｍ÷輻射量1/2)=1.165×10−31×輻射量1/2
太陽から受ける輻射量から計算した、惑星の表面の1原子が1秒間に作る電気の光子のエネルギー＝1原子が1公転で作る電気の光子のエネルギー×1秒間の公転数＝1.165×10−31×輻射量1/2×(7.96×107)
2回＝1.165×10−31×輻射量1/2×6.336×1015回＝7.381×10−16J×輻射量1/2
【請求項１０】
惑星の表面の原子数が7.602×1033個である場合、惑星の軌道エネルギーと太陽から惑星に届く軌道エネルギーは等しい。この事を証明する。
この事を証明するには、惑星の軌道エネルギー＝太陽から惑星に届く軌道エネルギー、とし、輻射量1/2を求める式を作り、求めた輻射量がデーターと同じであるなら、惑星の軌道エネルギー＝太陽から惑星に届く軌道エネルギー、の式は成立する。
・輻射量1/2はどのような式で求められるか。
(私は、この事について、2008年10月17日に提出した、特願2008−268538の「請求項20」に記した。)
惑星の軌道のエネルギー＝太陽から受ける輻射熱から計算した1原子が1公転で作る電気の光子のエネルギー×惑星の表面の原子数＝1.233×10−41Jm÷｛1.058×10−10m÷輻射量1/2)×7.602×1033個＝8.859×102×輻射量1/2
太陽が作る惑星の軌道エネルギー=惑星の軌道のエネルギー
1.325×1011J・Km÷距離＝8.859×102×輻射量1/2
輻射量1/2＝1.325×1011J・Km÷距離÷(8.859×102)
輻射量1/2は、
輻射量1/2＝1.325×1011J・Km÷距離÷(8.859×102)＝1.496×108J・Km÷距離、の式で求められる。
輻射量1/2＝1.496×108J・Km÷距離
この式により、輻射量を算出する。
水星。
輻射量1/2＝1.496×108J・Km÷距離＝1.496×108J・Km÷(0.579×108Km)＝2.584
輻射量＝2.5842=6.677
金星。
輻射量1/2＝1.496×108J・Km÷距離＝1.496×108J・Km÷(1.082×108Km)＝1.383
輻射量＝1.3832=1.912
地球。
輻射量1/2＝1.496×108J・Km÷距離＝1.496×108J・Km÷(1.496×108Km)＝1
輻射量＝1
火星。
輻射量1/2＝1.496×108J・Km÷距離＝1.496×108J・Km÷(2.279×108Km)＝0.656
輻射量＝0.6562=0.431
木星。
輻射量1/2＝1.496×108J・Km÷距離＝1.496×108J・Km÷(7.783×108Km)＝0.192
輻射量＝0.1922=0.369
土星。
輻射量1/2＝1.496×108J・Km÷距離＝1.496×108J・Km÷(14.294×108Km)＝0.105
輻射量＝0.1052=0.011
天王星。
輻射量1/2＝1.496×108J・Km÷距離＝1.496×108J・Km÷(28.750×108Km)＝0.052
輻射量＝0.0522=0.0027
海王星。
輻射量1/2＝1.496×108J・Km÷距離＝1.496×108J・Km÷(45.044×108Km)＝0.0332
輻射量＝0.03322=0.0011
これによって理解できる事。
輻射量1/2＝1.496×108J・Km÷距離、の式により求めた輻射量はデーターの値と等しい。
この事は、惑星の表面の原子数が7.602×1033個である場合、惑星の軌道エネルギーと太陽から惑星に届く軌道エネルギーは等しい事を証明する。
【請求項１１】
惑星の表面の原子数を、7.602×1033個とすると、輻射量が作る惑星のエネルギーはいくらか。届く光子1個のエネルギー＝出発する光子1個のエネルギー×105Km÷距離が成立する事の再考察。
(私は、この事について、2008年10月17日に提出した、特願2008−268538の「請求項15」に記した。)  今回は、惑星の表面の原子数を、7.602×1033個とする。
表面の原子でできる軌道エネルギー
＝表面の原子数×1個の原子が1公転で作る電気の光子1個のエネルギー
＝7.602×1033個×｛1.233×10−41J・m÷(1.058×10−10ｍ÷輻射量1/2)｝
=8.859×102×輻射量1/2
水星。
水星の表面の原子でできる軌道エネルギー＝8.859×102×輻射量1/2＝8.859×102×6.671/2＝8.859×102×2.583＝2.288×103
金星。
金星の表面の原子でできる軌道エネルギー＝8.859×102×輻射量1/2＝8.859×102×1.911/2＝8.859×102×1.382＝1.224×103
地球。
地球の表面の原子でできる軌道エネルギー＝8.859×102×輻射量1/2＝8.859×102×1＝8.859×102
火星。
火星の表面の原子でできる軌道エネルギー＝8.859×102×輻射量1/2＝8.859×102×0.431/2＝8.859×102×0.656＝5.809×102
木星。
木星の表面の原子でできる軌道エネルギー＝8.859×102×輻射量1/2＝8.859×102×0.0371/2＝8.859×102×0.192＝1.704×102
土星。
土星の表面の原子でできる軌道エネルギー＝8.859×102×輻射量1/2＝8.859×102×0.0111/2＝8.859×102×0.105＝9.291×10
天王星。
天王星の表面の原子でできる軌道エネルギー＝8.859×102×輻射量1/2＝8.859×102×0.00271/2＝8.859×102×0.05196＝4.603×10
海王星。
海王星の表面の原子でできる軌道エネルギー＝8.859×102×輻射量1/2＝8.859×102×0.00111/2＝8.859×102×0.033＝2.938×10
この事を表に示す。
表19
2009201352.tif 000021
この事によって理解できる事。
1.惑星の表面の原子数を、7.602×1033個とすると、輻射量から計算する、惑星の表面でできる軌道エネルギー＝8.859×102×輻射量1/2＝太陽の表面の原子数(1.325×1037個)×太陽から出発する光子1個のエネルギー(10−31J)×105Km÷距離＝1.325×1011J・Km÷距離＝太陽から受ける軌道のエネルギー＝軌道エネルギー＝公転速度2、の式が成立する。
2.輻射量から計算する軌道エネルギーと、従来考えてきた、届く光子1個のエネルギー＝出発する光子1個のエネルギー×105Km÷距離、の式で計算する軌道エネルギーは等しい値になるので、従来考えてきた式は正しい。
【請求項１２】
太陽から出発する１個の光子のエネルギーを10−31Jとすると、届くエネルギーは、10−31J×105Km÷距離、です。このエネルギーと輻射量の関係はどのようであるか。
・太陽から届く光子1個のエネルギーはいくらか。
太陽から届く光子1個のエネルギー＝10−31J×105Km÷距離＝10−26ＪＫm÷距離
水星。10−26ＪＫm÷（0.579×108Ｋm）=1.727×10−34Ｊ
金星。10−26ＪＫm÷（1.082×108Ｋm）=9.728×10−35Ｊ
地球。10−26ＪＫm÷（1.496×108Ｋm）=6.684×10−35Ｊ
火星。10−26ＪＫm÷（2.279×108Ｋm）=4.388×10−35Ｊ
木星。10−26ＪＫm÷（7.783×108Ｋm）=1.285×10−35Ｊ
土星。10−26ＪＫm÷（14.294×108Ｋm）=6.996×10−36Ｊ
天王星。10−26ＪＫm÷（28.750×108Ｋm）=3.478×10−36Ｊ
海王星。10−26ＪＫm÷（45.044×108Ｋm）=2.220×10−36Ｊ
・輻射量でできる電気の光子のエネルギーはいくらか。
輻射量でできる電気の光子のエネルギー＝1.233×10−41J・m÷(1.058×10−10ｍ÷輻射量1/2)＝1.165×10−31J×輻射量1/2
水星。1.165×10−31J×輻射量1/2＝1.165×10−31J×6.671/2＝1.165×10−31J×2.583＝3.009×10−31J
金星。1.165×10−31J×輻射量1/2＝1.165×10−31J×1.911/2＝1.165×10−31J×1.382＝1.610×10−31J
地球。1.165×10−31J×輻射量1/2＝1.165×10−31J×11/2＝1.165×10−31J
火星。1.165×10−31J×輻射量1/2＝1.165×10−31J×0.431/2＝1.165×10−31J×0.656＝7.639×10−32J
木星。1.165×10−31J×輻射量1/2＝1.165×10−31J×0.0371/2＝1.165×10−31J×0.192＝2.241×10−32J
土星。1.165×10−31J×輻射量1/2＝1.165×10−31J×0.011/2＝1.165×10−31J×0.1049＝1.222×10−32J
天王星。1.165×10−31J×輻射量1/2＝1.165×10−31J×0.00271/2＝1.165×10−31J×0.05196＝6.054×10−33J
海王星。1.165×10−31J×輻射量1/2＝1.165×10−31J×0.00111/2＝1.165×10−31J×0.03317＝3.864×10−33J
・輻射量でできる光子のエネルギーは、太陽から届く光子1個のエネルギーの何倍か。
水星。3.009×10−31J÷(1.727×10−34Ｊ)＝1.742×103倍
金星。1.610×10−31J÷(9.728×10−35Ｊ)＝1.655×103倍
地球。1.165×10−31J÷(6.684×10−35Ｊ)＝1.743×103倍
火星。7.639×10−32J÷(4.388×10−35Ｊ)＝1.741×103倍
木星。2.241×10−32J÷(1.285×10−35Ｊ)＝1.744×103倍
土星。1.222×10−32J÷(6.996×10−36Ｊ)＝1.747×103倍
天王星。6.054×10−33J÷(3.478×10−36Ｊ)＝1.741×103倍
海王星。3.864×10−33J÷(2.220×10−36Ｊ)＝1.741×103倍
この事によって理解できる事。
太陽から届く光子1個のエネギーと輻射量の関係は、輻射量でできる光子のエネルギーは、太陽から届く光子1個のエネルギーの1.741×103倍です。
【請求項１３】
輻射量1/2の電気の光子は何個の電気の光子であるか。
輻射熱は、波長が2×2.066×10−5ｍの赤外線の光子である。
(この事ついて、私は、2007年2月18日に提出した、特願2007−67506、「引力と熱」の「請求項7」に記した。)
熱になる赤外線１個のエネルギーは、
1.233×10−41Jm÷(2.064×10−5ｍ)＝5.974×10−37J、です。
輻射量1/2の電気の光子の数＝輻射量1/2の電気の光子のエネルギー÷熱となる電気の光子1個のエネルギー＝輻射量1/2のエネルギー÷(5.974×10−37J)
水星。
輻射量1/2の電気の光子の数＝輻射量1/2のエネルギー÷(5.974×10−37J)＝3.009×10−31J÷(5.974×10−37J)＝5.037×105(個)
金星。
輻射量1/2の電気の光子の数＝輻射量1/2のエネルギー÷(5.974×10−37J)＝1.610×10−31J÷(5.974×10−37J)＝2.695×105(個)
地球。
輻射量1/2の電気の光子の数＝輻射量1/2のエネルギー÷(5.974×10−37J)＝1.165×10−31J ÷(5.974×10−37J)＝1.950×105(個)
火星。
輻射量1/2の電気の光子の数＝輻射量1/2のエネルギー÷(5.974×10−37J)＝7.639×10−32J÷(5.974×10−37J)＝1.279×105(個)
木星。
輻射量1/2の電気の光子の数＝輻射量1/2のエネルギー÷(5.974×10−37J)＝2.241×10−32J÷(5.974×10−37J)＝3.751×104(個)
土星。
輻射量1/2の電気の光子の数＝輻射量1/2のエネルギー÷(5.974×10−37J)＝1.222×10−32J ÷(5.974×10−37J)＝2.046×104(個)
天王星。
輻射量1/2の電気の光子の数＝輻射量1/2のエネルギー÷(5.974×10−37J)＝6.054×10−33J ÷(5.974×10−37J)＝1.013×104(個)
海王星。
輻射量1/2の電気の光子の数＝輻射量1/2のエネルギー÷(5.974×10−37J)＝3.864×10−33J  ÷(5.974×10−37J)＝6.468×103(個)
この事から理解できる事。
1.熱になる赤外線は、同じ軌道の赤外線であるから、この赤外線の軌道を2.064×10−5ｍとすると、太陽から離れている惑星ほど、輻射量を作っている電気の光子の数は減少している。
・  惑星の輻射量1/2のエネルギーと、輻射量1/2の電気の光子の数の関係はどのようであるか。
輻射量1/2のエネルギー＝輻射量1/2の電気の光子のエネルギー＝輻射量1/2の磁気の光子のエネルギー
水星。
輻射量1/2のエネルギー：輻射量1/2の電気の光子の数＝3.009×10−31J：5.037×105個＝5.973×10−37J：１個
金星。
輻射量1/2のエネルギー：輻射量1/2の電気の光子の数＝1.610×10−31J：2.695×105個＝5.974×10−37J：1個
地球。
輻射量1/2のエネルギー：輻射量1/2の電気の光子の数＝1.165×10−31J：1.950×105個＝5.974×10−37J：1個
火星。
輻射量1/2のエネルギー：輻射量1/2の電気の光子の数＝7.639×10−32J：1.279×105個＝5.973×10−37J：1個
木星。
輻射量1/2のエネルギー：輻射量1/2の電気の光子の数＝2.241×10−32J：3.751×104個＝5.974×10−37J：1個
土星。
輻射量1/2のエネルギー：輻射量1/2の電気の光子の数＝1.222×10−32J：2.046×104個＝5.973×10−37J：1個
天王星。
輻射量1/2のエネルギー：輻射量1/2の電気の光子の数＝6.054×10−33J：1.013×104個＝5.976×10−37J：1個
海王星。
輻射量1/2のエネルギー：輻射量1/2の電気の光子の数＝3.864×10−33J：6.468×103個＝5.974×10−37J：1個
このことは、赤外線1個の軌道を2.064×10−5ｍとし、エネルギーを5.974×10−37Jとしたからです。
これを表に示す。
表20
2009201352.tif 000022
【請求項１４】
宇宙の速度について。
速度2は、軌道エネルギーです。
１．惑星の(太陽系の)軌道の速度について。
太陽が作る惑星の軌道エネルギーは速度2になる。そして、輻射量でできる惑星のエネルギーも惑星の軌道の速度2になる、ことを示す。
太陽が作る惑星の軌道エネルギー=1.325×1011J・Km÷距離＝惑星のエネルギー＝8.859×102×輻射量1/2＝速度2
２．星(銀河系)の軌道の速度について。ブラックホールが作る軌道の速度。
星の軌道エネルギー＝5.471×1018＋2ｎ/3ＪＫｍ÷距離
公転速度2＝星の軌道エネルギー＝5.471×1018＋2ｎ/3ＪＫｍ÷距離
螺旋回転速度2＝公転速度2×79.7＝5.471×1018＋2ｎ/3ＪＫｍ÷距離×79.7＝4.360×1020＋2ｎ/3ＪＫｍ÷距離
３．中性子星の軌道の速度について。(中性子星が作る軌道エネルギーについては、「請求項4」に記した。)
・中性子星が作る軌道(惑星ができる軌道)の速度はいくらか。
中性子星が作る速度2＝軌道のエネルギー＝1.247×1018＋2ｎ/3ＪＫｍ÷距離
速度＝（1.247×1018＋2ｎ/3ＪＫｍ÷距離）1/2
【請求項１５】
宇宙の引力はどのようであるか。
軌道エネルギーは、電気の光子のエネルギーであり、磁気の光子のエネルギーです。(この事については、2008年10月17日に提出した、特願2008−268538、の「請求項22」に記した。)
引力は磁気の光子のエネルギーによってできる。
引力の軌道エネルギーは磁気の光子の軌道エネルギーです。
太陽と惑星の間の引力は、太陽の軌道エネルギー×惑星の軌道エネルギー÷距離2、です。
引力＝太陽の軌道エネルギー×惑星の軌道エネルギー÷距離2＝太陽の表面の原子数×太陽から出発する電気の光子1個のエネルギー×見かけ上の距離に換算する定数×惑星の表面の原子数×惑星の表面の1原子が1公転で作る電気の光子1個のエネルギー÷距離2＝1.325×1037個×10−31J×105Km×7.602×1033個×1.743×10−23J・Km÷距離2＝1.325×1011J・Km×1.325×1011J・Km÷距離2＝(1.325×1011J・Km)2÷距離2＝1.756×1022JKｍ÷距離2
よって、惑星と太陽間の引力は、1.756×1022JKｍ÷距離2です。
惑星と太陽間の引力は、(1.325×1011J・Km)2÷距離2＝(1.325×1011J・Km÷距離)2＝軌道エネルギー2＝速度4、です。
宇宙の引力は、引力＝軌道エネルギー2＝速度4です。
【請求項１６】
現在、太陽と惑星間の引力はいくらか。
水星と太陽間の引力。
引力＝1.756×1022JKｍ÷距離2＝1.756×1022JKｍ÷(0.579×108Km)2＝1.756×1022JKｍ÷(0.335×1016Km)＝5.242×106J
引力＝速度4＝47.364＝5.031×106
金星と太陽間の引力。
引力＝1.756×1022JKｍ÷距離2＝1.756×1022JKｍ÷(1.082×108Km)2＝1.756×1022JKｍ÷(1.171×1016Km)＝1.500×106J
引力＝速度4＝35.024＝1.504×106
地球と太陽間の引力。
引力＝1.756×1022JKｍ÷距離2＝1.756×1022JKｍ÷(1.496×108Km)2＝1.756×1022JKｍ÷(2.238×1016Km)＝7.846×105J
引力＝速度4＝29.784＝7.865×105
火星と太陽間の引力。
引力＝1.756×1022JKｍ÷距離2＝1.756×1022JKｍ÷(2.279×108Km)2＝1.756×1022JKｍ÷(5.194×1016Km)＝3.381×105J
引力＝速度4＝24.084＝3.362×105
小惑星の軌道と太陽間の引力。
引力＝1.756×1022JKｍ÷距離2＝1.756×1022JKｍ÷(5.909×108Km)2＝1.756×1022JKｍ÷(34.916×1016Km)＝5.029×104J
木星と太陽間の引力。
引力＝1.756×1022JKｍ÷距離2＝1.756×1022JKｍ÷(7.783×108Km)2＝1.756×1022JKｍ÷(60.575×1016Km)＝2.900×104J
引力＝速度4＝13.064＝2.909×104
土星と太陽間の引力。
引力＝1.756×1022JKｍ÷距離2＝1.756×1022JKｍ÷(14.294×108Km)2＝1.756×1022JKｍ÷(204.318×1016Km)＝8.594×103J
引力＝速度4＝9.654＝8.672×103
天王星と太陽間の引力。
引力＝1.756×1022JKｍ÷距離2＝1.756×1022JKｍ÷(28.750×108Km)2＝1.756×1022JKｍ÷(826.563×1016Km)＝2.124×103J
引力＝速度4＝6.814＝2.151×103
海王星と太陽間の引力。
引力＝1.756×1022JKｍ÷距離2＝1.756×1022JKｍ÷(45.044×108Km)2＝1.756×1022JKｍ÷(2028.962×1016Km)＝8.654×102J
引力＝速度4＝5.444＝8.758×102
【請求項１７】
太陽が中性子星であったとき、中性子星の質量を太陽質量の1/5とすると、中性子が作る軌道エネルギー(速度2)と速度と引力(速度4)はいくらであったか。
私は、2008年10月17日に提出した、特願2008−268538の「請求項１」で、
(b.中性子星が作った軌道エネルギーと公転速度はいくらか。
太陽の中心は中性子星でした。この中性子星が太陽系の軌道エネルギーを作った。軌道エネルギーは公転速度を作った。
太陽の質量は1太陽質量ですから、１＝100です。
太陽の中心に存在した中性子星が作った軌道エネルギー＝公転速度2＝5.4×1018×102×0/3J・Km÷半径＝5.4×1018J・Km÷半径
公転速度＝(5.4×1018J・Km÷半径)1/2)と記した。
今回は、「請求項4」に記した式により計算する。
中性子星が作る軌道エネルギーの式は1.247×1018×102ｎ/3 JKｍ÷距離です。
中性子星の質量を太陽質量の1/5とする。
0.2=0.1×2＝10−1×100.3010＝10−1＋0.3010＝10−0.699
中性子星が作る軌道エネルギー＝1.247×1018×102ｎ/3 JKｍ÷距離＝1.247×1018×102×−0.699/3 JKｍ÷距離＝1.247×1018×10−0.466JKｍ÷距離＝1.247×1018×10−1×100.534JKｍ÷距離＝1.247×1017×3.420JKｍ÷距離＝4.265×1017JKｍ÷距離
中性子星の質量を太陽質量の1/5とすると、中性子星が作る軌道エネルギーの式は、4.265×1017JKｍ÷距離、です。
距離×軌道エネルギー＝距離×速度2＝4.265×1017JKｍ、この式は反比例の式です。
速度の式は、(4.265×1017JKｍ÷距離)1/2Kmです。
引力の式は、(4.265×1017JKｍ÷距離)2Jです。
水星ができる軌道の軌道エネルギーと速度と引力。
速度2＝軌道エネルギー＝4.265×1017JKｍ÷距離＝4.265×1017JKｍ÷(0.579×108Km)＝7.366×109J
速度＝(7.366×109)1/2＝8.583×104(Km)
引力＝(7.366×109J)2＝5.426×1019J
金星ができる軌道の軌道エネルギーと速度と引力。
速度2＝軌道エネルギー＝4.265×1017JKｍJKｍ÷距離＝4.265×1017JKｍ÷(1.082×108Km)＝3.942×109J
速度＝(3.942×109)1/2＝6.279×104(Km)
引力＝(3.942×109J)2＝1.554×1019J
地球ができる軌道の軌道エネルギーと速度と引力。
速度2＝軌道エネルギー＝4.265×1017JKｍ÷距離＝4.265×1017JKｍ÷(1.496×108Km)＝2.851×109J
速度＝(2.851×109)1/2＝5.339×104(Km)
引力＝(2.851×109)2＝8.128×1018J
火星ができる軌道の軌道エネルギーと速度と引力。
速度2＝軌道エネルギー＝4.265×1017JKｍ÷距離＝4.265×1017JKｍ÷(2.279×108Km)＝1.871×109J
速度＝(1.871×109)1/2＝4.326×104(Km)
引力＝(1.871×109)2＝3.501×1018(J)
小惑星ができる軌道の軌道エネルギーと速度と引力。
速度2＝軌道エネルギー＝4.265×1017JKｍ÷距離＝4.265×1017JKｍ÷(5.909×108Km)＝7.218×108J
速度＝(7.218×108)1/2=2.687×104Km
引力＝(7.218×108J)2=5.210×1017J
木星ができる軌道の軌道エネルギーと速度。
速度2＝軌道エネルギー＝4.265×1017JKｍ÷距離＝4.265×1017JKｍ÷(7.783×108Km)＝5.480×108J
速度＝(5.480×108)1/2＝2.341×104(Km)
引力＝(5.480×108)2＝3.003×1017(J)
土星ができる軌道の軌道エネルギーと速度と引力。
速度2＝軌道エネルギー＝4.265×1017JKｍ÷距離＝4.265×1017JKｍ÷(14.294×108Km)＝2.984×108J
速度＝(2.984×108)1/2＝1.727×104(Km)
引力＝(2.984×108)2＝8.904×1016(J)
天王星ができる軌道の軌道エネルギーと速度と引力。
速度2＝軌道エネルギー＝4.265×1017JKｍ÷距離＝4.265×1017JKｍ÷(28.750×108Km)＝1.483×108J
速度＝(1.483×108)1/2＝1.218×104(Km)
引力＝(1.483×108)2＝2.199×1016(J)
海王星ができる軌道の軌道エネルギーと速度と引力。
速度2＝軌道エネルギー＝4.265×1017JKｍ÷距離＝4.265×1017JKｍ÷(45.044×108Km)＝9.469×107J
速度＝(9.469×107)1/2＝9.731×103(Km)
引力＝(9.469×107)2＝8.966×1015(J)
この事によって理解できる事。
1.中性子星が作った軌道の速度は、高速であった。
それで、元素は、導線の中を走る電子のラブのように走った。電子のラブは、自転しながら走ったので、磁気の光子ができた。磁気の光子によって元素は引き合い結合した。
2.水星ができた軌道の速度は、光速(3×105Km)より遅い。光速より遅い速度の軌道に、惑星はできた。
3.光速より速い速度の軌道には、何もできなかった。これは、光速より速い速度の軌道には何もないことの証明です。
4.よって、光速より速い速度の軌道の物質は、中心の物質に引き寄せられた事を意味する。
【請求項１８】
惑星ができた軌道と中性子星の間の引力は、現在の惑星と太陽の間の引力の何倍か。
水星。
水星ができた軌道と中性子星の間の引力÷現在の水星と太陽の間の引力＝5.426×1019J÷(5.242×106J)＝1.035×1013倍
金星。
金星ができた軌道と中性子星の間の引力÷現在の金星と太陽の間の引力＝1.554×1019J ÷(1.500×106J)＝1.036×1013倍
地球。
地球ができた軌道と中性子星の間の引力÷現在の地球と太陽の間の引力＝8.128×1018J ÷(7.846×105J)＝1.036×1013倍
火星。
火星ができた軌道と中性子星の間の引力÷現在の火星と太陽の間の引力＝3.501×1018J  ÷(3.381×105J)＝1.035×1013倍
小惑星。
小惑星ができた軌道と中性子星の間の引力÷現在の小惑星と太陽の間の引力＝5.210×1017J÷(5.029×104J)＝1.036×1013倍
木星。
木星ができた軌道と中性子星の間の引力÷現在の火星と太陽の間の引力＝3.003×1017J ÷(2.900×104J)＝1.036×1013倍
土星。
土星ができた軌道と中性子星の間の引力÷現在の土星と太陽の間の引力＝8.904×1016J ÷(8.594×103J )＝1.036×1013倍
天王星。
天王星ができた軌道と中性子星の間の引力÷現在の天王星と太陽の間の引力＝2.199×1016J ÷( 2.124×103J)＝1.035×1013倍
海王星。
海王星ができた軌道と中性子星の間の引力÷現在の海王星と太陽の間の引力＝8.966×1015J ÷( 8.654×102J)＝1.036×1013倍
この事によって理解できる事。
1.惑星ができた軌道と中性子星の間の引力は、現在の惑星と太陽の間の引力の1.035×1013倍です。
2.惑星ができた軌道と中性子星の間の引力が大きいので、軌道に存在していた元素は活発に結合した。
まとめて表に示す。
表21
2009201352.tif 000023
この事により理解できた事。
1.中性子星が作った軌道の引力は、現在の太陽でできた軌道引力の約2.23×1014倍です。
2. 中性子星が作った軌道の引力により、惑星ができた。
3.惑星ができる軌道は、軌道引力が5.426×1019J 以下です。
4.惑星ができる軌道は、軌道引力が8.966×1015J 以上です。
5.地球の質量ができた軌道の中性子星が作った軌道の引力は、8.128×1018Jです。
6.中性子星が作った軌道引力が5.4×1019J、1.5×1019J、8×1018J、3.5×1018Jの軌道で、密度が5.43、5.24、5.52、3.93の、地球型惑星ができた。
7.木星ができた軌道は、中性子星が作った軌道引力が3.003×1017J であるのに、地球の質量の317.83倍もあるのは、木星は以前、第1世代の星の惑星であったと推察できる。
8.土星ができた軌道は、中性子星が作った軌道引力が3.003×1017J であるのに、地球の質量の95.16倍もあるのは、土星は以前、第1世代の星の惑星であったと推察できる。
9.天王星と海王星も第1世代の星の惑星であったかもしれない。
10.中性子星が作った軌道エネルギーのグラフは、距離×軌道エネルギー＝4.265×1017JKｍの反比例のグラフです。
【請求項１９】
第1世代の星の質量を8.246太陽質量とする。ブラックホールの質量を第1世代の星の質量の1/5とする。第1世代の星のブラックホールが作る軌道エネルギー(速度2)、速度、引力はいくらか。
ブラックホールの質量は、8.246太陽質量÷5＝1.6492太陽質量＝100.2172太陽質量、です。
ブラックホールが作る軌道エネルギー＝5.471×1018＋2ｎ/3ＪＫｍ÷距離＝5.471×1018×102×0.217÷3JKｍ÷距離＝5.471×1018×100.1448JKｍ÷距離＝5.471×1018×1.496JKｍ÷距離＝8.185×1018JKｍ÷距離
ブラックホールが作る軌道エネルギー＝速度2＝8.185×1018JKｍ÷距離
距離×ブラックホールが作る軌道エネルギー＝8.185×1018JKｍ(距離とブラックホールが作る軌道エネルギーは反比例する。)
現在水星が存在する軌道。
速度2＝8.185×1018JKｍ÷距離＝8.185×1018JKｍ÷(0.579×108Km)＝1.414×1011J
速度＝(1.414×1011J)1/2=3.760
×105Km
引力＝速度4＝(1.414×1011J)＝1.999×1022J
現在金星が存在する軌道。
速度2＝8.185×1018JKｍ÷距離＝8.185×1018JKｍ÷(1.082×108Km)＝7.565×1010J
速度＝(2.750×105Km)1/2=2.750×105Km
引力＝速度4＝(7.565×1010J)2＝5.723×1021J
現在地球が存在する軌道。
速度2＝8.185×1018JKｍ÷距離＝8.185×1018JKｍ÷(1.496×108Km)＝5.471×1010J
速度＝(5.471×1010J)1/2=2.339×105Km
引力＝速度4＝(5.471×1010J)2＝2.993×1021J
現在火星が存在する軌道。
速度2＝8.185×1018JKｍ÷距離＝8.185×1018JKｍ÷(2.279×108Km)＝3.591×1010J
速度＝(3.591×1010J)1/2=1.895×105Km
引力＝速度4＝(3.591×1010J)2＝1.290×1021J
現在小惑星が存在する軌道。
速度2＝8.185×1018JKｍ÷距離＝8.185×1018JKｍ÷(5.909×108Km)＝1.385×1010J
速度＝(1.385×1010J)1/2=1.177×105Km
引力＝速度4＝(1.385×1010J)2＝1.918×1020J
現在木星が存在する軌道。
速度2＝8.185×1018JKｍ÷距離＝8.185×1018JKｍ÷(7.783×108Km)＝1.052×1010J
速度＝(1.052×1010J)1/2=1.026×105Km
引力＝速度4＝(1.052×1010J)2＝1.107×1020J
現在土星が存在する軌道。
速度2＝8.185×1018JKｍ÷距離＝8.185×1018JKｍ÷(14.294×108Km)＝5.726×109J
速度＝(5.726×109J)1/2=7.567×104Km
引力＝速度4＝(5.726×109J)2＝3.279×1019J
現在天王星が存在する軌道。
速度2＝8.185×1018JKｍ÷距離＝8.185×1018JKｍ÷(28.750×108Km)＝2.847×109J
速度＝(2.847×109J)1/2=5.336×104Km
引力＝速度4＝(2.847×109J)2＝8.105×1018J
現在海王星が存在する軌道。
速度2＝8.185×1018JKｍ÷距離＝8.185×1018JKｍ÷(45.044×108Km)＝1.817×109J
速度＝(1.817×109J)1/2=4.263×104Km
引力＝速度4＝(1.817×109J)2＝3.301×1018J
“水素の小惑星”ができた軌道。
速度2＝8.185×1018JKｍ÷距離＝8.185×1018JKｍ÷(5.909×108Km)＝1.385×1010J
速度＝(1.385×1010J)1/2=1.177×105Km
引力＝速度4＝(1.385×1010J)2＝1.918×1020J
オルトーの雲ができた軌道。
速度2＝8.185×1018JKｍ÷距離＝8.185×1018JKｍ÷(7.795×109Km)＝1.050×109J
速度＝(1.050×109J)1/2=3.240×104Km
引力＝速度4＝(1.050×109J)2＝1.103×1018J
これをまとめて表に示す。
表22
2009201352.tif 000024
この事によって理解できる事。
1. 現在水星が存在する軌道の速度は光速以上でした。
2.中性子星が作った5.426×1019Jの軌道引力の軌道に水星ができた。この軌道引力に相当するブラックホールが作った軌道は、1.107×1020Jで、距離が7.783×108Kmである現在木星が存在する軌道です。
それで、ブラックホールが作った、1.107×1020Jの軌道引力で、距離が7.783×108Kmである現在木星が存在する軌道に、惑星ができたと推察できる。
3. 中性子星が作った1.554×1019Jの軌道引力の軌道に金星ができた。
それで、ブラックホールが作った、3.279×1019J 軌道引力で、距離が14.294×108Kmである現在土星が存在する軌道に、惑星ができたと推察できる。
4.中性子星が作った8.128×1018Jの軌道引力の軌道に地球ができた。
それで、ブラックホールが作った、8.105×1018Jの 軌道引力で、距離が28.750×108Kmである現在天王星が存在する軌道に、惑星ができたと推察できる。
5.中性子星が作った3.501×1018Jの軌道引力の軌道に火星ができた。
それで、ブラックホールが作った、3.301×1018Jの軌道引力で、距離が45.044×108Kmである現在海王星が存在する軌道に、惑星ができたと推察できる。
6.第1世代の星ができた時代は、10−15ｍの時代であるから、ダークマターである自転する電子のラブのエネルギーは、太陽ができた10−14ｍの時代の10倍のエネルギーであり、密度も10倍であった。それで、同じ引力でもダークマターは集まりやすかったので、惑星はできやすかった。
それで、太陽に惑星ができるよりも、第1世代の星に惑星ができる確立は高い。
7.ブラックホールが作る、距離×軌道エネルギー＝距離×速度2は、中性子星が作る、距離×軌道エネルギー＝距離×速度2の、8.185×1018JKｍ÷(4.265×1017JKｍ)＝19.191倍です。
8.ブラックホールが作る軌道エネルギーは、中性子星が作る軌道エネルギーの19.191倍です。
9. ブラックホールが作る速度は、中性子星が作る速度の、｛8.185×1018JKｍ÷(4.265×1017JKｍ)1/2=19.1911/2=4.381 、倍です。
10. ブラックホールが作る引力は、中性子星が作る引力の、｛8.185×1018JKｍ÷(4.265×1017JKｍ)2=19.1912=3.683×102、倍です。
【請求項２０】
第1世代の星の惑星はどのようであったか。オルトーの雲はどのようにできたか。第1世代の星の“水素の小惑星”はどのようにできたか。
１．オルトーの雲はどのようにできたか。
第1世代の星を作ったブラックホールの質量が8.246×太陽質量(第1世代の星の質量)の1/5であったとすると、このブラックホールから噴出するジェットは半径何ｍまで届いたか。
ジェットが届く距離＝太陽の半径×849×A÷太陽の中心のA
中心部が太陽質量のβ倍のクエーサーや銀河のAの値は、
クエーサーや銀河の中心のA＝4.325×104×β1/3＝太陽の中心のA×11.17×β1/3、です。(この事については、2007年8月25日に提出した、特願2007−246139の「請求項22」に記した。)
このブラックホールのAはいくらか。
ブラックホールの質量は、8.246太陽質量÷5＝1.6492太陽質量＝100.2172太陽質量、です。
β＝ブラックホールの質量＝1.6492太陽質量＝100.2172太陽質量
ブラックホールのA=4.325×104×β1/3＝4.325×104×100.2172/3=4.325×104×100.0724=4.325×104×1.181=5.108×104
ブラックホールの質量が1.6492×太陽質量の場合、このブラックホールのAは、5.108×104、です。
それで、このブラックホールから噴出するジェットが届く距離は、
ジェットが届く距離＝太陽の半径×849×ブラックホールのA÷太陽の中心のA
＝6.96×105Km×849×5.108×104÷(3.872×103)＝7.795×109Km。
ブラックホールの質量が第1世代の星の1/5質量で、1.6492太陽質量の場合、ブラックホールから出発したジェットは、7.795×109Kmまで届き、この軌道にオルトーの雲を作った。
このオルトーの雲は、現在、軌道の距離を10倍にし、約7.795×1010Kmの軌道に存在する。
２．第1世代の星の“水素の小惑星”はどのようにできたか。
第1世代の星の“水素の小惑星”は、“核融合反応に点火したジェット”によってできた。
“核融合反応に点火した場”のAは、太陽の中心のA＝核融合反応の場のAに等しい。“核融合反応に点火したジェット”のA＝核融合反応の場のA＝3.872×103
それで、
ジェットが届く距離＝太陽の半径×849×A÷太陽の中心のA＝太陽の半径×849＝6.96×105Km×849＝5.909×108Km。
第1世代の星の“水素の小惑星”は、“核融合反応に点火したジェット”によって、5.909×108Kmの軌道にできた。
【請求項２１】
第1世代の“水素の小惑星”はどのようにできたか。
第1世代の星の“核融合反応に点火したジェット”は、5.909×108Kmの軌道に届き、この軌道に小惑星ができた。
5.909×108Kmの軌道において、ブラックホールが作った軌道エネルギーは1.385×1010Jで、速度は1.177×105Kmで、軌道引力は1.918×1020Jだった。
しかし、“核融合反応に点火したジェット”が起きた時、ブラックホールのエネルギーはだいぶ小さくなっていた。それで、5.909×108Kmの軌道の軌道エネルギーは、1.385×1010Jより小さくなり、速度は1.177×105Kmより遅くなり、軌道引力は、1.918×1020Jより小さくなっていた。
それで、5.909×108Kmの軌道で、ジェットが当たる所に“水素の小惑星”はできた。
【請求項２２】
木星になった惑星(“第1世代の木星”)はどのようにできたか。“第1世代の木星”の質量はいくら位だったか。木星は、どうして地球の質量の317倍にも成るのか。
・木星になった惑星(“第1世代の木星”)はどのようにできたか。
中性子星が作った5.426×1019Jの軌道引力により、水星ができた。
同様に、ブラックホールが作った1.107×1020Jの軌道引力により、惑星ができた。
この惑星が、現在、木星になっている。
この惑星の名前を、“第1世代の木星”と名づける。
・“第1世代の木星”の質量はいくらだったか。
中性子星が作った軌道の引力が8.128×1018Jで、地球の質量の惑星ができた。
それで、ブラックホールが作った1.107×1020Jの軌道の引力は、地球を作った軌道引力の、
1.107×1020J÷(8.128×1018J)＝13.619倍です。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝13.6倍×10＝136倍であった。
“第1世代の木星”の質量は地球の136倍であった。
・木星は、どうして地球の質量の317倍にも成るのか。
“水素の小惑星”の質量は“第1世代の木星”と同じ質量で、136であり、その半分が木星の質量に成ったとする。
木星の質量は、“第1世代の木星”の質量＋“水素の小惑星”の一部の質量＋第1世代の星でできたガスの質量＝136＋68＋113＝317。
【請求項２３】
土星になった惑星(“第1世代の土星”)はどのようにできたか。“第1世代の土星”の質量はどれ位だったか。土星は、どうして地球の質量の95倍に成るのか。
中性子星が作った1.554×1019Jの軌道引力により、金星ができた。
同様に、ブラックホールが作った3.279×1019Jの軌道引力により、惑星ができた。
この惑星が、現在、土星になっている。
この惑星の名前を、“第1世代の土星”と名づける。
・“第1世代の土星”の質量はどれ位だったか。
“第1世代の土星”を作った軌道引力は、中性子星が地球を作った軌道引力の、
3.279×1019J÷(8.128×1018J)＝4.034倍だった。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝4.034倍×10＝40.34倍であった。
“第1世代の土星”の質量は、地球の40倍になる。
・現代の土星は、どうして地球の質量の95倍に成るのか。
“水素の小惑星”の質量は“第1世代の木星”と同じ質量で、136であり、その1/4が土星の質量に成ったとする。
土星の質量は、“第1世代の土星”の質量＋“水素の小惑星”の一部の質量＋第1世代の星でできたガスの質量＝40＋34＋21＝95
【請求項２４】
天王星になった惑星(“第1世代の天王星”)はどのようにできたか。“第1世代の天王星”の質量はどれ位だったか。現代の天王星は、どうして地球の質量の14.54倍に成るのか。
中性子星が作った8.128×1018Jの軌道引力により、地球ができた。
同様に、ブラックホールが作った8.105×1018Jの軌道引力により、惑星ができた。
この惑星が、現在、天王星になっている。
この惑星の名前を、“第1世代の天王星”と名づける。
・“第1世代の天王星”の質量はどれ位だったか。
“第1世代の天王星”を作った軌道引力は、中性子星が地球を作った軌道引力の、
8.105×1018J÷(8.128×1018J)＝0.997倍だった。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝0.997倍×10＝9.77倍であった。
“第1世代の天王星”の質量は、地球の9.77倍であった。
・現代の天王星は、どうして地球の質量の14.54倍に成るのか。
天王星の質量は、“第1世代の天王星”の質量＋第1世代の星でできたガスの質量＝9.77＋4.77＝14.54。
【請求項２５】
海王星になった惑星(“第1世代の海王星”)はどのようにできたか。“第1世代の海王星”の質量はどれ位だったか。現代の海王星は、どうして地球の質量の17.15倍に成るのか。
中性子星が作った3.501×1018Jの軌道引力により、火星ができた。
同様に、ブラックホールが作った3.301×1018Jの軌道引力により、惑星ができた。
この惑星が、現在、海王星になっている。
この惑星の名前を、“第1世代の海王星”と名づける。
・“第1世代の海王星”の質量はどれ位だったか。
“第1世代の海王星”を作った軌道引力は、中性子星が地球を作った軌道引力の、
3.501×1018J÷(8.128×1018J)＝0.431倍だった。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝0.431倍×10＝4.31倍であった。
“第1世代の海王星”の質量は、地球の4.31倍であった。
・現代の海王星は、どうして地球の質量の17.15倍に成るのか。
海王星の質量は、“第1世代の海王星”の質量＋第1世代の星でできたガスの質量＝3.31＋13.84＝17.15。
【請求項２６】
木星の金属水素と土星の金属水素は何時どのようにできたか。“第1世代の天王星”と“第1世代の海王星”の状態はどのようであったか。“水素の惑星”はどのような状態であったか。オルトーの雲はどのような状態であったか。
・木星の金属水素は何時どのようにできたか。
木星の芯になった物は“第1世代の木星”です。その質量は「請求項21」で求めたように、136地球質量です。この“第1世代の木星”を作ったのは、ブラックホールが作った1.107×1020Jの軌道引力です。
中性子が作った5.426×1019Jの軌道引力で水星ができた。固体ができた。
ブラックホールが作った1.107×1020Jの軌道の引力は5.426×1019Jの軌道引力の、
1.107×1020J÷(5.426×1019J)＝2.040倍です。
よって、“第1世代の木星”ができた軌道引力は、水星ができた軌道引力の2倍ですから、固体ができた。
“第1世代の木星”は、金属水素であった。
木星の金属水素は、“第1世代の木星”ができた時、ブラックホールの軌道引力によりできた。
・土星の金属水素は何時どのようにできたか。
土星の芯になった物は“第1世代の土星”です。その質量は「請求項22」で求めたように、40地球質量です。この“第1世代の土星”を作ったのは、ブラックホールが作った3.279×1019J の軌道の引力です。
中性子が作った8.128×1018Jの軌道引力で地球ができた。固体ができた。
ブラックホールが作った3.279×1019Jの軌道の引力は8.128×1018Jの軌道引力の、
3.279×1019J÷(8.128×1018J)＝4.034倍です。
よって、“第1世代の土星”ができた軌道引力は、地球ができた軌道引力の4倍ですから、固体ができた。
“第1世代の土星”は、金属水素であった。
土星の金属水素は、“第1世代の土星”ができた時、ブラックホールの軌道引力によりできた。
・“第1世代の天王星”はどのような水素であったか。
“第1世代の天王星”を作った、ブラックホールの軌道引力は、8.105×1018Jです。
この軌道引力は、地球を作った、中性子星の軌道引力8.128×1018Jとほぼ等しい。
“第1世代の天王星”を作った、ブラックホールの軌道引力8.105×1018Jは固体を作る。
それで、“第1世代の天王星”は、金属水素であった。
・“第1世代の海王星”はどのような水素であったか。
“第1世代の海王星”を作った、ブラックホールの軌道引力は、3.301×1018J です。
この軌道引力は、火星を作った、中性子星の軌道引力3.501×1018J とほぼ等しい。
“第1世代の海王星”を作った、ブラックホールの軌道引力3.301×1018Jは固体を作る。
それで、“第1世代の海王星”は、金属水素であった。
・“水素の惑星”はどのような状態であったか。
“水素の小惑星”を作った、ブラックホールの軌道引力は、1.918×1020Jです。
この軌道引力は、水星を作った中性子星の軌道引力5.426×1019Jの約2倍です。
それで、“水素の小惑星”は固体であった。
“水素の小惑星”は金属水素であった。
・オルトーの雲はどのような状態であったか。
オルトーの雲を作った、ブラックホールの軌道引力は、1.103×1018Jでした。
この軌道引力は、火星を作った、中性子星の軌道引力3.501×1018Jの3倍です。
それで、オルトーの雲は固体であった。
オルトーの雲は金属水素であった。
この事によって理解できる事。
1.“第1世代の木星”と“第1世代の土星”は金属水素であった。
2.“第1世代の天王星”と“第1世代の海王星”は金属水素であった。
3. “水素の小惑星”とオルトーの雲は金属水素であった。
4.“水素の小惑星”は木星と土星の水素となった。
5.木星の質量は、“第1世代の木星”の質量＋“水素の小惑星”の一部の質量＋第1世代の星でできたガスの質量＝136＋68＋113＝317、でできた。
6.土星の質量は、“第1世代の土星”の質量＋“水素の小惑星”の一部の質量＋第1世代の星でできたガスの質量＝40＋34＋21＝95、でできた。
7.天王星質量は、“第1世代の天王星”の質量＋第1世代の星でできたガスの質量＝9.77＋4.77＝14.54、でできた。
8.海王星の質量は、“第1世代の海王星”の質量＋第1世代の星でできたガスの質量＝3.31＋13.84＝17.15、でできた。
この事を表にしめす。
表23
2009201352.tif 000025
【請求項２７】
もし、第1世代の、現在金星が存在する軌道に、惑星ができたとするなら、その惑星の質量はいくら位に成るか。もし、第1世代の、現在地球が存在する軌道に、惑星ができたとするなら、その惑星の質量はいくら位に成るか。もし、第1世代の、現在火星が存在する軌道に、惑星ができたとするなら、その惑星の質量はいくら位に成るか。
・もし、第1世代の、現在金星が存在する軌道に、惑星ができたとするなら、その惑星の質量はいくら位に成るか。
現在金星が存在する軌道において、もし惑星ができたとする。その惑星の名を“第1世代の金星の軌道の惑星”と名づける。
中性子星が作った軌道引力が8.128×1018Jで、地球の質量の惑星ができた。
現在金星が存在する軌道の、第1世代の星のブラックホールが作った引力は、5.723×1021Jです。
それで、ブラックホールが作った5.723×1021Jの軌道引力は、中性子星が地球を作った軌道引力の、
5.723×1021J÷(8.128×1018J)＝7.041×102倍です。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝7.041×102倍×10＝7.041×103倍であった。
“第1世代の金星の軌道の惑星”の質量は地球の7.041×103倍であった。
もし、第1世代の、現在金星が存在する軌道に、惑星ができたとするなら、その惑星の質量は地球の質量の7.041×103倍であった。
・もし、第1世代の、現在地球が存在する軌道に、惑星ができたとするなら、その惑星の質量はいくら位に成るか。
現在地球が存在する軌道に、もし惑星ができたとする。その惑星の名を“第1世代の地球の軌道の惑星”と名づける。
中性子星が作った軌道の引力が8.128×1018Jで、地球の質量の惑星ができた。
現在地球が存在する軌道の、第1世代の星のブラックホールが作った引力は、2.993×1021J です。
それで、ブラックホールが作った2.993×1021J の軌道引力は、中性子星が地球を作った軌道引力の、
2.993×1021J÷(8.128×1018J)＝3.682×102倍です。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝3.682×102倍×10＝3.682×103倍であった。
“第1世代の地球の軌道の惑星”の質量は地球の3.682×103倍であった。
もし、第1世代の、現在地球が存在する軌道に、惑星ができたとするなら、その惑星の質量は地球の質量の3.682×103倍であった。
・もし、第1世代の、現在火星が存在する軌道に、惑星ができたとするなら、その惑星の質量はいくら位に成るか。
現在地球が存在する軌道において、もし惑星ができたとする。その惑星の名を“第1世代の火星の軌道の惑星”と名づける。
中性子星が作った軌道の引力が8.128×1018Jで、地球の質量の惑星ができた。
現在火星が存在する軌道の、第1世代の星のブラックホールが作った引力は、1.290×1021J です。
それで、ブラックホールが作った1.290×1021J の軌道引力は、中性子星が地球を作った軌道引力の、
1.290×1021J÷(8.128×1018J)＝1.587×102倍です。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝1.587×102倍×10＝1.587×103倍であった。
“第1世代の火星の軌道の惑星”の質量は地球の1.587×103倍であった。
もし、第1世代の、現在火星が存在する軌道に、惑星ができたとするなら、その惑星の質量は地球の質量の1.587×103倍であった。
この事を表に示す。
表24
2009201352.tif 000026
この事から理解できる事。
1.惑星の質量は、軌道引力によってできた事が理解できた。このことから、現在、金星、地球、火星が存在する軌道の、第1世代のブラックホールが作る軌道引力では、地球の質量の7000倍から1500倍の質量の惑星ができる。
このような惑星は存在しない。
よって、現在金星、地球、火星が存在する軌道には、1Hの惑星は存在しなかった。
2.この事から、第1世代の星のブラックホールが作った引力が、5.723×1021J から1.290×1021Jの範囲には惑星ができなかった理由は、その範囲の軌道には物質(1H)が存在しなかったからです。
3. 第1世代の星のブラックホールが作った軌道引力が、5.723×1021J から1.290×1021Jの速度は、2.750×105Kmから1.895×105Kmであり、この速度の軌道には物質(1H)が存在しなかった。
4.速度が2.750×105Kmから1.895×105Kmの軌道の物質(1H)はブラックホールに引きつけられて、第1世代の星になった。
5.光速に近い速度の軌道の物質はブラックホールにひきつけられる。
【請求項２８】
しかし、考えてみると、引力は、ブラックホールと惑星の間の引力であり、軌道の引力ではない。それで、従来どおり、惑星は軌道エネルギー＝速度2によりできたと考える。第1世代の星の惑星はどの軌道にできたか。
表25
2009201352.tif 000027
・“第1世代の木星”はどの軌道にできたか。
中性子星が作った7.366×109Jの軌道エネルギーにより、水星ができた。
同様に、ブラックホールが作った1.052×1010Jの軌道エネルギーにより、“第1世代の木星”ができた。
・“第1世代の土星”はどの軌道にできたか。
中性子星が作った3.942×109Jの軌道エネルギーにより、金星ができた。
同様に、ブラックホールが作った5.726×109Jの軌道エネルギーにより、・“第1世代の土星”ができた。
・“第1世代の天王星”はどの軌道にできたか。
中性子星が作った2.851×109Jの軌道エネルギーにより、地球ができた。
同様に、ブラックホールが作った2.847×109Jの軌道エネルギーにより、“第1世代の天王星”ができた。
・“第1世代の海王星”はどの軌道にできたか。
中性子星が作った 1.871×109Jの軌道エネルギーにより、火星ができた。
同様に、ブラックホールが作った1.817×109Jの軌道エネルギーにより、“第1世代の海王星”ができた。
・質量はいくらだったか。
軌道エネルギーでできる質量は、軌道エネルギーに比例すると考える。
“第1世代の木星”
“第1世代の木星”を作った軌道エネルギー÷地球を作った軌道エネルギー＝1.052×1010J÷(2.851×109J)＝3.690．      3.690×10＝36.6
“第1世代の土星”
“第1世代の土星” を作った軌道エネルギー÷地球を作った軌道エネルギー＝5.726×109J ÷(2.851×109J)＝2.008．      2.008×10＝20
“第1世代の天王星”
“第1世代の天王星” を作った軌道エネルギー÷地球を作った軌道エネルギー＝2.847×109J  ÷(2.851×109J)＝0.999．      0.999×10≒10
“第1世代の海王星”
“第1世代の海王星” を作った軌道エネルギー÷地球を作った軌道エネルギー＝1.871×109J÷(2.851×109J)＝0.656．        0.656×10＝6.56
これを表に示す。
表26
2009201352.tif 000028
この事から理解できる事。
1.軌道エネルギーが第1世代の星の惑星を作った、と考える場合と、軌道引力が第1世代の星の惑星を作った、と考える場合、どちらの考えでも、惑星ができる軌道は同じである。
2.軌道引力は、軌道エネルギー×軌道エネルギーであり、このエネルギーは、磁気の光子のエネルギーですから、軌道の中で引き合う力と理解する事ができ、軌道引力は、軌道の中の引力であると理解できる。
3.軌道引力が惑星を作ったと考えるのは間違いではない。
4.軌道引力＝軌道の磁気の光子のエネルギー×軌道の磁気の光子のエネルギー＝軌道の中の引力＝軌道と中央のブラックホールの間の引力
5.できた第1世代の惑星の質量を考えると、“第1世代の惑星”の質量は、軌道引力でできたと考えた方が妥当である。
【請求項２９】
水素や元素が存在しない軌道の速度はどれくらいか。速度が2×105Kmと成るのは周囲何Kmの軌道か。ブラックホールを10n太陽質量とする。その軌道の引力はいくらか。
・水素や元素が存在しない軌道の速度はどれくらいか。
第1世代の星のブラックホールが作った速度が、2.750×105Km(現在金星の軌道)、2.339×105Km(現在地球の軌道)、1.895×105Km(現在火星の軌道)、には、第1世代の惑星は存在しなかった。惑星を作る水素が存在しなかったからです。
中性子星が作った速度が8.583×104Kmの軌道に水星ができ、これ以上の速度の軌道には惑星ができなかった。惑星に成る元素が存在しなかったからです。
それで、軌道の速度が約2×105Km以上の軌道には、水素や元素が存在しない。
水素や元素が存在しない軌道の速度は約2×105Km以上です。
・速度が2×105Kmと成るのは周囲何Kmの軌道か。ブラックホールを10n太陽質量とする。
速度2 ＝(2×105Km)2＝5.4×1018＋2×n/3JKm÷距離
距離＝5.4×1018＋2×n/3÷(2×105Km)2＝5.4÷4×108Km×102×n/3＝1.35×108×102×n/3Km
速度が2×105Kmと成るのは周囲1.35×108×102×n/3Kmの軌道です。
それでは、ブラックホールの質量と、速度が2×105Kmになる軌道の距離を算出する。
ブラックホールが109太陽質量の場合。
距離＝1.35×108×102×n/3Km＝1.35×108×102×9/3Km＝1.35×108＋6Km=1.35×1014Km
ブラックホールが108太陽質量の場合。
距離＝1.35×108×102×n/3Km＝1.35×108×102×8/3Km＝1.35×108×105.3333Km=1.35×1013×2.155Km＝2.909×1013Km
ブラックホールが107太陽質量の場合。
距離＝1.35×108×102×n/3Km＝1.35×108×102×7/3Km＝1.35×108×104.6667Km=1.35×1012×4.642Km＝6.267×1012Km
ブラックホールが106太陽質量の場合。
距離＝1.35×108×102×n/3Km＝1.35×108×102×6/3Km＝1.35×108＋4Km=1.35×1012Km
ブラックホールが105太陽質量の場合。
距離＝1.35×108×102×n/3Km＝1.35×108×102×5/3Km＝1.35×108×103.3333Km=1.35×1011×2.155Km＝2.909×1011Km
ブラックホールが104太陽質量の場合。
距離＝1.35×108×102×n/3Km＝1.35×108×102×4/3Km＝1.35×108×102.6667Km=1.35×1010×4.642Km＝6.267×1010Km
ブラックホールが103太陽質量の場合。
距離＝1.35×108×102×n/3Km＝1.35×108×102×3/3Km＝1.35×108＋2Km=1.35×1010Km
ブラックホールが102太陽質量の場合。
距離＝1.35×108×102×n/3Km＝1.35×108×102×2/3Km＝1.35×108×101.3333Km=1.35×109×2.155Km＝2.909×109Km
ブラックホールが10太陽質量の場合。
距離＝1.35×108×102×n/3Km＝1.35×108×102×1/3Km＝1.35×108×100.6667Km=1.35×108×4.642Km＝6.267×108Km
・速度が105Kmの軌道の引力はいくらか。
引力＝速度4＝(2×105Km)4＝16×1020(J)
速度が2×105Kmの軌道の引力は16×1020Jです。
この事によって理解できる事。
1. 軌道の速度が約2×105Km以上の軌道には、水素や元素が存在しない。
水素や元素が存在しない軌道の速度は約2×105Km以上です。
2. 速度が2×105Kmと成るのは周囲1.35×108×102×n/3Kmの軌道です。(ブラックホールを10n太陽質量とする。)
3. 速度が2×105Kmの軌道の引力は16×1020Jです。
4.軌道引力が16×1020J以上の軌道では、物質は存在しない。
5. 軌道引力が16×1020J以上の軌道の物質は、ブラックホールに引かれて、ブラックホールの周囲に存在する。
6.ブラックホールの引力が星を作った。
【請求項３０】
速度が光速と成るのは周囲何Kmの軌道か。この軌道の引力はいくらか。ブラックホールを10n太陽質量とする。
速度2 ＝(3×105Km)2＝5.4×1018＋2×n/3JKm÷距離
距離＝5.4×1018＋2×n/3÷(3×105Km)2＝6×107Km×102×n/3＝6×107×102×n/3Km
速度が光速と成るのは周囲6×107×102×n/3Kmの軌道です。
・ブラックホールと6×107×102×n/3Kmの軌道の引力はいくらか。
軌道エネルギー＝5.4×1018＋2×n/3JKm÷距離＝5.4×1018＋2×n/3JKm÷(6×107×102×n/3Km)＝9×1010J
引力＝軌道エネルギー2＝(9×1010J)2＝81×1020J＝定数
速度が光速になる軌道の引力は81×1020Jで、一定値です。
どのような質量のブラックホールでも、引力が81×1020Jの軌道の物質はブラックホールに引かれて、その軌道には何も存在しない。
光速になる半径は、6×107×102×n/3Kmです。
前の「請求項２９」で理解したように、軌道の速度が2×105Km以上の軌道では、物質はブラックホールに引かれて存在しない。
これを、“ブラックホールの引力の法則”と名づけます。
即ち、“ブラックホールの引力の法則”とは、「軌道の速度が2×105Km以上の軌道では、物質はブラックホールに引かれて存在しない。ブラックホールの質量が10n太陽質量のとき、半径1.35×108×102×n/3Kmまでの物質は、4×1020Jの引力に引かれて、何も存在しない。」ということです。
勿論、光速の軌道も、この中に含まれます。
光速の軌道は、半径6×107×102×n/3Kmですから、
6×107×102×n/3Km÷(1.35×108×102×n/3Km)＝0.4444(倍)の距離です。
光速の場合、中心から6×107Km×102×n/3の軌道まで、何も存在しない。この軌道の物質はブラックホールに引かれるので、何も存在しない。
ブラックホールの質量と、速度が光速になる軌道の距離を算出する。
ブラックホールが109太陽質量の場合。
距離＝6×107×102×n/3Km＝6×107×102×9/3Km＝6×107＋6Km=6×1013Km
ブラックホールが108太陽質量の場合。
距離＝6×107×102×n/3Km＝6×107×102×8/3Km＝6×107×105.3333Km=6×1012×2.155Km＝1.293×1013Km
ブラックホールが107太陽質量の場合。
距離＝6×107×102×n/3Km＝6×107×102×7/3Km＝6×107×104.6667Km=6×1011×4.642Km＝2.785×1012Km
ブラックホールが106太陽質量の場合。
距離＝6×107×102×n/3Km＝6×107×102×6/3Km＝6×107＋4Km=6×1011Km
ブラックホールが105太陽質量の場合。
距離＝6×107×102×n/3Km＝6×107×102×5/3Km＝6×107×103.3333Km=6×1010×2.155Km＝1.293×1011Km
ブラックホールが104太陽質量の場合。
距離＝6×107×102×n/3Km＝6×107×102×4/3Km＝6×107×102.6667Km=6×109×4.642Km＝2.785×1010Km
ブラックホールが103太陽質量の場合。
距離＝6×107×102×n/3Km＝6×107×102×3/3Km＝6×107＋2Km=6×109Km
ブラックホールが102太陽質量の場合。
距離＝6×107×102×n/3Km＝6×107×102×2/3Km＝6×107×101.3333Km=6×108×2.155Km＝1.293×109Km
ブラックホールが10太陽質量の場合。
距離＝6×107×102×n/3Km＝6×107×102×1/3Km＝6×107×100.6667Km=6×107×4.642Km＝2.785×108Km
これを表に示す。
表27
2009201352.tif 000029
この事より理解できること。
1.光速になる距離は、6×107×102×n/3Km、です。
2.光速になる軌道の引力は、81×1020Jです。
3.半径6×107×102×n/3Kmで、引力が81×1020Jである、光速の軌道では、物質はブラックホールに引かれ、何も存在しない。
4.“ブラックホールの引力の法則”とは、「軌道の速度が2×105Km以上の軌道では、物質はブラックホールに引かれて存在しない。質量が10n太陽質量のブラックホールの場合、半径1.35×108×102×n/3Kmまでの物質は、16×1020Jの引力に引かれて、何も存在しない。」ということです。
勿論、光速の軌道も、この中に含まれます。
5.光速の軌道は、速度が2×105Kmの軌道の0.4444倍の距離です。
【請求項３１】
シュバルツシルト半径の場では、どうして光子がのみ込まれるのか。
シュバルツシルト半径は数百万Kmです。ブラックホールを106太陽質量とする。
・シュバルツシルト半径の軌道の速度はいくらか。シュバルツシルト半径を106Kmとする。
速度2＝5.4×1018＋2n/3JKm÷106Km＝5.4×1018＋2×6/3JKm÷106Km＝5.4×1016J
速度＝(5.4×1016)1/2=2.3×108Km
シュバルツシルト半径の軌道の速度は2.3×108Kmで、光速3×105Kmより速い場である。
それで、光子はのみ込まれる。
【請求項３２】
地球の表面の原子数を7.602×1033個とすると、表面の原子数でできる重力加速度はいくらか。
重力加速度は、速度2であり、地表の磁気の光子のエネルギーです。地表の磁気の光子のエネルギーは、地表の原子数×1原子が1秒間に作る磁気の光子のエネルギーです。地表の原子が作る引力は、地表の原子が作る磁気の光子のエネルギーであり、地表の原子数×1原子が1秒間に作る磁気の光子のエネルギー(引力)です。
地表の原子が1秒間に作る磁気の光子のエネルギー＝地表の原子数×1原子が1秒間に作る磁気の光子のエネルギー(引力)＝7.602×1033個×１Kgでできる引力÷１Kgの原子数＝7.602×1033個×万有引力定数1/2÷(１Kg÷1原子の質量)＝7.602×1033個×(6.672×10−11J)1/2÷｛１Kg÷(1.6606×10−27Kg))｝＝7.602×1033個×8.168×10−6J÷(6.022×1026個)＝1.031×102J
1.031×102Jの軌道エネルギーで、1.031×102Kmの速度2ができる。
地球の表面の原子数を7.602×1033個とすると、表面の原子数でできる重力加速度は1.031×102Kmです。
【請求項３３】
地球の重力加速度は9.8Jです。地球の表面の重力加速度を作る原子数はいくらか。
重力加速度は速度2です。地球の表面の軌道エネルギーは、速度2であり、重力加速度です。
地球の表面の原子が1秒間に作る磁気の光子のエネルギーは、重力加速度です。
地球の重力加速度は、地球の表面の原子数×1原子が1秒間に作る磁気の光子のエネルギー＝ｘ個×１Kgでできる引力÷１Kgの原子数＝ｘ個×万有引力定数1/2÷(１Kg÷1原子の質量)＝ｘ個×(6.672×10−11J)1/2÷｛１Kg÷(1.6606×10−27Kg))｝＝ｘ個×8.168×10−6J÷(6.022×1026個)＝9.8J
ｘ個＝9.8J×(6.022×1026個)÷(8.168×10−6J)＝7.225×1032個
地球の重力加速度は9.8Jです。地球の表面の重力加速度を作る原子数は7.225×1032個です。
私は、惑星の軌道エネルギー＝速度2を考えた時、惑星の表面の原子数を、7.602×1033個とした。惑星の表面の原子数7.602×1033個は、惑星の軌道エネルギーを作る原子数です。
【請求項３４】
惑星の並び方はどうして、水星、金星、地球、火星、木星、土星の順になっているのか。電子のラブと比較して考える。
電子のラブの場合、公転軌道の小さい電子のラブは、電子のラブのエネルギーが大きく、中心に近い内側の軌道(殻)を公転している。
惑星が並んでいる順序は、太陽より受ける輻射量の順であり、惑星の表面の原子の電子のラブの公転軌道の小さい順です。惑星の表面の原子の電子のラブのエネルギーの大きい順です。
惑星の表面の原子の電子のラブの公転軌道＝1.058×10−10ｍ÷輻射量1/2
惑星の表面の原子の電子のラブのエネルギー＝8.665×10−24Jm÷電子のラブの公転軌道        
水星。
水星の表面の原子の電子のラブの公転軌道＝1.058×10−10ｍ÷輻射量1/2＝1.058×10−10ｍ÷6.671/2＝1.058×10−10ｍ÷2.583＝4.096×10−11ｍ
水星の表面の原子の電子のラブのエネルギー＝8.665×10−24Jm÷(4.096×10−11ｍ)＝2.115×10−13J
金星。
金星の表面の原子の電子のラブの公転軌道＝1.058×10−10ｍ÷輻射量1/2＝1.058×10−10ｍ÷1.911/2＝1.058×10−10ｍ÷1.382＝7.656×10−11ｍ
金星の表面の原子の電子のラブのエネルギー＝8.665×10−24Jm÷(7.656×10−11ｍ)＝1.132×10−13J
地球。
地球の表面の原子の電子のラブの公転軌道＝1.058×10−10ｍ÷輻射量1/2＝1.058×10−10ｍ÷1＝1.058×10−10ｍ
地球の表面の原子の電子のラブのエネルギー＝8.665×10−24Jm÷(1.058×10−10ｍ)＝8.190×10−14J
火星。
火星の表面の原子の電子のラブの公転軌道＝1.058×10−10ｍ÷輻射量1/2＝1.058×10−10ｍ÷0.431/2＝1.058×10−10ｍ÷0.656＝1.613×10−10ｍ
火星の表面の原子の電子のラブのエネルギー＝8.665×10−24Jm÷(1.613×10−10ｍ)＝5.372×10−14J
木星。
木星の表面の原子の電子のラブの公転軌道＝1.058×10−10ｍ÷輻射量1/2＝1.058×10−10ｍ÷0.0371/2＝1.058×10−10ｍ÷0.192＝5.510×10−10ｍ
木星の表面の原子の電子のラブのエネルギー＝8.665×10−24Jm÷(5.510×10−10ｍ)＝1.573×10−14J
土星。
土星の表面の原子の電子のラブの公転軌道＝1.058×10−10ｍ÷輻射量1/2＝1.058×10−10ｍ÷0.0111/2＝1.058×10−10ｍ÷0.1049＝1.009×10−9ｍ
土星の表面の原子の電子のラブのエネルギー＝8.665×10−24Jm÷(1.009×10−9ｍ)＝8.588×10−15J
天王星。
天王星の表面の原子の電子のラブの公転軌道＝1.058×10−10ｍ÷輻射量1/2＝1.058×10−10ｍ÷0.00271/2＝1.058×10−10ｍ÷0.05196＝2.036×10−9ｍ
天王星の表面の原子の電子のラブのエネルギー＝8.665×10−24Jm÷(2.036×10−9ｍ)＝4.256×10−15J
海王星。
海王星の表面の原子の電子のラブの公転軌道＝1.058×10−10ｍ÷輻射量1/2＝1.058×10−10ｍ÷0.00111/2＝1.058×10−10ｍ÷0.033＝3.206×10−9ｍ
海王星の表面の原子の電子のラブのエネルギー＝8.665×10−24Jm÷(3.206×10−9ｍ)＝2.703×10−15J
まとめて表に示す。
惑星の並ぶ順序。
表28
2009201352.tif 000030
この事から理解できる事
1.惑星は、表面の原子の電子のラブの公転軌道が小さく、表面の原子の電子のラブのエネルギーが大きい順に並んでいる。これは、元素の電子のラブが並ぶ順序と同じです。
・元素の電子のラブはどのように並んでいるか。
電子のラブの表面に存在する特性X線は、電子のラブが大きな軌道の殻から小さい殻に移動する時、特性X線を排斥する。
例えば、Au(79)の場合、K系α1,2は、波長が0.0182×10−9ｍ、L系α1は、波長が0.1277×10−9ｍ、M系γは、波長が0.5623×10−9ｍです。
N殻の表面の特性X線は、波長が0.5623×10−9ｍです。軌道は、0.5623×10−9ｍ÷2＝2.811×10−10ｍ、です。
このX線1個のエネルギーは、1.233×1041Jm÷(2.811×10−10ｍ)＝4.404×10−32J、です。
M殻の表面の特性X線は、波長が0.1277×10−9ｍです。軌道は、0.1277×10−9ｍ÷2＝6.385×10−11ｍ、です。
このX線1個のエネルギーは、1.233×1041Jm÷(6.385×10−11ｍ)＝1.931×10−31J、です。
L殻の表面の特性X線は、波長が0.0182×10−9ｍです。軌道は、0.0182×10−9ｍ÷2＝9.1×10−12ｍです。
このX線1個のエネルギーは、1.233×1041Jm÷(9.1×10−12ｍ)＝1.355×10−30J、です。
よって、表面の特性X線の軌道が小さい原子ほど中央に近い殻に並んでいる。表面の特性X線のエネルギーが大きい電子ほど中央に近い殻に並んでいる。
また、特性X線を作る電子のラブの公転軌道は、これより小さいです。
それで、電子のラブのエネルギーは、L殻の電子のラブ、M殻の電子のラブ、N殻の電子のラブの順です。
よって、元素の電子のラブは中央から、エネルギーの大きい順に並んでいる。
この事から推察できる事。
1.電子のラブの表面に存在する特性X線のエネルギーが大きい電子ほど中央に近い殻に並び、かつ、電子のラブのエネルギーが大きい電子ほど中央に近い殻に並ぶ。
この事から、
惑星も電子と同じように、表面の原子の電子のラブのエネルギーの大きい順に中央に近い軌道に並び、かつ惑星のエネルギーの大きい順に並んでいる、と推測できる。
【請求項３５】
惑星のエネルギーはどのように求める事ができるのか。
電子の場合。
L殻の電子の表面の特性X線1個のエネルギーは、1.355×10−30Jです。これが排斥します。
M殻の電子の表面の特性X線1個のエネルギーは、1.931×10−31Jです。これが排斥します。
N殻の電子の表面の特性X線1個のエネルギーは、4.404×10−32Jです。これが排斥します。
それで、K殻の電子に存在する特性X線のエネルギーは、1.355×10−30J以上です。
L殻の電子に存在する特性X線のエネルギーは、1.931×10−31J以上です。
M殻の電子に存在する特性X線のエネルギーは、1.931×10−31J以下であり、4.404×10−32J以上です。
惑星の場合。
・電子と同じ現象が惑星でもおきている。
即ち、惑星から放出している熱は、惑星の表面が作っている熱であり、この熱は太陽から受ける輻射量であり、惑星から排斥される熱と理解できる。
惑星から放出している熱＝惑星の表面が作っている熱＝太陽から受ける輻射量＝惑星から排斥される熱
そして、惑星の中のエネルギーは、惑星の表面のエネルギーより大きい。
惑星の中の熱は、中央に進むほど高くなる。
それで、惑星の中の原子の電子のラブのエネルギー＞惑星の表面の原子の電子のラブのエネルギー、です。
水星。水星の中の原子の電子のラブのエネルギー＞2.115×10−13J
金星。金星の中の原子の電子のラブのエネルギー＞1.132×10−13J
地球。地球の中の原子の電子のラブのエネルギー＞8.190×10−14J
火星。火星の中の原子の電子のラブのエネルギー＞5.372×10−14J
木星。木星の中の原子の電子のラブのエネルギー＞1.573×10−14J
土星。土星の中の原子の電子のラブのエネルギー＞8.588×10−15J
天王星。天王星の中の原子の電子のラブのエネルギー＞4.256×10−15J
海王星。海王星の中の原子の電子のラブのエネルギー＞2.703×10−15J
この事から理解できたこと。
1. 惑星から放出している熱は、惑星の表面が作っている熱であり、この熱は太陽から受ける輻射量であり、惑星から排斥される熱と理解できる。
2.惑星の中の原子の電子のラブのエネルギーは、惑星の表面の原子の電子のラブのエネルギーより大きい。
太陽に近い惑星ほど、惑星のエネルギーは大きい。
【請求項３６】
太陽の中心の場では、中性子より存在しない事の証明。
太陽の中心のAは、4×104です。(この事に関して、私は、2007年11月19日に提出した、特願2007−325263の「請求項24」に記した。)
この場の公転軌道は、1.058×10−10ｍ÷A=1.058×10−10ｍ÷(4×104)＝2.645×10−15ｍです。この場のエネルギーは、8.665×10−24Jm÷(2.645×10−15ｍ)＝3.276×10−9J、です。
陽子のラブの公転軌道は、8.665×10−24Jm÷(1.5×10−10J)＝5.777×10−14ｍ、です。
中性子の公転軌道は、8.665×10−24Jm÷(2.882×10−10J)＝3×10−14ｍ、です。
陽子のラブは、公転軌道が5.777×10−14ｍの軌道に存在する。
中性子は、公転軌道が3×10−14ｍの軌道に存在する。
太陽の中心は、公転軌道が2.645×10−15ｍです。
太陽の中心には、中性子が束になって存在する。
よって、太陽の中心には中性子より存在できない。
【請求項３７】
太陽が爆発したとき、できる元素は何か。
・太陽の中心には、中性子が何個存在できるか。
中性子ののエネルギー×ｘ個＝太陽の中心のエネルギー
2.882×10−10J×ｘ個＝3.276×10−9J
ｘ個＝3.276×10−9J÷(2.882×10−10J)＝1.137×10
太陽の中心には、中性子が11個存在できる。
・太陽が爆発後、中性子が11個は、何の元素になるか。
太陽が爆発後、中性子が11個は、中性子が6個、陽子のラブが5個、電子のラブが5個となる。これは、原子番号が５であるBになる。
よって、太陽が爆発すると、He、Li、Be、Bができる。
【請求項３８】
星の中央には、中性子より存在できない事の証明。
太陽質量の8倍以上の星が超新星爆発すると、中性子星ができる。この事は、太陽質量の8倍以上の星の中心には、中性子より存在できない事を証明する。
【請求項３９】
ビッグバンの以前の球体はどのようであったか。
ビッグバンの以前、電子のラブは自転していた。陽子のラブは自転していた。(この事について、私は、2008年5月26日に提出した、特願2008−162553「宇宙８」の「請求項3」に記した。)(計算式は、2006年11月1日に提出した、特願2006−336352、「素粒子の軌道質量と引力と熱」に記した。)
電子のラブの自転軌道エネルギーは、3.416×10−31Jmです。
陽子のラブの自転軌道エネルギーは、6.272×10−28Jmです。
それで、ビッグバンの以前、電子のラブのエネルギーが１Jであったとすると、電子のラブの自転軌道は、3.416×10−31Jm÷1J＝3.416×10−31mです。
ビッグバンの以前、陽子のラブのエネルギーが１J×1.5×10−10J÷(8.187×10−14J)＝1.832×103Jであったとすると、陽子のラブの自転軌道は、6.272×10−28Jm ÷(1.832×103J)＝3.424×10−31mです。
電子のラブが1自転で作る磁気の光子１個のエネルギーは、6.112×10−57Jm÷自転軌道＝6.112×10−57Jm ÷(3.416×10−31m)＝1.789×10−26J、です。
陽子のラブが1自転で作る磁気の光子１個のエネルギーは、1.121×10−53Jm÷自転軌道＝1.121×10−53Jm ÷(3.424×10−31m)＝3.274×10−23J、です。
それで、ビッグバンの以前の球体は、中央に陽子のラブが自転しながら存在し、外側に電子のラブが自転しながら存在する。
球体の中央では、陽子のラブ1個のエネルギーが1.832×103Jであるとすると、自転軌道は3.424×10−31mであり、1自転でできる磁気の光子1個のエネルギーは3.274×10−23Jです。陽子のラブはこの磁気の光子のエネルギーにより、しっかり結合している。
球体の外側では、電子のラブ1個のエネルギーが1Jであるとすると、自転軌道は3.416×10−31mであり、1自転でできる磁気の光子1個のエネルギーは1.789×10−26Jです。電子のラブはこの磁気の光子のエネルギーにより、しっかり結合している。
表29
2009201352.tif 000031
【請求項４０】
ビッグバンがおきた原因は何か。
ビッグバンの以前、球体の中央では陽子のラブが自転し、磁気の光子を作っていた。外側では、電子のラブが自転し、磁気の光子を作っていた。それはまるで、原子のようでした。それはまるで太陽のようでした。磁気の光子はビッグバンの以前、球体から放射していました。これが、宇宙背景放射です。
時間と共に、陽子のラブのエネルギーは減少し、自転軌道が大きくなりました。陽子のラブの自転でできる磁気の光子のエネルギーは小さくなりました。
時間と共に、電子のラブのエネルギーは減少し、自転軌道が大きくなりました。電子のラブの自転でできる磁気の光子のエネルギーは小さくなりました。
磁気の光子のエネルギーが小さくなると、引力は小さくなり、その引力では、陽子のラブは球体の中心に集まり、結合していることができなくなりました。球体の中心は大きくなりました。
磁気の光子のエネルギーが小さくなると、引力は小さくなり、その引力では、電子のラブは球体外側に集まり、結合していることができなくなりました。球体の外側は大きくなりました。
それで、球体は爆発しました。
これがビッグバンです。
【請求項４１】
銀河系と原子の相似性。
１．銀河系の星は、螺旋回転しながら、銀河系の中心を公転している。
電子のラブは螺旋回転しながら、原子核を中心に公転している。
陽子のラブは螺旋回転しながら、公転している。
２．現在、銀河系の中心のブラックホールの質量エネルギーは、3×106太陽質量エネルギーである。大きい腕の中心のブラックホールは、約104太陽質量エネルギー。中位の腕の中心のブラックホールは、約5×103太陽質量エネルギー、小さい腕の中心のブラックホールは、約103太陽質量エネルギーです。
銀河系の中心のブラックホールの質量エネルギーは、腕の中心のブラックホールの質量エネルギーの、約1000倍です。
原子核の質量エネルギーは、電子のラブの質量エネルギーの約1000倍です。
３．銀河系の太陽は、約2億年で銀河系を1公転し、約200万年で1回螺旋回転する。
1公転する間に、2×108年÷(2×106年)＝100回螺旋回転する。
電子のラブは、1公転する間に、約108回自転(螺旋回転)する。
陽子のラブは、1公転する間に、約104回自転(螺旋回転)する。
この事は、質量エネルギーの大きい物ほど1公転する時の螺旋回転数が少ない事を示す。
４．銀河系の公転軌道エネルギーは、電子のラブと陽子のラブの公転軌道エネルギーの何倍か。
銀河系の中心の質量が太陽質量の3×106倍であるとすると、3×103＝103.4771ですから、軌道エネルギーは、
銀河系の公転軌道エネルギー＝5.471×1018×102×3.4771÷3JKm
＝5.471×1018×102.3181JKｍ
＝5.471×1018×2.080×102JKｍ
＝1.138×1021JKｍ
＝1.138×1024Jｍ。
電子のラブと陽子のラブの公転軌道エネルギーは、
公転軌道エネルギー＝8.665×10−24Jｍ
銀河系の公転軌道エネルギー÷電子のラブや陽子のラブの公転軌道エネルギー＝1.138×1024Jｍ÷(8.665×10−24Jｍ)＝1.313×1047
よって、銀河系の公転軌道エネルギーは、電子のラブと陽子のラブの公転軌道エネルギーの2.627×1047倍です。
５．太陽系の螺旋回転の軌道エネルギーは、電子のラブの自転軌道エネルギーの何倍であるか。太陽系の螺旋回転の軌道エネルギーは、陽子のラブの自転軌道エネルギーの何倍であるか。
太陽系の螺旋回転軌道エネルギーは、太陽系が螺旋回転している中心のブラックホールの質量エネルギーは、5.252×103＝103.7204太陽質量エネルギーですから、
太陽系の公転軌道エネルギー＝5.471×1018×102×3.7204÷3JKm
＝5.471×1018×102.480JKm
＝5.471×1018×3.020×102JKm
＝1.652×1021JKｍ。
太陽系の螺旋回転の軌道エネルギーは公転軌道エネルギーの79.7倍ですから、
太陽系の螺旋回転の軌道エネルギー＝1.652×1021JKｍ×79.7＝1.317×1023JKｍ＝1.317×1026Jｍ。
電子のラブの自転軌道エネルギーは、電子のラブのエネルギー×自転軌道＝8.187×10−14J×4.172×10−18ｍ＝3.416×10−31Jm です。
陽子のラブの自転軌道エネルギーは、陽子のラブのエネルギー×自転軌道＝1.5×10−10J×4.181×10−18ｍ＝6.272×10−28Jmです。
・太陽系の螺旋回転の軌道エネルギーは、電子のラブの自転軌道エネルギーの何倍であるか。
太陽系の螺旋回転の軌道エネルギー÷電子のラブの自転軌道エネルギー＝1.317×1026Jｍ÷(3.416×10−31Jm)＝3.855×1056
太陽系の螺旋回転の軌道エネルギーは、電子のラブの自転軌道エネルギーの3.853×1056倍です。
・太陽系の螺旋回転の軌道エネルギーは、陽子のラブの自転軌道エネルギーの何倍であるか。
太陽系の螺旋回転の軌道エネルギー÷陽子のラブの自転軌道エネルギー＝1.317×1026Jｍ÷(6.272×10−28Jm)＝2.100×1053
太陽系の螺旋回転の軌道エネルギーは、陽子のラブの自転軌道エネルギーの2.100×1053倍です。
・電子のラブの自転軌道エネルギーは、陽子のラブの自転軌道エネルギーの何倍であるか。
陽子のラブの自転軌道エネルギー÷電子のラブの自転軌道エネルギー＝6.272×10−28Jm ÷(3.416×10−31Jm)＝1.836×103
陽子のラブの自転軌道エネルギーは、電子のラブの自転軌道エネルギーの1.836×103倍です。
まとめて表に示す。
表30
2009201352.tif 000032
【発明の詳細な説明】
【技術分野】
【０００１】
この発明は、宇宙の軌道エネルギーとは何か。太陽から惑星に届く軌道エネルギー＝太陽から出発する光子1個のエネルギー×“見かけ上に換算する定数”÷距離。この式が成立するかどうか。太陽から届く光子１個のエネルギーと輻射量について。宇宙の速度について。宇宙の引力について。中性子星が作る軌道エネルギーと速度と引力について。第1世代のブラックホールが作る軌道エネルギーと速度と引力について。第1世代の惑星はどのようにできたか。第1世代の惑星ができなかった軌道はどのようであったのか。惑星はどのように並んでいるか。ビッグバンの以前の球体はどのようであるか。ビッグバンがおきた理由。銀河系と電子のラブと陽子のラブとの相似性はどのようであるか。これらの事に関する。
【背景技術】
【０００２】
(私は、2008年1月4日に提出した、特願2008−23309の「請求項6」で、
惑星の軌道エネルギー＝太陽から出発した1個の光子が届くエネルギー×太陽から出発する光子の数＝10−31J×105Km÷距離×1.325×1037個＝10−26Ｊ・Km÷距離×1.325×1037個＝1.325×1011J・Km÷距離
惑星の軌道エネルギーの式＝1.325×1011J・Km÷距離、とした。)
この事は何を意味するのか、宇宙の軌道エネルギーとは何なのか、を再考する。
【０００３】
太陽から惑星に届く軌道エネルギー＝太陽から出発する光子1個のエネルギー×“見かけ上に換算する定数”÷距離。この式が成立するかどうか。
この事を、太陽の表面1kmでは、温度は4.3×103K＝4.3×103℃である事から、再考する。太陽から惑星に届く軌道エネルギーが輻射量に成る事から再考する。
【０００４】
私は、2008年10月17日に提出した、特願2008−268538．「宇宙11」の「請求項20」で、
太陽から届く軌道エネルギー＝1.325×1011JKｍ÷距離、です。
惑星の軌道エネルギー＝惑星の表面の原子数×1.743×10−23JKｍ÷距離とし、
太陽から届く軌道エネルギー＝惑星の軌道エネルギーとなる場合、惑星の表面の原子数は7.602×1033個である、と理解した。今回はこの事について理解を深める。太陽ができる以前に存在した中性子星が作る軌道引力で惑星ができた。第1世代の星ができる以前に存在したブラックホールが作る軌道引力で第1世代の惑星ができた。
【０００５】
私は、2008年5月26日に提出した、特願2008−162553.「宇宙8」の「請求項3」で、宇宙背景放射はいつできたのか。宇宙背景放射はビッグバンの以前にできたのかビッグバンの以後できたのか。宇宙背景放射は自転軌道エネルギーなのか公転軌道エネルギーなのか。について記した。この事を基に、ビッグバンの以前の球体について考える。
【先行技術文献】
【特許文献】
【０００６】
【特許文献１】特願2008−23309
【特許文献２】特願2008−162553
【特許文献３】特願2008−268538
【発明の概要】
【発明が解決しようとする課題】
【０００７】
１．宇宙の軌道エネルギーとは何か。
２．太陽が作る惑星の軌道エネルギーの式はどのような事を意味するのか。
３．銀河系の中央のブラックホールの質量が太陽質量の10n倍である場合、ブラックホールが作る星の軌道エネルギーの式はどのような事を意味するのか。
４．星ができる時、中性子星の質量が太陽質量の10n倍である場合、中性子星が作る軌道エネルギーの式はどのようであるか。どのような事を意味するのか。
５．地球が作る月の軌道エネルギーの式はどのようであるか。どのような事を意味するのか。
６．惑星の表面の原子数が7.602×1033個である場合、太陽から惑星に届く軌道エネルギーと惑星の軌道エネルギーは等しい。7.602×1033個は、2008年10月17日に提出した、特願2008−268538、「宇宙11」の「請求項11」で求めた、惑星の表面の原子数の値の何倍か。
７．我々は、太陽から光子を受けている。この光子のエネルギーを計算する式はどのようであるか。惑星にたどり着く電気の光子1個のエネルギー＝太陽を出発する電気の光子1個のエネルギー×見かけ上に換算する定数÷距離、の式を再考する。
８．遠くの星や銀河やクエーサーからやってくる光子が可視光として届くのはどうしてか。
９．太陽から受ける輻射量が、惑星の表面の1原子が1公転で作る電気の光子のエネルギーになるとする。太陽から受ける輻射量から計算した、惑星の表面の1原子が1公転で作る電気の光子のエネルギーの計算式と、惑星の表面の1原子が1秒間に作る電気の光子のエネルギーの計算式はどのようであるか。
１０．惑星の表面の原子数が7.602×1033個である場合、惑星の軌道エネルギーと太陽から惑星に届く軌道エネルギーは等しい。この事を証明する。
１１．惑星の表面の原子数を、7.602×1033個とすると、輻射量が作る惑星のエネルギーはいくらか。
１２．太陽から出発する１個の光子のエネルギーを10−31Jとすると、届くエネルギーは、10−31J×105Km÷距離、です。このエネルギーと輻射量の関係はどのようであるか。
１３．輻射量1/2の電気の光子は何個の電気の光子であるか。
１４．宇宙の速度について。
１５．  宇宙の引力はどのようであるか
１６．  現在、太陽と惑星間の引力はいくらか。
１７．  太陽が中性子星であったとき、中性子星の質量を太陽質量の1/5とすると、中性子が作る軌道エネルギー(速度2)と速度と引力(速度4)はいくらであったか。
１８．  惑星ができた軌道と中性子星の間の引力は、現在の惑星と太陽の間の引力の何倍か。
１９．  第1世代の星の質量を8.246太陽質量とする。ブラックホールの質量を第1世代の星の質量の1/5とする。第1世代の星のブラックホールが作る軌道エネルギー(速度2)、速度、引力はいくらか。
２０．  第1世代の星の惑星はどのようであったか。オルトーの雲はどのようにできたか。第1世代の星の“水素の小惑星”はどのようにできたか。
２１．  第1世代の“水素の小惑星”はどのようにできたか。
２２．  木星になった惑星(“第1世代の木星”)はどのようにできたか。“第1世代の木星”の質量はいくら位だったか。・木星は、どうして地球の質量の317倍にも成るのか。
２３．  土星になった惑星(“第1世代の土星”)はどのようにできたか。“第1世代の土星”の質量はどれ位だったか。土星は、どうして地球の質量の95倍に成るのか。
２４．  天王星になった惑星(“第1世代の天王星”)はどのようにできたか。“第1世代の天王星”の質量はどれ位だったか。現代の天王星は、どうして地球の質量の14.54倍に成るのか。
２５．  海王星になった惑星(“第1世代の海王星”)はどのようにできたか。“第1世代の海王星”の質量はどれ位だったか。現代の海王星は、どうして地球の質量の17.15倍に成るのか。
２６．  木星の金属水素と土星の金属水素は何時どのようにできたか。“第1世代の天王星”と“第1世代の海王星”の状態はどのようであったか。“水素の惑星”はどのような状態であったか。オルトーの雲はどのような状態であったか。
２７．もし、第1世代の、現在金星が存在する軌道に、惑星ができたとするなら、その惑星の質量はいくら位に成るか。もし、第1世代の、現在地球が存在する軌道に、惑星ができたとするなら、その惑星の質量はいくら位に成るか。もし、第1世代の、現在火星が存在する軌道に、惑星ができたとするなら、その惑星の質量はいくら位に成るか。
２８．  しかし、考えてみると、引力は、ブラックホールと惑星の間の引力であり、軌道の引力ではない。それで、従来どおり、惑星は軌道エネルギー＝速度2によりできたと考える。第1世代の星の惑星はどの軌道にできたか。
２９．  水素や元素が存在しない軌道の速度はどれくらいか。速度が2×105Kmと成るのは周囲何Kmの軌道か。ブラックホールを10n太陽質量とする。その軌道の引力はいくらか。
３０．  速度が光速と成るのは周囲何Kmの軌道か。この軌道の引力はいくらか。ブラックホールを10n太陽質量とする。
３１．  シュバルツシルト半径の場では、どうして光子がのみ込まれるのか。
３２．  地球の表面の原子数を7.602×1033個とすると、表面の原子数でできる重力加速度はいくらか。
３３．  地球の重力加速度は9.8Jです。地球の表面の重力加速度を作る原子数はいくらか。
３４．  惑星の並び方はどうして、水星、金星、地球、火星、木星、土星の順になっているのか。電子のラブと比較して考える。
３５．  惑星のエネルギーはどのように求める事ができるのか。
３６．  太陽の中心の場では、中性子より存在しない事の証明。
３７．  太陽が爆発したとき、できる元素は何か。
３８．  星の中央には、中性子より存在できない事の証明。
３９．  ビッグバンの以前の球体はどのようであったか。
４０．  ビッグバンがおきた原因は何か。
４１．  銀河系と原子の相似性。
【課題を解決するための手段】
【０００８】
(私は、2008年1月4日に提出した、特願2008−23309の「請求項6」で、
惑星の軌道エネルギー＝太陽から出発した1個の光子が届くエネルギー×太陽から出発する光子の数＝10−31J×105Km÷距離×1.325×1037個＝10−26Ｊ・Km÷距離×1.325×1037個＝1.325×1011J・Km÷距離
惑星の軌道エネルギーの式＝1.325×1011J・Km÷距離、とした。)
この意味するところは何か。
それは、軌道の中心のエネルギーは、太陽から出発する1個の光子のエネルギー×太陽から出発する光子の数である、ということです。この中心のエネルギーが、軌道においてどれくらいのエネルギーに成るか。これが軌道エネルギーです。
即ち、宇宙の軌道エネルギーとは中央の軌道エネルギーが作る軌道に於けるエネルギーです。
その一般式は、
中央のエネルギー×2×105Km÷軌道＝中央の物体の表面の原子数×出発する光子1個のエネルギー×105Km÷距離、です。
105Kmは、“見かけ上に換算する定数”であり、これは、出発する光子1個のエネルギーや届く光子のエネルギーを何に設定するかによって変わる。この事を「請求項7」において再考した。
惑星の表面の原子数を、7.602×1033個とすると、輻射量から計算する、惑星の表面でできる軌道エネルギー＝8.859×102×輻射量1/2＝太陽の表面の原子数(1.325×1037個)×太陽から出発する光子1個のエネルギー(10−31J)×105Km÷距離＝1.325×1011J・Km÷距離＝太陽から受ける軌道のエネルギー＝軌道エネルギー＝公転速度2、の式が成立する。
この事を「請求項９」から「請求項12」まで考える。
「請求項13」では、熱になる赤外線は、同じ軌道の赤外線であるから、この赤外線の軌道を2.064×10−5ｍとする。惑星に届く輻射量1/2の電気の光子は何個の電気の光子であるかを計算する。
宇宙の速度は、速度2＝軌道エネルギー。速度＝軌道エネルギー1/2、です。
中性子星の質量を太陽質量の1/5とすると、中性子星が作る軌道エネルギーの式は、4.265×1017JKｍ÷距離、です。
この式で、中性子が作った惑星の軌道の軌道エネルギーと速度が算出できる。
宇宙の引力は、軌道エネルギー2＝速度4です。
中性子星が作った軌道引力により、惑星ができた。
木星ができた軌道は、中性子星が作った軌道引力が3.003×1017Jであるのに、地球の質量の317.83倍もあるのは、木星は以前、第1世代の星の惑星であったと推察できる。
第1世代の星の軌道引力はいくらだったのか。
第1世代の星の質量は、8.246太陽質量です。この1/5がブラックホールの質量であったとします。このブラックホールが作る軌道エネルギーは、ブラックホールの質量は、8.246太陽質量÷5＝1.6492太陽質量＝100.2172太陽質量、です。
ブラックホールが作る軌道エネルギー＝5.471×1018＋2ｎ/3ＪＫｍ÷距離＝5.471×1018×102×0.217÷3JKｍ÷距離＝5.471×1018×100.1448JKｍ÷距離＝5.471×1018×1.496JKｍ÷距離＝8.185×1018JKｍ÷距離
ブラックホールが作る軌道エネルギー＝速度2＝8.185×1018JKｍ÷距離。
この式から、現在、惑星が存在する軌道の軌道エネルギーと速度と軌道引力を求めます。
中性子星が作った軌道引力によってできた惑星と、ブラックホールによってできた軌道引力によってできるであろう“第１世代の惑星”を考えます。
この事によって、木星と土星と天王星と海王星は、第1世代の星の惑星であった事が理解できます。
水星ができた軌道の速度は、8.583×104Kmでした。これ以上の速度の軌道には惑星ができなかった。
ブラックホールが作った軌道速度が、3.760×105Km(現在水星が存在する軌道)から、1.895×105Km(現在火星が存在する軌道)までには惑星が存在しなかった。
これは、惑星の材料に成る物質が存在しなかったためです。光速の軌道では、物質は、中性子星やブラックホールに引かれる。
第1世代の星の質量は、8.246太陽質量です。この1/5がブラックホールの質量であったとします。このブラックホールから噴出するジェットが、オルトーの雲を作りました。
惑星が水星、金星、地球、火星、木星、土星、天王星、海王星、の順に並んでいるのは、エネルギーの大きい順に並んでいる。この事は、電子のラブの特性X線から考える。
電子が小さい殻に移動する時、外側の特性X線を排斥する。
惑星が輻射熱を放射する時、表面の原子の電子のラブが作る輻射熱を放出(排斥)する。惑星の中の原子の電子のラブは、表面の原子の電子のラブより、エネルギーが大きい。
よって、輻射熱が大きい惑星ほど、エネルギーは高い。
【発明の効果】
【０００９】
次のことが理解できた。
１．宇宙の軌道エネルギーとは中央の軌道エネルギーが作る軌道に於けるエネルギーです。
その一般式は、
中央のエネルギー×2×105Km÷軌道＝中央の物体の表面の原子数×出発する光子1個のエネルギー×“見かけ上に換算する定数”÷距離、です。
２．太陽系の中央のエネルギー＝太陽の表面の原子数×1原子が作る1個の光子のエネルギー
３．星の中央のエネルギー＝ブラックホールの表面の原子数×1原子が作る1個の光子のエネルギー
４．中性子星が作る軌道エネルギーの式は1.247×1018×102ｎ/3 JKｍ÷距離です。
５．月の中央のエネルギー＝地球の表面の原子数×1原子が作る1個の光子のエネルギー
６．7.602×1033個÷密度から求めた惑星の表面の原子数(これは、特願2008−268538、の「請求項11」に記した。)
・地球の値、7.602×1033個÷(1.138×1035個)＝6.680×10−2、を1とすると、惑星の値は、
水星：金星：地球：火星：木星：土星：天王星：海王星＝4.473×10−1：7.679×10−2：6.680×10−2：2.953×10−1：1.372×10−3：2.993×10−3：1.100×10−2：1.246×10−2＝6.7：1.15：1：4.4：0.02：0.045：0.165：0.19
水星、金星、地球、火星は固体です。木星、土星はガス体です。天王星、海王星は水の氷です。
よって、7.602×1033個は惑星の表面の原子数とみなす事ができる。
この事によって理解できる事。
1.惑星は、表面の原子数が同数になるようにできた。
2.太陽が作る軌道エネルギーと同じ軌道エネルギーを持つ惑星ができた。
3.惑星は惑星が存在する軌道エネルギーにより作られた。
4.軌道エネルギー＝速度2ですから、惑星は速度2によりできた。
5.惑星は、速度2になるようにできた。
７．惑星にたどり着く電気の光子1個のエネルギー＝太陽を出発する電気の光子1個のエネルギー×見かけ上に換算する定数÷距離、の式を再考する。
1.私は、太陽から出発する電気の光子1個のエネルギーを10−31Jとし、たどり着く電気の光子1個のエネルギーを可視光(6.68×10−35J)としているので、“見かけ上に換算する定数”は105Kmです。
10−31J×105÷距離＝10−31J×105Km÷(1.496×108Km)＝6.68×10−35J
この軌道は、1.233×10−41Jm÷(6.68×10−35J)＝1.846×10−7ｍ。
この波長は、1.846×10−7ｍ×2＝3.692×10−7ｍ。可視光は3.3×10−7ｍから、7.7×10−7ｍですから、大きいエネルギーが届いているとした。
2.太陽を出発する電気の光子1個のエネルギーを7.639×10−30J とし、たどり着く電気の光子のエネルギーを輻射熱とすると、“見かけ上に換算する定数”は2.282×106Kmです。
3. 太陽を出発する電気の光子1個のエネルギーを7.639×10−30J とし、地球にたどり着く電気の光子1個のエネルギーを6.68×10−35Jとすると、“見かけ上に換算する定数”は1.308×103Kmです。
4.よって、太陽から出発する光子のエネルギーや、たどり着く光子の種類やエネルギーにより、“見かけ上に換算する定数”は異なる。
5.このように、届く光子1個のエネルギーは、出発する光子1個のエネルギー×見かけ上に換算する定数÷距離、の式で計算できる。
８．遠くの星や銀河やクエーサーの光子ほど高エネルギーの場に存在するので、高エネルギーです。高エネルギーで出発するから、たくさんの距離を走っても、可視光で届く。
９．太陽から受ける輻射量から計算した、惑星の表面の1原子が1公転で作る電気の光子のエネルギー＝1.233×10−41Jm÷(1.058×10−10ｍ÷輻射量1/2)=1.165×10−31×輻射量1/2
１０．惑星の軌道エネルギー＝太陽から惑星に届く軌道エネルギー、とし、輻射量1/2を求める式を作り、求めた輻射量がデーターと同じであるなら、惑星の軌道エネルギー＝太陽から惑星に届く軌道エネルギー、の式は成立する。
１１．
1.惑星の表面の原子数を、7.602×1033個とすると、輻射量から計算する、惑星の表面でできる軌道エネルギー＝8.859×102×輻射量1/2＝太陽の表面の原子数(1.325×1037個)×太陽から出発する光子1個のエネルギー(10−31J)×105Km÷距離＝1.325×1011J・Km÷距離＝太陽から受ける軌道のエネルギー＝軌道エネルギー＝公転速度2、の式が成立する。
2.輻射量から計算する軌道エネルギーと、従来考えてきた、届く光子1個のエネルギー＝出発する光子1個のエネルギー×105Km÷距離、の式で計算する軌道エネルギーは等しい値になるので、従来考えてきた式は正しい。
１２．太陽から届く光子1個のエネギーと輻射量の関係は、輻射量でできる光子のエネルギーは、太陽から届く光子1個のエネルギーの1.741×103倍です。
１３．
1..熱になる赤外線は、同じ軌道の赤外線であるから、この赤外線の軌道を2.064×10−5ｍとすると、太陽から離れている惑星ほど、輻射量を作っている電気の光子の数は減少している。
１４．宇宙の速度について。速度2は、軌道エネルギーです。
太陽が作る惑星の軌道エネルギー=1.325×1011J・Km÷距離＝惑星のエネルギー＝8.859×102×輻射量1/2＝速度2
星の軌道エネルギー＝5.471×1018＋2ｎ/3ＪＫｍ÷距離
公転速度2＝星の軌道エネルギー＝5.471×1018＋2ｎ/3ＪＫｍ÷距離
螺旋回転速度2＝公転速度2×79.7＝5.471×1018＋2ｎ/3ＪＫｍ÷距離×79.7＝4.360×1020＋2ｎ/3ＪＫｍ÷距離
中性子星が作る速度2＝軌道のエネルギー＝1.247×1018＋2ｎ/3ＪＫｍ÷距離
１５．惑星と太陽間の引力は、(1.325×1011J・Km)2÷距離2＝(1.325×1011J・Km÷距離)2＝軌道エネルギー2＝速度4、です。
１６．惑星と太陽間の引力は、(1.325×1011J・Km)2÷距離2＝(1.325×1011J・Km÷距離)2＝軌道エネルギー2＝速度4、です。
１７．中性子星の質量を太陽質量の1/5とすると、中性子星が作る軌道エネルギーの式は、4.265×1017JKｍ÷距離、です。
距離×軌道エネルギー＝距離×速度2＝4.265×1017JKｍ、この式は反比例の式です。
速度の式は、(4.265×1017JKｍ÷距離)1/2Kmです。
引力の式は、(4.265×1017JKｍ÷距離)2Jです。
1.中性子星が作った軌道の速度は、高速であった。
それで、元素は、導線の中を走る電子のラブのように走った。電子のラブは、自転しながら走ったので、磁気の光子ができた。磁気の光子によって元素は引き合い結合した。
2.水星ができた軌道の速度は、光速(3×105Km)より遅い。光速より遅い速度の軌道に、惑星はできた。
3.光速より速い速度の軌道には、何もできなかった。これは、光速より速い速度の軌道には何もないことの証明です。
4.よって、光速より速い速度の軌道の物質は、中心の物質に引き寄せられた事を意味する。
１８．
1.中性子星が作った軌道の引力は、現在の太陽が作っている軌道引力の約1.036×1013倍です。
2.中性子星が作った軌道の引力により、惑星ができた。
3.惑星ができる軌道は、軌道引力が5.426×1019J以下です。
4.惑星ができる軌道は、軌道引力が8.966×1015J以上です。
5.地球の質量ができた軌道の中性子星が作った軌道の引力は、約8×1018Jです。
6.中性子星が作った軌道引力が5.4×1019J、1.5×1019J、8×1018J、3.5×1018Jの軌道で、密度が5.43、5.24、5.52、3.93までの、地球型惑星ができた。
7.木星ができた軌道は、中性子星が作った軌道引力が3×1017Jであるのに、地球の質量の317.83倍もあるのは、木星は以前、第1世代の星の惑星であったと推察できる。
8.土星ができた軌道は、中性子星が作った軌道引力が8.9×1016Jであるのに、地球の質量の95.16倍もあるのは、木星は以前、第1世代の星の惑星であったと推察できる。
9.天王星と海王星も第1世代の星の惑星であったかもしれない。
10.中性子星が作った軌道エネルギーのグラフは、距離×軌道エネルギー＝4.265×1017JKｍの反比例のグラフです。
１９．ブラックホールが作る軌道エネルギー＝速度2＝8.185×1018JKｍ÷距離
速度＝(8.185×1018JKｍ÷距離)1/2
ブラックホールが作る軌道引力＝速度4＝(8.185×1018JKｍ÷距離)2
1. 現在水星が存在する軌道の速度は光速以上でした。
2.中性子星が作った5.426×1019Jの軌道引力の軌道に水星ができた。この軌道引力に相当する軌道は、1.107×1020Jで、距離が7.783×108Kmである現在木星が存在する軌道です。
それで、ブラックホールが作った、1.107×1020Jの軌道引力で、距離が7.783×108Kmである現在木星が存在する軌道に、惑星ができたと推察できる。
3. 中性子星が作った1.554×1019Jの軌道引力の軌道に金星ができた。
それで、ブラックホールが作った、3.279×1019J 軌道引力で、距離が14.294×108Kmである現在土星が存在する軌道に、惑星ができたと推察できる。
4.中性子星が作った8.128×1018Jの軌道引力の軌道に地球ができた。
それで、ブラックホールが作った、8.105×1018J 軌道引力で、距離が28.750×108Kmである現在天王星が存在する軌道に、惑星ができたと推察できる。
5.中性子星が作った3.501×1018Jの軌道引力の軌道に火星ができた。
それで、ブラックホールが作った、3.301×1018Jの軌道引力で、距離が45.044×108Kmである現在海王星が存在する軌道に、惑星ができたと推察できる。
6.第1世代の星ができた時代は、10−15ｍの時代であるから、ダークマターである自転する電子のラブのエネルギーは、太陽ができた10−14ｍの時代の10倍のエネルギーであり、密度も10倍であった。それで、同じ引力でもダークマターは集まりやすかったので、惑星はできやすかった。
それで、太陽に惑星ができるよりも、第1世代の星に惑星ができる確立は高い。
7.ブラックホールが作る、距離×軌道エネルギー＝距離×速度2は、中性子星が作る、距離×軌道エネルギー＝距離×速度2の、8.185×1018JKｍ÷(4.265×1017JKｍ)＝19.191倍です。
8.距離が同じ軌道では、ブラックホールが作る軌道エネルギーは、中性子星が作る軌道エネルギーの19.191倍です。
２０．ブラックホールの質量が第1世代の星の1/5質量で、1.6492太陽質量の場合、ブラックホールから出発したジェットは、7.795×109Kmまで届き、この軌道にオルトーの雲を作った。
第1世代の星の“水素の小惑星”は、“核融合反応に点火したジェット”によって、5.909×108Kmの軌道にできた。
２１．しかし、“核融合反応に点火したジェット”が起きた時、ブラックホールのエネルギーはだいぶ小さくなっていた。それで、5.909×108Kmの軌道で、ジェットが当たる所に“水素の小惑星”はできた。
２２．中性子星が作った5.426×1019Jの軌道引力により、水星ができた。
同様に、ブラックホールが作った1.107×1020Jの軌道引力により、“第1世代の木星”ができた。
２３．中性子星が作った1.554×1019Jの軌道引力により、金星ができた。
同様に、ブラックホールが作った3.279×1019Jの軌道引力により、“第1世代の土星ができた。
２４．中性子星が作った8.128×1018Jの軌道引力により、地球ができた。
同様に、ブラックホールが作った8.105×1018Jの軌道引力により、“第1世代の天王星”ができた。
２５．中性子星が作った3.501×1018Jの軌道引力により、火星ができた。
同様に、ブラックホールが作った3.301×1018Jの軌道引力により、“第1世代の海王星”ができた。
２６．
1.“第1世代の木星”と“第1世代の土星”は液体金属水素であった。
2.“第1世代の天王星”と“第1世代の海王星”は液体金属水素であった。
3. “水素の小惑星”とオルトーの雲は金属水素であった。
4.“水素の小惑星”は木星と土星の水素となった。
5.木星の質量は、“第1世代の木星”の質量＋“水素の小惑星”の一部の質量＋第1世代の星でできたガスの質量＝136＋68＋113＝317、でできた。
6.土星の質量は、“第1世代の土星”の質量＋“水素の小惑星”の一部の質量＋第1世代の星でできたガスの質量＝40＋34＋21＝95、でできた。
7.天王星質量は、“第1世代の天王星”の質量＋第1世代の星でできたガスの質量＝9.77＋4.77＝14.54、でできた。
8.海王星の質量は、“第1世代の海王星”の質量＋第1世代の星でできたガスの質量＝3.31＋13.84＝17.15、でできた。
２７．
1.惑星の質量は、軌道引力によってできた事が理解できた。このことから、現在金星、地球、火星が存在する軌道の、第1世代のブラックホールが作る軌道引力では、地球の質量の7000倍から1500倍の質量の惑星ができる。
このような惑星は存在しない。
よって、現在金星、地球、火星が存在する軌道には、金属水素の惑星は存在しなかった。
2.この事から、第1世代の星のブラックホールが作った引力が、5.723×1021J から1.290×1021Jの範囲には惑星ができなかった理由は、その範囲の軌道には物質(1H)が存在しなかったからです。
3. 第1世代の星のブラックホールが作った引力が、5.723×1021J から1.290×1021Jの速度は、2.750×105Kmから1.895×105Kmであり、この速度の軌道には物質(1H)が存在しなかった。
4.速度が2.750×105Kmから1.895×105Kmの軌道の物質(1H)はブラックホールに引きつけられて、第1世代の星になった。
5.光速に近い速度の軌道の物質はブラックホールにひきつけられる。
２８．しかし、考えてみると、引力は、ブラックホールと惑星の間の引力であり、軌道の引力ではない。それで、従来どおり、惑星は軌道エネルギー＝速度2によりできたと考える。第1世代の星の惑星はどの軌道にできたか。
1.軌道エネルギーが第1世代の星の惑星を作った、と考える場合と、軌道引力が第1世代の星の惑星を作った、と考える場合、どちらの考えでも、惑星ができる軌道は同じである。
2.軌道引力は、軌道エネルギー×軌道エネルギーであり、このエネルギーは、磁気の光子のエネルギーですから、軌道の中で引き合う力と理解する事ができ、軌道引力は、軌道の中の引力であると理解できる。
3.軌道引力が惑星を作ったと考えるのは間違いではない。
4.軌道引力＝軌道の磁気の光子のエネルギー×軌道の磁気の光子のエネルギー＝軌道の中の引力＝軌道と中央のブラックホールの間の引力
5.できた第1世代の惑星の質量を考えると、“第1世代の惑星”の質量は、軌道引力で考えた方が妥当である。
２９．
1. 軌道の速度が約2×105Km以上の軌道には、水素や元素が存在しない。
水素や元素が存在しない軌道の速度は約2×105Km以上です。
2. 速度が2×105Kmと成るのは周囲1.35×108×102×n/3Kmの軌道です。(ブラックホールを10n太陽質量とする。)
3. 速度が2×105Kmの軌道の引力は4×1020Jです。
4.軌道引力が4×1020J以上の軌道では、物質は存在しない。
5. 軌道引力が4×1020J以上の軌道の物質は、ブラックホールに引かれて、ブラックホールの周囲に存在する。
6.ブラックホールの引力が星を作った。
３０．
1.光速になる距離は、6×107×102×n/3Km、です。
2.光速になる軌道の引力は、81×1020Jです。
3.半径6×107×102×n/3Kmで、引力が81×1020Jである、光速の軌道では、物質はブラックホールに引かれ、何も存在しない。
4.“ブラックホールの引力の法則”とは、「軌道の速度が2×105Km以上の軌道では、物質はブラックホールに引かれて存在しない。質量が10n太陽質量のブラックホールの場合、半径1.35×108×102×n/3Kmまでの物質は、4×1020Jの引力に引かれて、何も存在しない。」ということです。
勿論、光速の軌道も、この中に含まれます。
5.光速の軌道は、速度が2×105Kmの軌道の0.4444倍の距離です。
３１．シュバルツシルト半径を106Kmとする。ブラックホールを106太陽質量とする。シュバルツシルト半径の軌道の速度は2.3×108Kmで、光速3×105Kmより速い場である。それで、光子はのみ込まれる。
３２．地球の表面の原子数を7.602×1033個とすると、表面の原子数でできる重力加速度は1.031×102Kmです。
３３．地球の重力加速度は9.8Jです。地球の表面の重力加速度を作る原子数は7.225×1032個です。
３４．
1.惑星は、表面の原子の電子のラブの公転軌道が小さく、表面の原子の電子のラブのエネルギーが大きい順に並んでいる。これは、元素の電子のラブの並ぶ順序と同じです。
2.電子のラブの表面に存在する特性X線のエネルギーが大きい電子ほど中央に近い殻に並び、かつ、電子のラブのエネルギーが大きい電子ほど中央に近い殻に並ぶ。
この事から、惑星も電子と同じように、表面の原子の電子のラブのエネルギーの大きい順に中央に近い軌道に並び、かつ惑星のエネルギーの大きい順に並んでいる。
３５．
1.惑星は、表面の原子の電子のラブの公転軌道が小さく、表面の原子の電子のラブのエネルギーが大きい順に並んでいる。これは、元素の電子のラブの並ぶ順序と同じです。
2.惑星の中の原子の電子のラブのエネルギーは、惑星の表面の原子の電子のラブのエネルギーより大きい。
太陽に近い惑星ほど、惑星のエネルギーは大きい。惑星のエネルギーの大きい順に並んでいる。
３６．陽子のラブは、公転軌道が5.777×10−14ｍの軌道に存在する。
中性子は、公転軌道が3×10−14ｍの軌道に存在する。
太陽の中心は、公転軌道が2.645×10−15ｍです。
太陽の中心には、中性子が束になって存在する。
よって、太陽の中心には中性子より存在できない。
３７．太陽の中心には、中性子が11個存在できる。
・太陽が爆発後、中性子が11個は、何の元素になるか。
太陽が爆発後、中性子が11個は、中性子が6個、陽子のラブが5個、電子のラブが5個となる。これは、原子番号が５であるBになる。よって、太陽が爆発すると、He、Li、Be、Bができる。
３８．太陽質量の8倍以上の星が超新星爆発すると、中性子星ができる。この事は、太陽質量の8倍以上の星の中心には、中性子より存在できない事を証明する。
３９．ビッグバンの以前の球体はどのようであったか。
表1
2009201352.tif 000003
４０．ビッグバンがおきた原因は、時間と共に、陽子のラブと電子のラブのエネルギーは減少し、自転軌道が大きくなりました。陽子のラブと電子のラブの自転でできる磁気の光子のエネルギーは小さくなりました。それで、結合力が弱まり、球体は大きくなった。ついに球体は爆発した。
４１．銀河系と原子の相似性。
表2
2009201352.tif 000004
【図面の簡単な説明】
【００１０】
【図１】宇宙の軌道エネルギーとは、中央の軌道エネルギーが作る軌道に於けるエネルギーです。(図1)太陽が作る惑星の軌道エネルギーの式はどのような事を意味するのか。軌道のエネルギー＝中央のエネルギー×2×105Km÷軌道＝太陽の表面の原子数×1原子が作る1個の光子のエネルギー×2×105Km÷軌道＝1.325×1037個×10−31J×105Km÷距離＝1.325×1011J・Km÷距離(図2)銀河系の中央のブラックホールの質量が太陽質量の10n倍である場合、ブラックホールが作る星の軌道エネルギーの式はどのような事を意味するのか。軌道のエネルギー＝中央のエネルギー×2×105Km÷軌道＝ブラックホールの表面の原子数×1原子が作る1個の光子のエネルギー×2×105Km÷軌道＝5.471×1038×102n/3個×10ー25Ｊ×2×105Ｋｍ÷（距離×2）＝5.471×1018+2n/3ＪＫｍ÷距離(図3)星ができる時、中性子星の質量が太陽質量の10n倍である場合、中性子星が作る軌道エネルギーの式はどのようであるか。どのような事を意味するのか。軌道のエネルギー＝中央のエネルギー×2×105Km÷軌道＝中性子星の表面の原子数×1原子が作る1個の光子のエネルギー×2×105Km÷軌道＝5.438×1038×102ｎ/3個×2.294×10−26J×105Km÷距離＝1.247×1018×102ｎ/3JKｍ÷距離(図4)地球が作る月の軌道エネルギーの式はどのようであるか。どのような事を意味するのか。軌道のエネルギー＝中央のエネルギー×2×105Km÷軌道＝地球の表面の原子数×1原子が作る1個の光子のエネルギー×2×105Km÷軌道＝1.043×1035個×4.444×10−35J ×2×105Ｋｍ÷（距離×2）＝4.635×105J・Km÷距離
【図２】オルトーの雲と“水素の惑星”はどのようにできたかを示す。(図1)オルトーの雲はどのようにできたか。ブラックホールの質量が第1世代の星の質量(8.246太陽質量)の1/5で、1.6492太陽質量の場合、ブラックホールのAはいくらか。ブラックホールの質量は、8.246太陽質量÷5＝1.6492太陽質量＝100.2172太陽質量、です。ブラックホールのA=4.325×104×ブラックホールの質量1/3＝4.325×104×100.2172/3=4.325×104×100.0724=4.325×104×1.181=5.108×104ブラックホールの質量が1.6492×太陽質量の場合、このブラックホールのAは、5.108×104、です。それで、このブラックホールから噴出するジェットが届く距離は、ジェットが届く距離＝太陽の半径×849×ブラックホールのA÷太陽の中心のA＝6.96×105Km×849×5.108×104÷(3.872×103)＝7.795×109Km。ブラックホールから出発したジェットは、7.795×109Kmまで届き、この軌道にオルトーの雲を作った。このオルトーの雲は、現在、軌道の距離を10倍にし、約7.795×1010Kmの軌道に存在する。(図2)第1世代の星の“水素の小惑星”はどのようにできたか。第1世代の星の“水素の小惑星”は、“核融合反応に点火したジェット”によってできた。“核融合反応に点火した場”のAは、太陽の中心のA＝核融合反応の場のAに等しい。ジェットが届く距離＝太陽の半径×849×A÷太陽の中心のA＝太陽の半径×849＝6.96×105Km×849＝5.909×108Km。第1世代の星の“水素の小惑星”は、“核融合反応に点火したジェット”によって、5.909×108Kmの軌道にできた。
【図３】第１世代の星の惑星ができた軌道の軌道エネルギーと速度と軌道引力。第1世代の星の質量(8.246太陽質量)の1/5がブラックホールの質量であったとすると、1.6492太陽質量のブラックホールが作る軌道エネルギーと速度と軌道引力。ブラックホールが作る軌道エネルギー＝速度2＝8.185×1018JKｍ÷距離速度＝(8.185×1018JKｍ÷距離)1/2ブラックホールが作る軌道引力＝速度4＝(8.185×1018JKｍ÷距離)2＝軌道エネルギー2“第1世代の木星”は、軌道エネルギーが1.052×1010Jで、速度が1.026×105Kmで、軌道引力が1.107×1020Jである、7.783×108Kmの軌道にできた。“第1世代の土星”は、軌道エネルギーが5.726×109Jで、速度が7.567×104Kmで、軌道引力が3.279×1019J である、14.294×108Kmの軌道にできた。“第1世代の天王星”は、軌道エネルギーが2.847×109Jで、速度が5.336×104Kmで、軌道引力が8.105×1018Jである、28.750×108Kmの軌道にできた。“第1世代の海王星”は、軌道エネルギーが2.847×109Jで、速度が4.263×104Kmで、軌道引力が8.105×1018Jである、45.044×108Kmの軌道にできた。第1世代の惑星ができなかった軌道の範囲は、ブラックホールが作った速度が3.760×105Km で、距離が0.579×108Kmの軌道から、ブラックホールが作った速度が1.895×105Kmで、距離が2.279×108Kmの軌道まで。
【図４】(図1)ビッグバンの以前の球体を示す。ビッグバンの外側の電子のラブのエネルギーを１Jとする。電子のラブは、3.416×10−31mの自転軌道で自転し、1自転で1.789×10−26Jの磁気の光子1個を作っている。ビッグバンの球体の中央には、陽子のラブが、エネルギーが1.832×103Jで、3.424×10−31mの自転軌道で自転し、1自転で、3.274×10−23Jの磁気の光子１個を作っている。そのため、強力な磁気で陽子のラブはしっかり結合されている。磁気の光子は球体から放射されている。これが背景放射になっている。(図2)ビッグバンがおきた理由電子のラブのエネルギーは次第に弱まり、自転軌道は大きくなった。磁気の光子1個のエネルギーは小さくな理、引力は小さくなった。陽子のラブのエネルギーは次第に弱まり、自転軌道は大きくなった。磁気の光子1個のエネルギーは小さくなり、引力は小さくなった。それで、球体は次第に大きくなり、爆発した。これがビッグバンです。
【図５】「ブラックホールの引力の法則」ブラックホールの周囲の軌道の速度が2×105Km以上の場合、周囲には何も存在しない。その周囲の物質はブラックホールに引かれるためです。“ブラックホールの引力の法則”とは、「ブラックホールの周囲の軌道の速度が2×105Km以上の場合、周囲には何も存在しない。ブラックホールの質量が10n太陽質量のとき、ブラックホールから、半径3.15×108Km×102×n/3までの物質は、16×1020Jの引力に引かれるので、この空間には何も存在しない。」事です。
【発明を実施するための形態】
【００１１】
１．  宇宙の軌道エネルギーとは何か。
宇宙の軌道エネルギーとは中央の軌道エネルギーが作る軌道に於けるエネルギーです。
その一般式は、
中央のエネルギー×2×105Km÷軌道＝中央の物体の表面の原子数×出発する光子1個のエネルギー×105Km÷距離、です。
2×105は“見かけ上の(軌道エネルギー)に換算する定数”です。
２．  太陽が作る惑星の軌道エネルギーの式はどのような事を意味するのか。
(私は、2008年1月4日に提出した、特願2008−23309の「請求項6」で、
惑星の軌道エネルギー＝太陽から出発した1個の光子が届くエネルギー×太陽から出発する光子の数＝10−31J×105Km÷距離×1.325×1037個＝10−26Ｊ・Km÷距離×1.325×1037個＝1.325×1011J・Km÷距離
惑星の軌道エネルギーの式＝1.325×1011J・Km÷距離、とした。)
この意味する事は次のようです。
中央のエネルギー＝太陽の表面の原子数×1原子が作る1個の光子のエネルギー
軌道のエネルギー＝中央のエネルギー×2×105Km÷軌道＝太陽の表面の原子数×1原子が作る1個の光子のエネルギー×2×105Km÷軌道＝1.325×1037個×10−31J×105Km÷距離＝1.325×1011J・Km÷距離
３．  銀河系の中央のブラックホールの質量が太陽質量の10n倍である場合、ブラックホールが作る星の軌道エネルギーの式はどのような事を意味するのか。
(私は、2008年1月4日に提出した、特願2008−23309の「請求項17」で、
ブラックホールの表面に存在する原子数は、5.438×1038×102ｎ/3個です。
・届く1個の光子のエネルギーはいくらか。
ブラックホールから出発する1個の光子のエネルギーは、10−25Ｊですから、届く1個の光子のエネルギーは、
10−25Ｊ×2×105Ｋｍ÷（距離×2）＝10−20ＪＫｍ÷距離です。
届く1個の光子のエネルギーは、10−20ＪＫｍ÷距離です。
・星の軌道エネルギーの式はいくらか。
星の軌道エネルギー＝光子の数×届く1個の光子のエネルギー＝ブラックホールの表面に存在する原子数×届く1個の光子のエネルギー＝5.471×1038×102ｎ/3個×10−20Ｊ・Ｋｍ÷距離＝5.471×1018＋2ｎ/3Ｊ・Ｋｍ÷距離
星の軌道エネルギーの式は、5.471×1018＋2ｎ/3ＪＫｍ÷距離です。とした。)
この意味する事は次のようです。
中央のエネルギー＝ブラックホールの表面の原子数×1原子が作る1個の光子のエネルギー
軌道のエネルギー＝中央のエネルギー×2×105Km÷軌道＝ブラックホールの表面の原子数×1原子が作る1個の光子のエネルギー×2×105Km÷軌道＝5.471×1038×102n/3個×10ー25Ｊ×2×105Ｋｍ÷（距離×2）＝5.471×1018+2n/3ＪＫｍ÷距離
ブラックホールが作る星の軌道エネルギーの式は、5.471×1018+2n/3ＪＫｍ÷距離、です。
４．  星ができる時、中性子星の質量が太陽質量の10n倍である場合、中性子星が作る軌道エネルギーの式はどのようであるか。どのような事を意味するのか。
(2008年1月4日に提出した、特願2008−23309の「請求項17」と同じように考える。)
・中性子星の半径に何個の原子が存在するか。
中性子星の原子数は、
10ｎ×6×1026個×1.989×1030Kg＝1.193×10ｎ＋57個です。
半径にｘ個の原子が存在するとする。
4π÷3×ｘ3＝1.193×10ｎ＋57個
ｘ3＝1.193×3÷４π×10ｎ＋57個
ｘ3＝285×10ｎ＋54個
ｘ＝（285×10ｎ＋54個）1/3=6.58×1018×10ｎ/3個
中性子星の半径に、6.58×1018×10ｎ/3個の原子が存在する。
・中性子星の半径はいくらか。
中性子星の半径＝原子1個の大きさ×半径の原子数＝1.058×10−10ｍ÷中性子星のA×6.58×1018×10ｎ/3個＝1.058×10−10ｍ÷(1.968×105)×6.58×1018×10ｎ/3個=5.376×10−16ｍ×6.58×1018×10ｎ/3個＝3.537×103×10ｎ/3ｍ＝3.537×10ｎ/3Km
中性子星の半径は、3.537×10ｎ/3Kmです。
・中性子星の表面に存在する原子数はいくらか。
4π×（6.58×1018×10ｎ/3個）2＝5.438×1038×102ｎ/3個
中性子星の表面に存在する原子数は、5.438×1038×102ｎ/3個です。
・中性子星の表面の1原子が作る1個の光子のエネルギーはいくらか。
中性子星の表面の1原子が作る1個の光子の軌道は、
1.058×10−10ｍ÷中性子星のA＝1.058×10−10ｍ÷(1.968×105)＝5.376×10−16ｍ
中性子星の表面の1原子が作る1個の光子のエネルギーは、
1.233×10−41Jm÷(5.376×10−16ｍ)＝2.294×10−26J
中性子星の表面の1原子が作る1個の光子のエネルギーは、2.294×10−26Jです。
・中性子星が作る軌道エネルギーの式はどのようであるか。どのような事を意味するのか。。
中央のエネルギー＝中性子星の表面の原子数×1原子が作る1個の光子のエネルギー
軌道のエネルギー＝中央のエネルギー×2×105Km÷軌道＝中性子星の表面の原子数×1原子が作る1個の光子のエネルギー×2×105Km÷軌道＝5.438×1038×102ｎ/3個×2.294×10−26J×105Km÷距離＝1.247×1018×102ｎ/3JKｍ÷距離
中性子星が作る軌道エネルギーの式は1.247×1018×102ｎ/3 JKｍ÷距離です。
中性子星が作る軌道エネルギーの式は、中央の中性子星が作る軌道に於けるエネルギーです。  
５．  地球が作る月の軌道エネルギーの式はどのようであるか。どのような事を意味するのか。
(私は、2008年1月4日に提出した、特願2008−23309の「請求項18」で、
地球の表面の原子数は、
4π×（9.111×1016)2＝4×3.14×（9.111×1016個）2＝1.043×1035個です。
この原子から光子が常に放出している。
地球発の光子は青色とする。
青色の波長は、4.5×10−7ｍですから、軌道は、4.5×10−7ｍ÷2＝2.25×10−7ｍです。
エネルギーは、10−41Jm÷（2.25×10−7ｍ）＝4.444×10−35Jです。
届く光子のエネルギーは、4.444×10−35J×105Km÷距離＝4.444×10−30J・Kｍ÷距離です。
月の軌道エネルギーの式は、
月の軌道エネルギー＝光子の数×届く1個の光子のエネルギー＝地球の表面の原子数×届く1個の光子のエネルギー＝1.043×1035個×4.444×10−30J・Km÷距離＝4.635×105J・Km÷距離です。
月の軌道エネルギーの式は4.635×105J・Km÷距離です。とした。)
この意味する事は次のようです。
中央のエネルギー＝地球の表面の原子数×1原子が作る1個の光子のエネルギー
軌道のエネルギー＝中央のエネルギー×2×105Km÷軌道＝地球の表面の原子数×1原子が作る1個の光子のエネルギー×2×105Km÷軌道＝1.043×1035個×4.444×10−35J ×2×105Ｋｍ÷（距離×2）＝4.635×105J・Km÷距離
６．  惑星の表面の原子数が7.602×1033個である場合、太陽から惑星に届く軌道エネルギーと惑星の軌道エネルギーは等しい。
7.602×1033個÷惑星の表面の原子数(特願2008−268538、「宇宙11」の「請求項11」で求めた、惑星の表面の原子数の値)
水星。
7.602×1033個÷(1.699×1034個)＝4.473×10−1
金星。
7.602×1033個÷(9.900×1034個)＝7.679×10−2
地球。
7.602×1033個÷(1.138×1035個)＝6.680×10−2
火星。
7.602×1033個÷(2.574×1034個)＝2.953×10−1
木星。
7.602×1033個÷(5.541×1036個)＝1.372×10−3
土星。
7.602×1033個÷(2.539×1036個)＝2.993×10−3
天王星。
7.602×1033個÷(6.909×1035個)＝1.100×10−2
海王星。
7.602×1033個÷(6.101×1035個)＝1.246×10−2
・地球の値、7.602×1033個÷(1.138×1035個)＝6.680×10−2、を1とすると、惑星の値はいくらか。
水星：金星：地球：火星：木星：土星：天王星：海王星＝4.473×10−1：7.679×10−2：6.680×10−2：2.953×10−1：1.372×10−3：2.993×10−3：1.100×10−2：1.246×10−2＝6.7：1.15：1：4.4：0.02：0.045：0.165：0.19
水星、金星、地球、火星は固体です。
木星、土星はガス体です。
天王星、海王星は水の氷です。
表に示す。
7.6×1033個÷惑星の表面の原子数
表3
2009201352.tif 000005
この事によって理解できる事。
1.惑星は、表面の原子数が同数になるようにできた。
2.太陽が作る軌道エネルギーと同じ軌道エネルギーを持つ惑星ができた。
3.惑星は惑星が存在する軌道エネルギーにより作られた。
4.軌道エネルギー＝速度2ですから、惑星は速度2によりできた。
5.惑星は、速度2になるようにできた。
6.小惑星は、惑星ができた時には、もうすでに、出来上がっていたので、そのままです。
７．  我々は、太陽から光子を受けている。この光子のエネルギーを計算する式はどのようであるか。惑星にたどり着く電気の光子1個のエネルギー＝太陽を出発する電気の光子1個のエネルギー×見かけ上に換算する定数÷距離、の式を再考する。
太陽の表面1kmでは、温度は4.3×103K＝4.3×103℃です。
太陽の表面のA=(4.3×103℃)1/2=6.55×10
電子のラブの公転軌道は、1.058×10−10ｍ÷(6.557×10)＝1.614×10−12ｍ、です。
この電子のラブが1公転で作る電気の光子1個のエネルギーは、1.233×10−41Jm÷(1.614×10−12ｍ)＝7.639×10−30J
太陽の表面１Kmでできる電気の光子1個のエネルギーは、7.639×10−30Jです。
このエネルギーを太陽を出発するエネルギーとする。
・惑星にたどり着く電気の光子のエネルギーを計算する式はどのようであるか。
惑星にたどり着く電気の光子1個のエネルギー＝太陽を出発する電気の光子1個のエネルギー×見かけ上に換算する定数÷距離＝7.639×10−30J×見かけ上に換算する定数÷距離
１．太陽から届く光子を輻射量とする場合。
輻射熱1/2＝1.743×10−23JKm÷距離(この式は、2008年10月17日に提出した、特願2008−268538．「宇宙11」の「請求項16」に記した。)
輻射熱1/2＝1.743×10−23JKm÷距離＝7.639×10−30J×見かけ上に換算する定数÷距離。
見かけ上に換算する定数＝1.743×10−23JKm÷(7.639×10−30J)＝2.282×106Km
よって、受ける光子を輻射量1/2とする場合、見かけ上に換算する定数は、2.282×106Kmです。
惑星にたどり着く輻射量1/2＝太陽を出発する電気の光子のエネルギー×見かけ上に換算する定数÷距離＝7.639×10−30J×2.282×106Km÷距離＝1.743×10−23JKm÷距離
２．太陽から届く光子を可視光とする場合。
地球において、届く光子を6.68×10−35Jの可視光とする場合。
地球において、
届く光子1個のエネルギー＝7.639×10−30J×見かけ上に換算する定数÷距離
6.68×10−35J＝7.639×10−30J×見かけ上に換算する定数÷(1.496×108Km)
見かけ上に換算する定数＝6.68×10−35J÷(7.639×10−30J)×1.496×108Km＝1.308×103Km
よって、地球において、届く光子を6.68×10−35Jの可視光とする場合、見かけ上に換算する定数は、1.308×103Kmです。
惑星にたどり着く光子1個のエネルギー＝太陽を出発する電気の光子1個のエネルギー×見かけ上に換算する定数÷距離＝7.639×10−30J×1.308×103Km÷距離＝10−26JKm÷距離
この事を表に示す。
表4
2009201352.tif 000006
この事によって理解できる事。
1.私は、太陽から出発する電気の光子1個のエネルギーを10−31Jとし、たどり着く電気の光子1個のエネルギーを可視光としているので、“見かけ上に換算する定数”は105Kmです。
10−31J×105÷距離＝10−31J×105Km÷(1.496×108Km)＝6.68×10−35J
この軌道は、1.233×10−41Jm÷(6.68×10−35J)＝1.846×10−7ｍ。
この波長は、1.846×10−7ｍ×2＝3.692×10−7ｍ。可視光は3.3×10−7ｍから、7.7×10−7ｍですから、大きいエネルギーが届いているとした。
2.太陽を出発する電気の光子1個のエネルギーを7.639×10−30J とし、たどり着く電気の光子のエネルギーを輻射熱とすると、“見かけ上に換算する定数”は2.282×106Kmです。
3. 太陽を出発する電気の光子1個のエネルギーを7.639×10−30J とし、地球にたどり着く電気の光子1個のエネルギーを6.68×10−35Jとすると、“見かけ上に換算する定数”は1.308×103Kmです。
4.よって、太陽から出発する光子のエネルギーや、たどり着く光子の種類やエネルギーにより、“見かけ上に換算する定数”は異なる。
5.このように、届く光子1個のエネルギーは、出発する光子1個のエネルギー×見かけ上に換算する定数÷距離、の式で計算できる。
８．  遠くの星や銀河やクエーサーからやってくる光子が可視光として届くのはどうしてか。
遠くの星や銀河やクエーサーの光子ほど高エネルギーの場に存在するので、高エネルギーです。高エネルギーで出発するから、たくさんの距離を走っても、可視光で届く。
それで、光子は走っているうちにエネルギーを減少させる、ということが公理になる。
光子はどれくらい走ってどれ位エネルギーを減少させるのかについては、太陽の場合を考えると、
出発する光子1個のエネルギー×“見かけ上に換算する定数”÷走る距離＝届く光子1個のエネルギー、の式が成立する。
９．  太陽から受ける輻射量が、惑星の表面の1原子が1公転で作る電気の光子のエネルギーになるとする。太陽から受ける輻射量から計算した、惑星の表面の1原子が1公転で作る電気の光子のエネルギーの計算式と、惑星の表面の1原子が1秒間に作る電気の光子のエネルギーの計算式はどのようであるか。
太陽から受ける輻射量から計算した、惑星の表面の1原子が1公転で作る電気の光子のエネルギー＝1.233×10−41Jm÷(1.058×10−10ｍ÷輻射量1/2)=1.165×10−31×輻射量1/2
太陽から受ける輻射量から計算した、惑星の表面の1原子が1秒間に作る電気の光子のエネルギー＝1原子が1公転で作る電気の光子のエネルギー×1秒間の公転数＝1.165×10−31×輻射量1/2×(7.96×107)
2回＝1.165×10−31×輻射量1/2×6.336×1015回＝7.381×10−16J×輻射量1/2
１０．  惑星の表面の原子数が7.602×1033個である場合、惑星の軌道エネルギーと太陽から惑星に届く軌道エネルギーは等しい。この事を証明する。
この事を証明するには、惑星の軌道エネルギー＝太陽から惑星に届く軌道エネルギー、とし、輻射量1/2を求める式を作り、求めた輻射量がデーターと同じであるなら、惑星の軌道エネルギー＝太陽から惑星に届く軌道エネルギー、の式は成立する。
・輻射量1/2はどのような式で求められるか。
(私は、この事について、2008年10月17日に提出した、特願2008−268538の「請求項20」に記した。)
惑星の軌道のエネルギー＝太陽から受ける輻射熱から計算した1原子が1公転で作る電気の光子のエネルギー×惑星の表面の原子数＝1.233×10−41Jm÷｛1.058×10−10m÷輻射量1/2)×7.602×1033個＝8.859×102×輻射量1/2
太陽が作る惑星の軌道エネルギー=惑星の軌道のエネルギー
1.325×1011J・Km÷距離＝8.859×102×輻射量1/2
輻射量1/2＝1.325×1011J・Km÷距離÷(8.859×102)
輻射量1/2は、
輻射量1/2＝1.325×1011J・Km÷距離÷(8.859×102)＝1.496×108J・Km÷距離、の式で求められる。
輻射量1/2＝1.496×108J・Km÷距離
この式により、輻射量を算出する。
水星。
輻射量1/2＝1.496×108J・Km÷距離＝1.496×108J・Km÷(0.579×108Km)＝2.584
輻射量＝2.5842=6.677
金星。
輻射量1/2＝1.496×108J・Km÷距離＝1.496×108J・Km÷(1.082×108Km)＝1.383
輻射量＝1.3832=1.912
地球。
輻射量1/2＝1.496×108J・Km÷距離＝1.496×108J・Km÷(1.496×108Km)＝1
輻射量＝1
火星。
輻射量1/2＝1.496×108J・Km÷距離＝1.496×108J・Km÷(2.279×108Km)＝0.656
輻射量＝0.6562=0.431
木星。
輻射量1/2＝1.496×108J・Km÷距離＝1.496×108J・Km÷(7.783×108Km)＝0.192
輻射量＝0.1922=0.369
土星。
輻射量1/2＝1.496×108J・Km÷距離＝1.496×108J・Km÷(14.294×108Km)＝0.105
輻射量＝0.1052=0.011
天王星。
輻射量1/2＝1.496×108J・Km÷距離＝1.496×108J・Km÷(28.750×108Km)＝0.052
輻射量＝0.0522=0.0027
海王星。
輻射量1/2＝1.496×108J・Km÷距離＝1.496×108J・Km÷(45.044×108Km)＝0.0332
輻射量＝0.03322=0.0011
これによって理解できる事。
輻射量1/2＝1.496×108J・Km÷距離、の式により求めた輻射量はデーターの値と等しい。
この事は、惑星の表面の原子数が7.602×1033個である場合、惑星の軌道エネルギーと太陽から惑星に届く軌道エネルギーは等しい事を証明する。
１１．  惑星の表面の原子数を、7.602×1033個とすると、輻射量が作る惑星のエネルギーはいくらか。届く光子1個のエネルギー＝出発する光子1個のエネルギー×105Km÷距離が成立する事の再考察。
(私は、この事について、2008年10月17日に提出した、特願2008−268538の「請求項15」に記した。)  今回は、惑星の表面の原子数を、7.602×1033個とする。
表面の原子でできる軌道エネルギー
＝表面の原子数×1個の原子が1公転で作る電気の光子1個のエネルギー
＝7.602×1033個×｛1.233×10−41J・m÷(1.058×10−10ｍ÷輻射量1/2)｝
=8.859×102×輻射量1/2
水星。
水星の表面の原子でできる軌道エネルギー＝8.859×102×輻射量1/2＝8.859×102×6.671/2＝8.859×102×2.583＝2.288×103
金星。
金星の表面の原子でできる軌道エネルギー＝8.859×102×輻射量1/2＝8.859×102×1.911/2＝8.859×102×1.382＝1.224×103
地球。
地球の表面の原子でできる軌道エネルギー＝8.859×102×輻射量1/2＝8.859×102×1＝8.859×102
火星。
火星の表面の原子でできる軌道エネルギー＝8.859×102×輻射量1/2＝8.859×102×0.431/2＝8.859×102×0.656＝5.809×102
木星。
木星の表面の原子でできる軌道エネルギー＝8.859×102×輻射量1/2＝8.859×102×0.0371/2＝8.859×102×0.192＝1.704×102
土星。
土星の表面の原子でできる軌道エネルギー＝8.859×102×輻射量1/2＝8.859×102×0.0111/2＝8.859×102×0.105＝9.291×10
天王星。
天王星の表面の原子でできる軌道エネルギー＝8.859×102×輻射量1/2＝8.859×102×0.00271/2＝8.859×102×0.05196＝4.603×10
海王星。
海王星の表面の原子でできる軌道エネルギー＝8.859×102×輻射量1/2＝8.859×102×0.00111/2＝8.859×102×0.033＝2.938×10
この事を表に示す。
表5
2009201352.tif 000007
この事によって理解できる事。
1.惑星の表面の原子数を、7.602×1033個とすると、輻射量から計算する、惑星の表面でできる軌道エネルギー＝8.859×102×輻射量1/2＝太陽の表面の原子数(1.325×1037個)×太陽から出発する光子1個のエネルギー(10−31J)×105Km÷距離＝1.325×1011J・Km÷距離＝太陽から受ける軌道のエネルギー＝軌道エネルギー＝公転速度2、の式が成立する。
2.輻射量から計算する軌道エネルギーと、従来考えてきた、届く光子1個のエネルギー＝出発する光子1個のエネルギー×105Km÷距離、の式で計算する軌道エネルギーは等しい値になるので、従来考えてきた式は正しい。
１２．  太陽から出発する１個の光子のエネルギーを10−31Jとすると、届くエネルギーは、10−31J×105Km÷距離、です。このエネルギーと輻射量の関係はどのようであるか。
・太陽から届く光子1個のエネルギーはいくらか。
太陽から届く光子1個のエネルギー＝10−31J×105Km÷距離＝10−26ＪＫm÷距離
水星。10−26ＪＫm÷（0.579×108Ｋm）=1.727×10−34Ｊ
金星。10−26ＪＫm÷（1.082×108Ｋm）=9.728×10−35Ｊ
地球。10−26ＪＫm÷（1.496×108Ｋm）=6.684×10−35Ｊ
火星。10−26ＪＫm÷（2.279×108Ｋm）=4.388×10−35Ｊ
木星。10−26ＪＫm÷（7.783×108Ｋm）=1.285×10−35Ｊ
土星。10−26ＪＫm÷（14.294×108Ｋm）=6.996×10−36Ｊ
天王星。10−26ＪＫm÷（28.750×108Ｋm）=3.478×10−36Ｊ
海王星。10−26ＪＫm÷（45.044×108Ｋm）=2.220×10−36Ｊ
・輻射量でできる電気の光子のエネルギーはいくらか。
輻射量でできる電気の光子のエネルギー＝1.233×10−41J・m÷(1.058×10−10ｍ÷輻射量1/2)＝1.165×10−31J×輻射量1/2
水星。1.165×10−31J×輻射量1/2＝1.165×10−31J×6.671/2＝1.165×10−31J×2.583＝3.009×10−31J
金星。1.165×10−31J×輻射量1/2＝1.165×10−31J×1.911/2＝1.165×10−31J×1.382＝1.610×10−31J
地球。1.165×10−31J×輻射量1/2＝1.165×10−31J×11/2＝1.165×10−31J
火星。1.165×10−31J×輻射量1/2＝1.165×10−31J×0.431/2＝1.165×10−31J×0.656＝7.639×10−32J
木星。1.165×10−31J×輻射量1/2＝1.165×10−31J×0.0371/2＝1.165×10−31J×0.192＝2.241×10−32J
土星。1.165×10−31J×輻射量1/2＝1.165×10−31J×0.011/2＝1.165×10−31J×0.1049＝1.222×10−32J
天王星。1.165×10−31J×輻射量1/2＝1.165×10−31J×0.00271/2＝1.165×10−31J×0.05196＝6.054×10−33J
海王星。1.165×10−31J×輻射量1/2＝1.165×10−31J×0.00111/2＝1.165×10−31J×0.03317＝3.864×10−33J
・輻射量でできる光子のエネルギーは、太陽から届く光子1個のエネルギーの何倍か。
水星。3.009×10−31J÷(1.727×10−34Ｊ)＝1.742×103倍
金星。1.610×10−31J÷(9.728×10−35Ｊ)＝1.655×103倍
地球。1.165×10−31J÷(6.684×10−35Ｊ)＝1.743×103倍
火星。7.639×10−32J÷(4.388×10−35Ｊ)＝1.741×103倍
木星。2.241×10−32J÷(1.285×10−35Ｊ)＝1.744×103倍
土星。1.222×10−32J÷(6.996×10−36Ｊ)＝1.747×103倍
天王星。6.054×10−33J÷(3.478×10−36Ｊ)＝1.741×103倍
海王星。3.864×10−33J÷(2.220×10−36Ｊ)＝1.741×103倍
この事によって理解できる事。
太陽から届く光子1個のエネギーと輻射量の関係は、輻射量でできる光子のエネルギーは、太陽から届く光子1個のエネルギーの1.741×103倍です。
１３．  輻射量1/2の電気の光子は何個の電気の光子であるか。
輻射熱は、波長が2×2.066×10−5ｍの赤外線の光子である。
(この事ついて、私は、2007年2月18日に提出した、特願2007−67506、「引力と熱」の「請求項7」に記した。)
熱になる赤外線１個のエネルギーは、
1.233×10−41Jm÷(2.064×10−5ｍ)＝5.974×10−37J、です。
輻射量1/2の電気の光子の数＝輻射量1/2の電気の光子のエネルギー÷熱となる電気の光子1個のエネルギー＝輻射量1/2のエネルギー÷(5.974×10−37J)
水星。
輻射量1/2の電気の光子の数＝輻射量1/2のエネルギー÷(5.974×10−37J)＝3.009×10−31J÷(5.974×10−37J)＝5.037×105(個)
金星。
輻射量1/2の電気の光子の数＝輻射量1/2のエネルギー÷(5.974×10−37J)＝1.610×10−31J÷(5.974×10−37J)＝2.695×105(個)
地球。
輻射量1/2の電気の光子の数＝輻射量1/2のエネルギー÷(5.974×10−37J)＝1.165×10−31J ÷(5.974×10−37J)＝1.950×105(個)
火星。
輻射量1/2の電気の光子の数＝輻射量1/2のエネルギー÷(5.974×10−37J)＝7.639×10−32J÷(5.974×10−37J)＝1.279×105(個)
木星。
輻射量1/2の電気の光子の数＝輻射量1/2のエネルギー÷(5.974×10−37J)＝2.241×10−32J÷(5.974×10−37J)＝3.751×104(個)
土星。
輻射量1/2の電気の光子の数＝輻射量1/2のエネルギー÷(5.974×10−37J)＝1.222×10−32J ÷(5.974×10−37J)＝2.046×104(個)
天王星。
輻射量1/2の電気の光子の数＝輻射量1/2のエネルギー÷(5.974×10−37J)＝6.054×10−33J ÷(5.974×10−37J)＝1.013×104(個)
海王星。
輻射量1/2の電気の光子の数＝輻射量1/2のエネルギー÷(5.974×10−37J)＝3.864×10−33J  ÷(5.974×10−37J)＝6.468×103(個)
この事から理解できる事。
1.熱になる赤外線は、同じ軌道の赤外線であるから、この赤外線の軌道を2.064×10−5ｍとすると、太陽から離れている惑星ほど、輻射量を作っている電気の光子の数は減少している。
・  惑星の輻射量1/2のエネルギーと、輻射量1/2の電気の光子の数の関係はどのようであるか。
輻射量1/2のエネルギー＝輻射量1/2の電気の光子のエネルギー＝輻射量1/2の磁気の光子のエネルギー
水星。
輻射量1/2のエネルギー：輻射量1/2の電気の光子の数＝3.009×10−31J：5.037×105個＝5.973×10−37J：１個
金星。
輻射量1/2のエネルギー：輻射量1/2の電気の光子の数＝1.610×10−31J：2.695×105個＝5.974×10−37J：1個
地球。
輻射量1/2のエネルギー：輻射量1/2の電気の光子の数＝1.165×10−31J：1.950×105個＝5.974×10−37J：1個
火星。
輻射量1/2のエネルギー：輻射量1/2の電気の光子の数＝7.639×10−32J：1.279×105個＝5.973×10−37J：1個
木星。
輻射量1/2のエネルギー：輻射量1/2の電気の光子の数＝2.241×10−32J：3.751×104個＝5.974×10−37J：1個
土星。
輻射量1/2のエネルギー：輻射量1/2の電気の光子の数＝1.222×10−32J：2.046×104個＝5.973×10−37J：1個
天王星。
輻射量1/2のエネルギー：輻射量1/2の電気の光子の数＝6.054×10−33J：1.013×104個＝5.976×10−37J：1個
海王星。
輻射量1/2のエネルギー：輻射量1/2の電気の光子の数＝3.864×10−33J：6.468×103個＝5.974×10−37J：1個
このことは、赤外線1個の軌道を2.064×10−5ｍとし、エネルギーを5.974×10−37Jとしたからです。
これを表に示す。
表6
2009201352.tif 000008
１４．  宇宙の速度について。
速度2は、軌道エネルギーです。
１．惑星の(太陽系の)軌道の速度について。
太陽が作る惑星の軌道エネルギーは速度2になる。そして、輻射量でできる惑星のエネルギーも惑星の軌道の速度2になる、ことを示す。
太陽が作る惑星の軌道エネルギー=1.325×1011J・Km÷距離＝惑星のエネルギー＝8.859×102×輻射量1/2＝速度2
２．星(銀河系)の軌道の速度について。ブラックホールが作る軌道の速度。
星の軌道エネルギー＝5.471×1018＋2ｎ/3ＪＫｍ÷距離
公転速度2＝星の軌道エネルギー＝5.471×1018＋2ｎ/3ＪＫｍ÷距離
螺旋回転速度2＝公転速度2×79.7＝5.471×1018＋2ｎ/3ＪＫｍ÷距離×79.7＝4.360×1020＋2ｎ/3ＪＫｍ÷距離
３．中性子星の軌道の速度について。(中性子星が作る軌道エネルギーについては、「請求項4」に記した。)
・中性子星が作る軌道(惑星ができる軌道)の速度はいくらか。
中性子星が作る速度2＝軌道のエネルギー＝1.247×1018＋2ｎ/3ＪＫｍ÷距離
速度＝（1.247×1018＋2ｎ/3ＪＫｍ÷距離）1/2
１５．  宇宙の引力はどのようであるか。
軌道エネルギーは、電気の光子のエネルギーであり、磁気の光子のエネルギーです。(この事については、2008年10月17日に提出した、特願2008−268538、の「請求項22」に記した。)
引力は磁気の光子のエネルギーによってできる。
引力の軌道エネルギーは磁気の光子の軌道エネルギーです。
太陽と惑星の間の引力は、太陽の軌道エネルギー×惑星の軌道エネルギー÷距離2、です。
引力＝太陽の軌道エネルギー×惑星の軌道エネルギー÷距離2＝太陽の表面の原子数×太陽から出発する電気の光子1個のエネルギー×見かけ上の距離に換算する定数×惑星の表面の原子数×惑星の表面の1原子が1公転で作る電気の光子1個のエネルギー÷距離2＝1.325×1037個×10−31J×105Km×7.602×1033個×1.743×10−23J・Km÷距離2＝1.325×1011J・Km×1.325×1011J・Km÷距離2＝(1.325×1011J・Km)2÷距離2＝1.756×1022JKｍ÷距離2
よって、惑星と太陽間の引力は、1.756×1022JKｍ÷距離2です。
惑星と太陽間の引力は、(1.325×1011J・Km)2÷距離2＝(1.325×1011J・Km÷距離)2＝軌道エネルギー2＝速度4、です。
宇宙の引力は、引力＝軌道エネルギー2＝速度4です。
１６．  現在、太陽と惑星間の引力はいくらか。
水星と太陽間の引力。
引力＝1.756×1022JKｍ÷距離2＝1.756×1022JKｍ÷(0.579×108Km)2＝1.756×1022JKｍ÷(0.335×1016Km)＝5.242×106J
引力＝速度4＝47.364＝5.031×106
金星と太陽間の引力。
引力＝1.756×1022JKｍ÷距離2＝1.756×1022JKｍ÷(1.082×108Km)2＝1.756×1022JKｍ÷(1.171×1016Km)＝1.500×106J
引力＝速度4＝35.024＝1.504×106
地球と太陽間の引力。
引力＝1.756×1022JKｍ÷距離2＝1.756×1022JKｍ÷(1.496×108Km)2＝1.756×1022JKｍ÷(2.238×1016Km)＝7.846×105J
引力＝速度4＝29.784＝7.865×105
火星と太陽間の引力。
引力＝1.756×1022JKｍ÷距離2＝1.756×1022JKｍ÷(2.279×108Km)2＝1.756×1022JKｍ÷(5.194×1016Km)＝3.381×105J
引力＝速度4＝24.084＝3.362×105
小惑星の軌道と太陽間の引力。
引力＝1.756×1022JKｍ÷距離2＝1.756×1022JKｍ÷(5.909×108Km)2＝1.756×1022JKｍ÷(34.916×1016Km)＝5.029×104J
木星と太陽間の引力。
引力＝1.756×1022JKｍ÷距離2＝1.756×1022JKｍ÷(7.783×108Km)2＝1.756×1022JKｍ÷(60.575×1016Km)＝2.900×104J
引力＝速度4＝13.064＝2.909×104
土星と太陽間の引力。
引力＝1.756×1022JKｍ÷距離2＝1.756×1022JKｍ÷(14.294×108Km)2＝1.756×1022JKｍ÷(204.318×1016Km)＝8.594×103J
引力＝速度4＝9.654＝8.672×103
天王星と太陽間の引力。
引力＝1.756×1022JKｍ÷距離2＝1.756×1022JKｍ÷(28.750×108Km)2＝1.756×1022JKｍ÷(826.563×1016Km)＝2.124×103J
引力＝速度4＝6.814＝2.151×103
海王星と太陽間の引力。
引力＝1.756×1022JKｍ÷距離2＝1.756×1022JKｍ÷(45.044×108Km)2＝1.756×1022JKｍ÷(2028.962×1016Km)＝8.654×102J
引力＝速度4＝5.444＝8.758×102
１７．  太陽が中性子星であったとき、中性子星の質量を太陽質量の1/5とすると、中性子が作る軌道エネルギー(速度2)と速度と引力(速度4)はいくらであったか。
私は、2008年10月17日に提出した、特願2008−268538の「請求項１」で、
(b.中性子星が作った軌道エネルギーと公転速度はいくらか。
太陽の中心は中性子星でした。この中性子星が太陽系の軌道エネルギーを作った。軌道エネルギーは公転速度を作った。
太陽の質量は1太陽質量ですから、１＝100です。
太陽の中心に存在した中性子星が作った軌道エネルギー＝公転速度2＝5.4×1018×102×0/3J・Km÷半径＝5.4×1018J・Km÷半径
公転速度＝(5.4×1018J・Km÷半径)1/2)と記した。
今回は、「請求項4」に記した式により計算する。
中性子星が作る軌道エネルギーの式は1.247×1018×102ｎ/3 JKｍ÷距離です。
中性子星の質量を太陽質量の1/5とする。
0.2=0.1×2＝10−1×100.3010＝10−1＋0.3010＝10−0.699
中性子星が作る軌道エネルギー＝1.247×1018×102ｎ/3 JKｍ÷距離＝1.247×1018×102×−0.699/3 JKｍ÷距離＝1.247×1018×10−0.466JKｍ÷距離＝1.247×1018×10−1×100.534JKｍ÷距離＝1.247×1017×3.420JKｍ÷距離＝4.265×1017JKｍ÷距離
中性子星の質量を太陽質量の1/5とすると、中性子星が作る軌道エネルギーの式は、4.265×1017JKｍ÷距離、です。
距離×軌道エネルギー＝距離×速度2＝4.265×1017JKｍ、この式は反比例の式です。
速度の式は、(4.265×1017JKｍ÷距離)1/2Kmです。
引力の式は、(4.265×1017JKｍ÷距離)2Jです。
水星ができる軌道の軌道エネルギーと速度と引力。
速度2＝軌道エネルギー＝4.265×1017JKｍ÷距離＝4.265×1017JKｍ÷(0.579×108Km)＝7.366×109J
速度＝(7.366×109)1/2＝8.583×104(Km)
引力＝(7.366×109J)2＝5.426×1019J
金星ができる軌道の軌道エネルギーと速度と引力。
速度2＝軌道エネルギー＝4.265×1017JKｍJKｍ÷距離＝4.265×1017JKｍ÷(1.082×108Km)＝3.942×109J
速度＝(3.942×109)1/2＝6.279×104(Km)
引力＝(3.942×109J)2＝1.554×1019J
地球ができる軌道の軌道エネルギーと速度と引力。
速度2＝軌道エネルギー＝4.265×1017JKｍ÷距離＝4.265×1017JKｍ÷(1.496×108Km)＝2.851×109J
速度＝(2.851×109)1/2＝5.339×104(Km)
引力＝(2.851×109)2＝8.128×1018J
火星ができる軌道の軌道エネルギーと速度と引力。
速度2＝軌道エネルギー＝4.265×1017JKｍ÷距離＝4.265×1017JKｍ÷(2.279×108Km)＝1.871×109J
速度＝(1.871×109)1/2＝4.326×104(Km)
引力＝(1.871×109)2＝3.501×1018(J)
小惑星ができる軌道の軌道エネルギーと速度と引力。
速度2＝軌道エネルギー＝4.265×1017JKｍ÷距離＝4.265×1017JKｍ÷(5.909×108Km)＝7.218×108J
速度＝(7.218×108)1/2=2.687×104Km
引力＝(7.218×108J)2=5.210×1017J
木星ができる軌道の軌道エネルギーと速度。
速度2＝軌道エネルギー＝4.265×1017JKｍ÷距離＝4.265×1017JKｍ÷(7.783×108Km)＝5.480×108J
速度＝(5.480×108)1/2＝2.341×104(Km)
引力＝(5.480×108)2＝3.003×1017(J)
土星ができる軌道の軌道エネルギーと速度と引力。
速度2＝軌道エネルギー＝4.265×1017JKｍ÷距離＝4.265×1017JKｍ÷(14.294×108Km)＝2.984×108J
速度＝(2.984×108)1/2＝1.727×104(Km)
引力＝(2.984×108)2＝8.904×1016(J)
天王星ができる軌道の軌道エネルギーと速度と引力。
速度2＝軌道エネルギー＝4.265×1017JKｍ÷距離＝4.265×1017JKｍ÷(28.750×108Km)＝1.483×108J
速度＝(1.483×108)1/2＝1.218×104(Km)
引力＝(1.483×108)2＝2.199×1016(J)
海王星ができる軌道の軌道エネルギーと速度と引力。
速度2＝軌道エネルギー＝4.265×1017JKｍ÷距離＝4.265×1017JKｍ÷(45.044×108Km)＝9.469×107J
速度＝(9.469×107)1/2＝9.731×103(Km)
引力＝(9.469×107)2＝8.966×1015(J)
この事によって理解できる事。
1.中性子星が作った軌道の速度は、高速であった。
それで、元素は、導線の中を走る電子のラブのように走った。電子のラブは、自転しながら走ったので、磁気の光子ができた。磁気の光子によって元素は引き合い結合した。
2.水星ができた軌道の速度は、光速(3×105Km)より遅い。光速より遅い速度の軌道に、惑星はできた。
3.光速より速い速度の軌道には、何もできなかった。これは、光速より速い速度の軌道には何もないことの証明です。
4.よって、光速より速い速度の軌道の物質は、中心の物質に引き寄せられた事を意味する。
１８．  惑星ができた軌道と中性子星の間の引力は、現在の惑星と太陽の間の引力の何倍か。
水星。
水星ができた軌道と中性子星の間の引力÷現在の水星と太陽の間の引力＝5.426×1019J÷(5.242×106J)＝1.035×1013倍
金星。
金星ができた軌道と中性子星の間の引力÷現在の金星と太陽の間の引力＝1.554×1019J ÷(1.500×106J)＝1.036×1013倍
地球。
地球ができた軌道と中性子星の間の引力÷現在の地球と太陽の間の引力＝8.128×1018J ÷(7.846×105J)＝1.036×1013倍
火星。
火星ができた軌道と中性子星の間の引力÷現在の火星と太陽の間の引力＝3.501×1018J  ÷(3.381×105J)＝1.035×1013倍
小惑星。
小惑星ができた軌道と中性子星の間の引力÷現在の小惑星と太陽の間の引力＝5.210×1017J÷(5.029×104J)＝1.036×1013倍
木星。
木星ができた軌道と中性子星の間の引力÷現在の火星と太陽の間の引力＝3.003×1017J ÷(2.900×104J)＝1.036×1013倍
土星。
土星ができた軌道と中性子星の間の引力÷現在の土星と太陽の間の引力＝8.904×1016J ÷(8.594×103J )＝1.036×1013倍
天王星。
天王星ができた軌道と中性子星の間の引力÷現在の天王星と太陽の間の引力＝2.199×1016J ÷( 2.124×103J)＝1.035×1013倍
海王星。
海王星ができた軌道と中性子星の間の引力÷現在の海王星と太陽の間の引力＝8.966×1015J ÷( 8.654×102J)＝1.036×1013倍
この事によって理解できる事。
1.惑星ができた軌道と中性子星の間の引力は、現在の惑星と太陽の間の引力の1.035×1013倍です。
2.惑星ができた軌道と中性子星の間の引力が大きいので、軌道に存在していた元素は活発に結合した。
まとめて表に示す。
表7
2009201352.tif 000009
この事により理解できた事。
1.中性子星が作った軌道の引力は、現在の太陽でできた軌道引力の約2.23×1014倍です。
2. 中性子星が作った軌道の引力により、惑星ができた。
3.惑星ができる軌道は、軌道引力が5.426×1019J 以下です。
4.惑星ができる軌道は、軌道引力が8.966×1015J 以上です。
5.地球の質量ができた軌道の中性子星が作った軌道の引力は、8.128×1018Jです。
6.中性子星が作った軌道引力が5.4×1019J、1.5×1019J、8×1018J、3.5×1018Jの軌道で、密度が5.43、5.24、5.52、3.93の、地球型惑星ができた。
7.木星ができた軌道は、中性子星が作った軌道引力が3.003×1017J であるのに、地球の質量の317.83倍もあるのは、木星は以前、第1世代の星の惑星であったと推察できる。
8.土星ができた軌道は、中性子星が作った軌道引力が3.003×1017J であるのに、地球の質量の95.16倍もあるのは、土星は以前、第1世代の星の惑星であったと推察できる。
9.天王星と海王星も第1世代の星の惑星であったかもしれない。
10.中性子星が作った軌道エネルギーのグラフは、距離×軌道エネルギー＝4.265×1017JKｍの反比例のグラフです。
１９．  第1世代の星の質量を8.246太陽質量とする。ブラックホールの質量を第1世代の星の質量の1/5とする。第1世代の星のブラックホールが作る軌道エネルギー(速度2)、速度、引力はいくらか。
ブラックホールの質量は、8.246太陽質量÷5＝1.6492太陽質量＝100.2172太陽質量、です。
ブラックホールが作る軌道エネルギー＝5.471×1018＋2ｎ/3ＪＫｍ÷距離＝5.471×1018×102×0.217÷3JKｍ÷距離＝5.471×1018×100.1448JKｍ÷距離＝5.471×1018×1.496JKｍ÷距離＝8.185×1018JKｍ÷距離
ブラックホールが作る軌道エネルギー＝速度2＝8.185×1018JKｍ÷距離
距離×ブラックホールが作る軌道エネルギー＝8.185×1018JKｍ(距離とブラックホールが作る軌道エネルギーは反比例する。)
現在水星が存在する軌道。
速度2＝8.185×1018JKｍ÷距離＝8.185×1018JKｍ÷(0.579×108Km)＝1.414×1011J
速度＝(1.414×1011J)1/2=3.760
×105Km
引力＝速度4＝(1.414×1011J)＝1.999×1022J
現在金星が存在する軌道。
速度2＝8.185×1018JKｍ÷距離＝8.185×1018JKｍ÷(1.082×108Km)＝7.565×1010J
速度＝(2.750×105Km)1/2=2.750×105Km
引力＝速度4＝(7.565×1010J)2＝5.723×1021J
現在地球が存在する軌道。
速度2＝8.185×1018JKｍ÷距離＝8.185×1018JKｍ÷(1.496×108Km)＝5.471×1010J
速度＝(5.471×1010J)1/2=2.339×105Km
引力＝速度4＝(5.471×1010J)2＝2.993×1021J
現在火星が存在する軌道。
速度2＝8.185×1018JKｍ÷距離＝8.185×1018JKｍ÷(2.279×108Km)＝3.591×1010J
速度＝(3.591×1010J)1/2=1.895×105Km
引力＝速度4＝(3.591×1010J)2＝1.290×1021J
現在小惑星が存在する軌道。
速度2＝8.185×1018JKｍ÷距離＝8.185×1018JKｍ÷(5.909×108Km)＝1.385×1010J
速度＝(1.385×1010J)1/2=1.177×105Km
引力＝速度4＝(1.385×1010J)2＝1.918×1020J
現在木星が存在する軌道。
速度2＝8.185×1018JKｍ÷距離＝8.185×1018JKｍ÷(7.783×108Km)＝1.052×1010J
速度＝(1.052×1010J)1/2=1.026×105Km
引力＝速度4＝(1.052×1010J)2＝1.107×1020J
現在土星が存在する軌道。
速度2＝8.185×1018JKｍ÷距離＝8.185×1018JKｍ÷(14.294×108Km)＝5.726×109J
速度＝(5.726×109J)1/2=7.567×104Km
引力＝速度4＝(5.726×109J)2＝3.279×1019J
現在天王星が存在する軌道。
速度2＝8.185×1018JKｍ÷距離＝8.185×1018JKｍ÷(28.750×108Km)＝2.847×109J
速度＝(2.847×109J)1/2=5.336×104Km
引力＝速度4＝(2.847×109J)2＝8.105×1018J
現在海王星が存在する軌道。
速度2＝8.185×1018JKｍ÷距離＝8.185×1018JKｍ÷(45.044×108Km)＝1.817×109J
速度＝(1.817×109J)1/2=4.263×104Km
引力＝速度4＝(1.817×109J)2＝3.301×1018J
“水素の小惑星”ができた軌道。
速度2＝8.185×1018JKｍ÷距離＝8.185×1018JKｍ÷(5.909×108Km)＝1.385×1010J
速度＝(1.385×1010J)1/2=1.177×105Km
引力＝速度4＝(1.385×1010J)2＝1.918×1020J
オルトーの雲ができた軌道。
速度2＝8.185×1018JKｍ÷距離＝8.185×1018JKｍ÷(7.795×109Km)＝1.050×109J
速度＝(1.050×109J)1/2=3.240×104Km
引力＝速度4＝(1.050×109J)2＝1.103×1018J
これをまとめて表に示す。
表8
2009201352.tif 000010
この事によって理解できる事。
1. 現在水星が存在する軌道の速度は光速以上でした。
2.中性子星が作った5.426×1019Jの軌道引力の軌道に水星ができた。この軌道引力に相当するブラックホールが作った軌道は、1.107×1020Jで、距離が7.783×108Kmである現在木星が存在する軌道です。
それで、ブラックホールが作った、1.107×1020Jの軌道引力で、距離が7.783×108Kmである現在木星が存在する軌道に、惑星ができたと推察できる。
3. 中性子星が作った1.554×1019Jの軌道引力の軌道に金星ができた。
それで、ブラックホールが作った、3.279×1019J 軌道引力で、距離が14.294×108Kmである現在土星が存在する軌道に、惑星ができたと推察できる。
4.中性子星が作った8.128×1018Jの軌道引力の軌道に地球ができた。
それで、ブラックホールが作った、8.105×1018Jの 軌道引力で、距離が28.750×108Kmである現在天王星が存在する軌道に、惑星ができたと推察できる。
5.中性子星が作った3.501×1018Jの軌道引力の軌道に火星ができた。
それで、ブラックホールが作った、3.301×1018Jの軌道引力で、距離が45.044×108Kmである現在海王星が存在する軌道に、惑星ができたと推察できる。
6.第1世代の星ができた時代は、10−15ｍの時代であるから、ダークマターである自転する電子のラブのエネルギーは、太陽ができた10−14ｍの時代の10倍のエネルギーであり、密度も10倍であった。それで、同じ引力でもダークマターは集まりやすかったので、惑星はできやすかった。
それで、太陽に惑星ができるよりも、第1世代の星に惑星ができる確立は高い。
7.ブラックホールが作る、距離×軌道エネルギー＝距離×速度2は、中性子星が作る、距離×軌道エネルギー＝距離×速度2の、8.185×1018JKｍ÷(4.265×1017JKｍ)＝19.191倍です。
8.ブラックホールが作る軌道エネルギーは、中性子星が作る軌道エネルギーの19.191倍です。
9. ブラックホールが作る速度は、中性子星が作る速度の、｛8.185×1018JKｍ÷(4.265×1017JKｍ)1/2=19.1911/2=4.381 、倍です。
10. ブラックホールが作る引力は、中性子星が作る引力の、｛8.185×1018JKｍ÷(4.265×1017JKｍ)2=19.1912=3.683×102、倍です。
２０．  第1世代の星の惑星はどのようであったか。オルトーの雲はどのようにできたか。第1世代の星の“水素の小惑星”はどのようにできたか。
１．オルトーの雲はどのようにできたか。
第1世代の星を作ったブラックホールの質量が8.246×太陽質量(第1世代の星の質量)の1/5であったとすると、このブラックホールから噴出するジェットは半径何ｍまで届いたか。
ジェットが届く距離＝太陽の半径×849×A÷太陽の中心のA
中心部が太陽質量のβ倍のクエーサーや銀河のAの値は、
クエーサーや銀河の中心のA＝4.325×104×β1/3＝太陽の中心のA×11.17×β1/3、です。(この事については、2007年8月25日に提出した、特願2007−246139の「請求項22」に記した。)
このブラックホールのAはいくらか。
ブラックホールの質量は、8.246太陽質量÷5＝1.6492太陽質量＝100.2172太陽質量、です。
β＝ブラックホールの質量＝1.6492太陽質量＝100.2172太陽質量
ブラックホールのA=4.325×104×β1/3＝4.325×104×100.2172/3=4.325×104×100.0724=4.325×104×1.181=5.108×104
ブラックホールの質量が1.6492×太陽質量の場合、このブラックホールのAは、5.108×104、です。
それで、このブラックホールから噴出するジェットが届く距離は、
ジェットが届く距離＝太陽の半径×849×ブラックホールのA÷太陽の中心のA
＝6.96×105Km×849×5.108×104÷(3.872×103)＝7.795×109Km。
ブラックホールの質量が第1世代の星の1/5質量で、1.6492太陽質量の場合、ブラックホールから出発したジェットは、7.795×109Kmまで届き、この軌道にオルトーの雲を作った。
このオルトーの雲は、現在、軌道の距離を10倍にし、約7.795×1010Kmの軌道に存在する。
２．第1世代の星の“水素の小惑星”はどのようにできたか。
第1世代の星の“水素の小惑星”は、“核融合反応に点火したジェット”によってできた。
“核融合反応に点火した場”のAは、太陽の中心のA＝核融合反応の場のAに等しい。“核融合反応に点火したジェット”のA＝核融合反応の場のA＝3.872×103
それで、
ジェットが届く距離＝太陽の半径×849×A÷太陽の中心のA＝太陽の半径×849＝6.96×105Km×849＝5.909×108Km。
第1世代の星の“水素の小惑星”は、“核融合反応に点火したジェット”によって、5.909×108Kmの軌道にできた。
２１．  第1世代の“水素の小惑星”はどのようにできたか。
第1世代の星の“核融合反応に点火したジェット”は、5.909×108Kmの軌道に届き、この軌道に小惑星ができた。
5.909×108Kmの軌道において、ブラックホールが作った軌道エネルギーは1.385×1010Jで、速度は1.177×105Kmで、軌道引力は1.918×1020Jだった。
しかし、“核融合反応に点火したジェット”が起きた時、ブラックホールのエネルギーはだいぶ小さくなっていた。それで、5.909×108Kmの軌道の軌道エネルギーは、1.385×1010Jより小さくなり、速度は1.177×105Kmより遅くなり、軌道引力は、1.918×1020Jより小さくなっていた。
それで、5.909×108Kmの軌道で、ジェットが当たる所に“水素の小惑星”はできた。
２２．  木星になった惑星(“第1世代の木星”)はどのようにできたか。“第1世代の木星”の質量はいくら位だったか。木星は、どうして地球の質量の317倍にも成るのか。
・木星になった惑星(“第1世代の木星”)はどのようにできたか。
中性子星が作った5.426×1019Jの軌道引力により、水星ができた。
同様に、ブラックホールが作った1.107×1020Jの軌道引力により、惑星ができた。
この惑星が、現在、木星になっている。
この惑星の名前を、“第1世代の木星”と名づける。
・“第1世代の木星”の質量はいくらだったか。
中性子星が作った軌道の引力が8.128×1018Jで、地球の質量の惑星ができた。
それで、ブラックホールが作った1.107×1020Jの軌道の引力は、地球を作った軌道引力の、
1.107×1020J÷(8.128×1018J)＝13.619倍です。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝13.6倍×10＝136倍であった。
“第1世代の木星”の質量は地球の136倍であった。
・木星は、どうして地球の質量の317倍にも成るのか。
“水素の小惑星”の質量は“第1世代の木星”と同じ質量で、136であり、その半分が木星の質量に成ったとする。
木星の質量は、“第1世代の木星”の質量＋“水素の小惑星”の一部の質量＋第1世代の星でできたガスの質量＝136＋68＋113＝317。
２３．  土星になった惑星(“第1世代の土星”)はどのようにできたか。“第1世代の土星”の質量はどれ位だったか。土星は、どうして地球の質量の95倍に成るのか。
中性子星が作った1.554×1019Jの軌道引力により、金星ができた。
同様に、ブラックホールが作った3.279×1019Jの軌道引力により、惑星ができた。
この惑星が、現在、土星になっている。
この惑星の名前を、“第1世代の土星”と名づける。
・“第1世代の土星”の質量はどれ位だったか。
“第1世代の土星”を作った軌道引力は、中性子星が地球を作った軌道引力の、
3.279×1019J÷(8.128×1018J)＝4.034倍だった。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝4.034倍×10＝40.34倍であった。
“第1世代の土星”の質量は、地球の40倍になる。
・現代の土星は、どうして地球の質量の95倍に成るのか。
“水素の小惑星”の質量は“第1世代の木星”と同じ質量で、136であり、その1/4が土星の質量に成ったとする。
土星の質量は、“第1世代の土星”の質量＋“水素の小惑星”の一部の質量＋第1世代の星でできたガスの質量＝40＋34＋21＝95
２４．  天王星になった惑星(“第1世代の天王星”)はどのようにできたか。“第1世代の天王星”の質量はどれ位だったか。現代の天王星は、どうして地球の質量の14.54倍に成るのか。
中性子星が作った8.128×1018Jの軌道引力により、地球ができた。
同様に、ブラックホールが作った8.105×1018Jの軌道引力により、惑星ができた。
この惑星が、現在、天王星になっている。
この惑星の名前を、“第1世代の天王星”と名づける。
・“第1世代の天王星”の質量はどれ位だったか。
“第1世代の天王星”を作った軌道引力は、中性子星が地球を作った軌道引力の、
8.105×1018J÷(8.128×1018J)＝0.997倍だった。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝0.997倍×10＝9.77倍であった。
“第1世代の天王星”の質量は、地球の9.77倍であった。
・現代の天王星は、どうして地球の質量の14.54倍に成るのか。
天王星の質量は、“第1世代の天王星”の質量＋第1世代の星でできたガスの質量＝9.77＋4.77＝14.54。
２５．  海王星になった惑星(“第1世代の海王星”)はどのようにできたか。“第1世代の海王星”の質量はどれ位だったか。現代の海王星は、どうして地球の質量の17.15倍に成るのか。
中性子星が作った3.501×1018Jの軌道引力により、火星ができた。
同様に、ブラックホールが作った3.301×1018Jの軌道引力により、惑星ができた。
この惑星が、現在、海王星になっている。
この惑星の名前を、“第1世代の海王星”と名づける。
・“第1世代の海王星”の質量はどれ位だったか。
“第1世代の海王星”を作った軌道引力は、中性子星が地球を作った軌道引力の、
3.501×1018J÷(8.128×1018J)＝0.431倍だった。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝0.431倍×10＝4.31倍であった。
“第1世代の海王星”の質量は、地球の4.31倍であった。
・現代の海王星は、どうして地球の質量の17.15倍に成るのか。
海王星の質量は、“第1世代の海王星”の質量＋第1世代の星でできたガスの質量＝3.31＋13.84＝17.15。
２６．  木星の金属水素と土星の金属水素は何時どのようにできたか。“第1世代の天王星”と“第1世代の海王星”の状態はどのようであったか。“水素の惑星”はどのような状態であったか。オルトーの雲はどのような状態であったか。
・木星の金属水素は何時どのようにできたか。
木星の芯になった物は“第1世代の木星”です。その質量は「請求項21」で求めたように、136地球質量です。この“第1世代の木星”を作ったのは、ブラックホールが作った1.107×1020Jの軌道引力です。
中性子が作った5.426×1019Jの軌道引力で水星ができた。固体ができた。
ブラックホールが作った1.107×1020Jの軌道の引力は5.426×1019Jの軌道引力の、
1.107×1020J÷(5.426×1019J)＝2.040倍です。
よって、“第1世代の木星”ができた軌道引力は、水星ができた軌道引力の2倍ですから、固体ができた。
“第1世代の木星”は、金属水素であった。
木星の金属水素は、“第1世代の木星”ができた時、ブラックホールの軌道引力によりできた。
・土星の金属水素は何時どのようにできたか。
土星の芯になった物は“第1世代の土星”です。その質量は「請求項22」で求めたように、40地球質量です。この“第1世代の土星”を作ったのは、ブラックホールが作った3.279×1019J の軌道の引力です。
中性子が作った8.128×1018Jの軌道引力で地球ができた。固体ができた。
ブラックホールが作った3.279×1019Jの軌道の引力は8.128×1018Jの軌道引力の、
3.279×1019J÷(8.128×1018J)＝4.034倍です。
よって、“第1世代の土星”ができた軌道引力は、地球ができた軌道引力の4倍ですから、固体ができた。
“第1世代の土星”は、金属水素であった。
土星の金属水素は、“第1世代の土星”ができた時、ブラックホールの軌道引力によりできた。
・“第1世代の天王星”はどのような水素であったか。
“第1世代の天王星”を作った、ブラックホールの軌道引力は、8.105×1018Jです。
この軌道引力は、地球を作った、中性子星の軌道引力8.128×1018Jとほぼ等しい。
“第1世代の天王星”を作った、ブラックホールの軌道引力8.105×1018Jは固体を作る。
それで、“第1世代の天王星”は、金属水素であった。
・“第1世代の海王星”はどのような水素であったか。
“第1世代の海王星”を作った、ブラックホールの軌道引力は、3.301×1018J です。
この軌道引力は、火星を作った、中性子星の軌道引力3.501×1018J とほぼ等しい。
“第1世代の海王星”を作った、ブラックホールの軌道引力3.301×1018Jは固体を作る。
それで、“第1世代の海王星”は、金属水素であった。
・“水素の惑星”はどのような状態であったか。
“水素の小惑星”を作った、ブラックホールの軌道引力は、1.918×1020Jです。
この軌道引力は、水星を作った中性子星の軌道引力5.426×1019Jの約2倍です。
それで、“水素の小惑星”は固体であった。
“水素の小惑星”は金属水素であった。
・オルトーの雲はどのような状態であったか。
オルトーの雲を作った、ブラックホールの軌道引力は、1.103×1018Jでした。
この軌道引力は、火星を作った、中性子星の軌道引力3.501×1018Jの3倍です。
それで、オルトーの雲は固体であった。
オルトーの雲は金属水素であった。
この事によって理解できる事。
1.“第1世代の木星”と“第1世代の土星”は金属水素であった。
2.“第1世代の天王星”と“第1世代の海王星”は金属水素であった。
3. “水素の小惑星”とオルトーの雲は金属水素であった。
4.“水素の小惑星”は木星と土星の水素となった。
5.木星の質量は、“第1世代の木星”の質量＋“水素の小惑星”の一部の質量＋第1世代の星でできたガスの質量＝136＋68＋113＝317、でできた。
6.土星の質量は、“第1世代の土星”の質量＋“水素の小惑星”の一部の質量＋第1世代の星でできたガスの質量＝40＋34＋21＝95、でできた。
7.天王星質量は、“第1世代の天王星”の質量＋第1世代の星でできたガスの質量＝9.77＋4.77＝14.54、でできた。
8.海王星の質量は、“第1世代の海王星”の質量＋第1世代の星でできたガスの質量＝3.31＋13.84＝17.15、でできた。
この事を表にしめす。
表9
2009201352.tif 000011
２７．もし、第1世代の、現在金星が存在する軌道に、惑星ができたとするなら、その惑星の質量はいくら位に成るか。もし、第1世代の、現在地球が存在する軌道に、惑星ができたとするなら、その惑星の質量はいくら位に成るか。もし、第1世代の、現在火星が存在する軌道に、惑星ができたとするなら、その惑星の質量はいくら位に成るか。
・もし、第1世代の、現在金星が存在する軌道に、惑星ができたとするなら、その惑星の質量はいくら位に成るか。
現在金星が存在する軌道において、もし惑星ができたとする。その惑星の名を“第1世代の金星の軌道の惑星”と名づける。
中性子星が作った軌道引力が8.128×1018Jで、地球の質量の惑星ができた。
現在金星が存在する軌道の、第1世代の星のブラックホールが作った引力は、5.723×1021Jです。
それで、ブラックホールが作った5.723×1021Jの軌道引力は、中性子星が地球を作った軌道引力の、
5.723×1021J÷(8.128×1018J)＝7.041×102倍です。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝7.041×102倍×10＝7.041×103倍であった。
“第1世代の金星の軌道の惑星”の質量は地球の7.041×103倍であった。
もし、第1世代の、現在金星が存在する軌道に、惑星ができたとするなら、その惑星の質量は地球の質量の7.041×103倍であった。
・もし、第1世代の、現在地球が存在する軌道に、惑星ができたとするなら、その惑星の質量はいくら位に成るか。
現在地球が存在する軌道に、もし惑星ができたとする。その惑星の名を“第1世代の地球の軌道の惑星”と名づける。
中性子星が作った軌道の引力が8.128×1018Jで、地球の質量の惑星ができた。
現在地球が存在する軌道の、第1世代の星のブラックホールが作った引力は、2.993×1021J です。
それで、ブラックホールが作った2.993×1021J の軌道引力は、中性子星が地球を作った軌道引力の、
2.993×1021J÷(8.128×1018J)＝3.682×102倍です。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝3.682×102倍×10＝3.682×103倍であった。
“第1世代の地球の軌道の惑星”の質量は地球の3.682×103倍であった。
もし、第1世代の、現在地球が存在する軌道に、惑星ができたとするなら、その惑星の質量は地球の質量の3.682×103倍であった。
・もし、第1世代の、現在火星が存在する軌道に、惑星ができたとするなら、その惑星の質量はいくら位に成るか。
現在地球が存在する軌道において、もし惑星ができたとする。その惑星の名を“第1世代の火星の軌道の惑星”と名づける。
中性子星が作った軌道の引力が8.128×1018Jで、地球の質量の惑星ができた。
現在火星が存在する軌道の、第1世代の星のブラックホールが作った引力は、1.290×1021J です。
それで、ブラックホールが作った1.290×1021J の軌道引力は、中性子星が地球を作った軌道引力の、
1.290×1021J÷(8.128×1018J)＝1.587×102倍です。
第1世代の星ができた時代は、電子のラブの公転軌道が10−15ｍの時代であり、1Hの量が10−14ｍの時代の10倍だった。
それで、質量は、軌道の引力の倍数×時代における1Hの量＝1.587×102倍×10＝1.587×103倍であった。
“第1世代の火星の軌道の惑星”の質量は地球の1.587×103倍であった。
もし、第1世代の、現在火星が存在する軌道に、惑星ができたとするなら、その惑星の質量は地球の質量の1.587×103倍であった。
この事を表に示す。
表10
2009201352.tif 000012
この事から理解できる事。
1.惑星の質量は、軌道引力によってできた事が理解できた。このことから、現在、金星、地球、火星が存在する軌道の、第1世代のブラックホールが作る軌道引力では、地球の質量の7000倍から1500倍の質量の惑星ができる。
このような惑星は存在しない。
よって、現在金星、地球、火星が存在する軌道には、1Hの惑星は存在しなかった。
2.この事から、第1世代の星のブラックホールが作った引力が、5.723×1021J から1.290×1021Jの範囲には惑星ができなかった理由は、その範囲の軌道には物質(1H)が存在しなかったからです。
3. 第1世代の星のブラックホールが作った軌道引力が、5.723×1021J から1.290×1021Jの速度は、2.750×105Kmから1.895×105Kmであり、この速度の軌道には物質(1H)が存在しなかった。
4.速度が2.750×105Kmから1.895×105Kmの軌道の物質(1H)はブラックホールに引きつけられて、第1世代の星になった。
5.光速に近い速度の軌道の物質はブラックホールにひきつけられる。
２８．  しかし、考えてみると、引力は、ブラックホールと惑星の間の引力であり、軌道の引力ではない。それで、従来どおり、惑星は軌道エネルギー＝速度2によりできたと考える。第1世代の星の惑星はどの軌道にできたか。
表11
2009201352.tif 000013
・“第1世代の木星”はどの軌道にできたか。
中性子星が作った7.366×109Jの軌道エネルギーにより、水星ができた。
同様に、ブラックホールが作った1.052×1010Jの軌道エネルギーにより、“第1世代の木星”ができた。
・“第1世代の土星”はどの軌道にできたか。
中性子星が作った3.942×109Jの軌道エネルギーにより、金星ができた。
同様に、ブラックホールが作った5.726×109Jの軌道エネルギーにより、・“第1世代の土星”ができた。
・“第1世代の天王星”はどの軌道にできたか。
中性子星が作った2.851×109Jの軌道エネルギーにより、地球ができた。
同様に、ブラックホールが作った2.847×109Jの軌道エネルギーにより、“第1世代の天王星”ができた。
・“第1世代の海王星”はどの軌道にできたか。
中性子星が作った 1.871×109Jの軌道エネルギーにより、火星ができた。
同様に、ブラックホールが作った1.817×109Jの軌道エネルギーにより、“第1世代の海王星”ができた。
・質量はいくらだったか。
軌道エネルギーでできる質量は、軌道エネルギーに比例すると考える。
“第1世代の木星”
“第1世代の木星”を作った軌道エネルギー÷地球を作った軌道エネルギー＝1.052×1010J÷(2.851×109J)＝3.690．      3.690×10＝36.6
“第1世代の土星”
“第1世代の土星” を作った軌道エネルギー÷地球を作った軌道エネルギー＝5.726×109J ÷(2.851×109J)＝2.008．      2.008×10＝20
“第1世代の天王星”
“第1世代の天王星” を作った軌道エネルギー÷地球を作った軌道エネルギー＝2.847×109J  ÷(2.851×109J)＝0.999．      0.999×10≒10
“第1世代の海王星”
“第1世代の海王星” を作った軌道エネルギー÷地球を作った軌道エネルギー＝1.871×109J÷(2.851×109J)＝0.656．        0.656×10＝6.56
これを表に示す。
表12
2009201352.tif 000014
この事から理解できる事。
1.軌道エネルギーが第1世代の星の惑星を作った、と考える場合と、軌道引力が第1世代の星の惑星を作った、と考える場合、どちらの考えでも、惑星ができる軌道は同じである。
2.軌道引力は、軌道エネルギー×軌道エネルギーであり、このエネルギーは、磁気の光子のエネルギーですから、軌道の中で引き合う力と理解する事ができ、軌道引力は、軌道の中の引力であると理解できる。
3.軌道引力が惑星を作ったと考えるのは間違いではない。
4.軌道引力＝軌道の磁気の光子のエネルギー×軌道の磁気の光子のエネルギー＝軌道の中の引力＝軌道と中央のブラックホールの間の引力
5.できた第1世代の惑星の質量を考えると、“第1世代の惑星”の質量は、軌道引力でできたと考えた方が妥当である。
２９．  水素や元素が存在しない軌道の速度はどれくらいか。速度が2×105Kmと成るのは周囲何Kmの軌道か。ブラックホールを10n太陽質量とする。その軌道の引力はいくらか。
・水素や元素が存在しない軌道の速度はどれくらいか。
第1世代の星のブラックホールが作った速度が、2.750×105Km(現在金星の軌道)、2.339×105Km(現在地球の軌道)、1.895×105Km(現在火星の軌道)、には、第1世代の惑星は存在しなかった。惑星を作る水素が存在しなかったからです。
中性子星が作った速度が8.583×104Kmの軌道に水星ができ、これ以上の速度の軌道には惑星ができなかった。惑星に成る元素が存在しなかったからです。
それで、軌道の速度が約2×105Km以上の軌道には、水素や元素が存在しない。
水素や元素が存在しない軌道の速度は約2×105Km以上です。
・速度が2×105Kmと成るのは周囲何Kmの軌道か。ブラックホールを10n太陽質量とする。
速度2 ＝(2×105Km)2＝5.4×1018＋2×n/3JKm÷距離
距離＝5.4×1018＋2×n/3÷(2×105Km)2＝5.4÷4×108Km×102×n/3＝1.35×108×102×n/3Km
速度が2×105Kmと成るのは周囲1.35×108×102×n/3Kmの軌道です。
それでは、ブラックホールの質量と、速度が2×105Kmになる軌道の距離を算出する。
ブラックホールが109太陽質量の場合。
距離＝1.35×108×102×n/3Km＝1.35×108×102×9/3Km＝1.35×108＋6Km=1.35×1014Km
ブラックホールが108太陽質量の場合。
距離＝1.35×108×102×n/3Km＝1.35×108×102×8/3Km＝1.35×108×105.3333Km=1.35×1013×2.155Km＝2.909×1013Km
ブラックホールが107太陽質量の場合。
距離＝1.35×108×102×n/3Km＝1.35×108×102×7/3Km＝1.35×108×104.6667Km=1.35×1012×4.642Km＝6.267×1012Km
ブラックホールが106太陽質量の場合。
距離＝1.35×108×102×n/3Km＝1.35×108×102×6/3Km＝1.35×108＋4Km=1.35×1012Km
ブラックホールが105太陽質量の場合。
距離＝1.35×108×102×n/3Km＝1.35×108×102×5/3Km＝1.35×108×103.3333Km=1.35×1011×2.155Km＝2.909×1011Km
ブラックホールが104太陽質量の場合。
距離＝1.35×108×102×n/3Km＝1.35×108×102×4/3Km＝1.35×108×102.6667Km=1.35×1010×4.642Km＝6.267×1010Km
ブラックホールが103太陽質量の場合。
距離＝1.35×108×102×n/3Km＝1.35×108×102×3/3Km＝1.35×108＋2Km=1.35×1010Km
ブラックホールが102太陽質量の場合。
距離＝1.35×108×102×n/3Km＝1.35×108×102×2/3Km＝1.35×108×101.3333Km=1.35×109×2.155Km＝2.909×109Km
ブラックホールが10太陽質量の場合。
距離＝1.35×108×102×n/3Km＝1.35×108×102×1/3Km＝1.35×108×100.6667Km=1.35×108×4.642Km＝6.267×108Km
・速度が105Kmの軌道の引力はいくらか。
引力＝速度4＝(2×105Km)4＝16×1020(J)
速度が2×105Kmの軌道の引力は16×1020Jです。
この事によって理解できる事。
1. 軌道の速度が約2×105Km以上の軌道には、水素や元素が存在しない。
水素や元素が存在しない軌道の速度は約2×105Km以上です。
2. 速度が2×105Kmと成るのは周囲1.35×108×102×n/3Kmの軌道です。(ブラックホールを10n太陽質量とする。)
3. 速度が2×105Kmの軌道の引力は16×1020Jです。
4.軌道引力が16×1020J以上の軌道では、物質は存在しない。
5. 軌道引力が16×1020J以上の軌道の物質は、ブラックホールに引かれて、ブラックホールの周囲に存在する。
6.ブラックホールの引力が星を作った。
３０．  速度が光速と成るのは周囲何Kmの軌道か。この軌道の引力はいくらか。ブラックホールを10n太陽質量とする。
速度2 ＝(3×105Km)2＝5.4×1018＋2×n/3JKm÷距離
距離＝5.4×1018＋2×n/3÷(3×105Km)2＝6×107Km×102×n/3＝6×107×102×n/3Km
速度が光速と成るのは周囲6×107×102×n/3Kmの軌道です。
・ブラックホールと6×107×102×n/3Kmの軌道の引力はいくらか。
軌道エネルギー＝5.4×1018＋2×n/3JKm÷距離＝5.4×1018＋2×n/3JKm÷(6×107×102×n/3Km)＝9×1010J
引力＝軌道エネルギー2＝(9×1010J)2＝81×1020J＝定数
速度が光速になる軌道の引力は81×1020Jで、一定値です。
どのような質量のブラックホールでも、引力が81×1020Jの軌道の物質はブラックホールに引かれて、その軌道には何も存在しない。
光速になる半径は、6×107×102×n/3Kmです。
前の「請求項２９」で理解したように、軌道の速度が2×105Km以上の軌道では、物質はブラックホールに引かれて存在しない。
これを、“ブラックホールの引力の法則”と名づけます。
即ち、“ブラックホールの引力の法則”とは、「軌道の速度が2×105Km以上の軌道では、物質はブラックホールに引かれて存在しない。ブラックホールの質量が10n太陽質量のとき、半径1.35×108×102×n/3Kmまでの物質は、4×1020Jの引力に引かれて、何も存在しない。」ということです。
勿論、光速の軌道も、この中に含まれます。
光速の軌道は、半径6×107×102×n/3Kmですから、
6×107×102×n/3Km÷(1.35×108×102×n/3Km)＝0.4444(倍)の距離です。
光速の場合、中心から6×107Km×102×n/3の軌道まで、何も存在しない。この軌道の物質はブラックホールに引かれるので、何も存在しない。
ブラックホールの質量と、速度が光速になる軌道の距離を算出する。
ブラックホールが109太陽質量の場合。
距離＝6×107×102×n/3Km＝6×107×102×9/3Km＝6×107＋6Km=6×1013Km
ブラックホールが108太陽質量の場合。
距離＝6×107×102×n/3Km＝6×107×102×8/3Km＝6×107×105.3333Km=6×1012×2.155Km＝1.293×1013Km
ブラックホールが107太陽質量の場合。
距離＝6×107×102×n/3Km＝6×107×102×7/3Km＝6×107×104.6667Km=6×1011×4.642Km＝2.785×1012Km
ブラックホールが106太陽質量の場合。
距離＝6×107×102×n/3Km＝6×107×102×6/3Km＝6×107＋4Km=6×1011Km
ブラックホールが105太陽質量の場合。
距離＝6×107×102×n/3Km＝6×107×102×5/3Km＝6×107×103.3333Km=6×1010×2.155Km＝1.293×1011Km
ブラックホールが104太陽質量の場合。
距離＝6×107×102×n/3Km＝6×107×102×4/3Km＝6×107×102.6667Km=6×109×4.642Km＝2.785×1010Km
ブラックホールが103太陽質量の場合。
距離＝6×107×102×n/3Km＝6×107×102×3/3Km＝6×107＋2Km=6×109Km
ブラックホールが102太陽質量の場合。
距離＝6×107×102×n/3Km＝6×107×102×2/3Km＝6×107×101.3333Km=6×108×2.155Km＝1.293×109Km
ブラックホールが10太陽質量の場合。
距離＝6×107×102×n/3Km＝6×107×102×1/3Km＝6×107×100.6667Km=6×107×4.642Km＝2.785×108Km
これを表に示す。
表13
2009201352.tif 000015
この事より理解できること。
1.光速になる距離は、6×107×102×n/3Km、です。
2.光速になる軌道の引力は、81×1020Jです。
3.半径6×107×102×n/3Kmで、引力が81×1020Jである、光速の軌道では、物質はブラックホールに引かれ、何も存在しない。
4.“ブラックホールの引力の法則”とは、「軌道の速度が2×105Km以上の軌道では、物質はブラックホールに引かれて存在しない。質量が10n太陽質量のブラックホールの場合、半径1.35×108×102×n/3Kmまでの物質は、16×1020Jの引力に引かれて、何も存在しない。」ということです。
勿論、光速の軌道も、この中に含まれます。
5.光速の軌道は、速度が2×105Kmの軌道の0.4444倍の距離です。
３１．  シュバルツシルト半径の場では、どうして光子がのみ込まれるのか。
シュバルツシルト半径は数百万Kmです。ブラックホールを106太陽質量とする。
・シュバルツシルト半径の軌道の速度はいくらか。シュバルツシルト半径を106Kmとする。
速度2＝5.4×1018＋2n/3JKm÷106Km＝5.4×1018＋2×6/3JKm÷106Km＝5.4×1016J
速度＝(5.4×1016)1/2=2.3×108Km
シュバルツシルト半径の軌道の速度は2.3×108Kmで、光速3×105Kmより速い場である。
それで、光子はのみ込まれる。
３２．  地球の表面の原子数を7.602×1033個とすると、表面の原子数でできる重力加速度はいくらか。
重力加速度は、速度2であり、地表の磁気の光子のエネルギーです。地表の磁気の光子のエネルギーは、地表の原子数×1原子が1秒間に作る磁気の光子のエネルギーです。地表の原子が作る引力は、地表の原子が作る磁気の光子のエネルギーであり、地表の原子数×1原子が1秒間に作る磁気の光子のエネルギー(引力)です。
地表の原子が1秒間に作る磁気の光子のエネルギー＝地表の原子数×1原子が1秒間に作る磁気の光子のエネルギー(引力)＝7.602×1033個×１Kgでできる引力÷１Kgの原子数＝7.602×1033個×万有引力定数1/2÷(１Kg÷1原子の質量)＝7.602×1033個×(6.672×10−11J)1/2÷｛１Kg÷(1.6606×10−27Kg))｝＝7.602×1033個×8.168×10−6J÷(6.022×1026個)＝1.031×102J
1.031×102Jの軌道エネルギーで、1.031×102Kmの速度2ができる。
地球の表面の原子数を7.602×1033個とすると、表面の原子数でできる重力加速度は1.031×102Kmです。
３３．  地球の重力加速度は9.8Jです。地球の表面の重力加速度を作る原子数はいくらか。
重力加速度は速度2です。地球の表面の軌道エネルギーは、速度2であり、重力加速度です。
地球の表面の原子が1秒間に作る磁気の光子のエネルギーは、重力加速度です。
地球の重力加速度は、地球の表面の原子数×1原子が1秒間に作る磁気の光子のエネルギー＝ｘ個×１Kgでできる引力÷１Kgの原子数＝ｘ個×万有引力定数1/2÷(１Kg÷1原子の質量)＝ｘ個×(6.672×10−11J)1/2÷｛１Kg÷(1.6606×10−27Kg))｝＝ｘ個×8.168×10−6J÷(6.022×1026個)＝9.8J
ｘ個＝9.8J×(6.022×1026個)÷(8.168×10−6J)＝7.225×1032個
地球の重力加速度は9.8Jです。地球の表面の重力加速度を作る原子数は7.225×1032個です。
私は、惑星の軌道エネルギー＝速度2を考えた時、惑星の表面の原子数を、7.602×1033個とした。惑星の表面の原子数7.602×1033個は、惑星の軌道エネルギーを作る原子数です。
３４．  惑星の並び方はどうして、水星、金星、地球、火星、木星、土星の順になっているのか。電子のラブと比較して考える。
電子のラブの場合、公転軌道の小さい電子のラブは、電子のラブのエネルギーが大きく、中心に近い内側の軌道(殻)を公転している。
惑星が並んでいる順序は、太陽より受ける輻射量の順であり、惑星の表面の原子の電子のラブの公転軌道の小さい順です。惑星の表面の原子の電子のラブのエネルギーの大きい順です。
惑星の表面の原子の電子のラブの公転軌道＝1.058×10−10ｍ÷輻射量1/2
惑星の表面の原子の電子のラブのエネルギー＝8.665×10−24Jm÷電子のラブの公転軌道        
水星。
水星の表面の原子の電子のラブの公転軌道＝1.058×10−10ｍ÷輻射量1/2＝1.058×10−10ｍ÷6.671/2＝1.058×10−10ｍ÷2.583＝4.096×10−11ｍ
水星の表面の原子の電子のラブのエネルギー＝8.665×10−24Jm÷(4.096×10−11ｍ)＝2.115×10−13J
金星。
金星の表面の原子の電子のラブの公転軌道＝1.058×10−10ｍ÷輻射量1/2＝1.058×10−10ｍ÷1.911/2＝1.058×10−10ｍ÷1.382＝7.656×10−11ｍ
金星の表面の原子の電子のラブのエネルギー＝8.665×10−24Jm÷(7.656×10−11ｍ)＝1.132×10−13J
地球。
地球の表面の原子の電子のラブの公転軌道＝1.058×10−10ｍ÷輻射量1/2＝1.058×10−10ｍ÷1＝1.058×10−10ｍ
地球の表面の原子の電子のラブのエネルギー＝8.665×10−24Jm÷(1.058×10−10ｍ)＝8.190×10−14J
火星。
火星の表面の原子の電子のラブの公転軌道＝1.058×10−10ｍ÷輻射量1/2＝1.058×10−10ｍ÷0.431/2＝1.058×10−10ｍ÷0.656＝1.613×10−10ｍ
火星の表面の原子の電子のラブのエネルギー＝8.665×10−24Jm÷(1.613×10−10ｍ)＝5.372×10−14J
木星。
木星の表面の原子の電子のラブの公転軌道＝1.058×10−10ｍ÷輻射量1/2＝1.058×10−10ｍ÷0.0371/2＝1.058×10−10ｍ÷0.192＝5.510×10−10ｍ
木星の表面の原子の電子のラブのエネルギー＝8.665×10−24Jm÷(5.510×10−10ｍ)＝1.573×10−14J
土星。
土星の表面の原子の電子のラブの公転軌道＝1.058×10−10ｍ÷輻射量1/2＝1.058×10−10ｍ÷0.0111/2＝1.058×10−10ｍ÷0.1049＝1.009×10−9ｍ
土星の表面の原子の電子のラブのエネルギー＝8.665×10−24Jm÷(1.009×10−9ｍ)＝8.588×10−15J
天王星。
天王星の表面の原子の電子のラブの公転軌道＝1.058×10−10ｍ÷輻射量1/2＝1.058×10−10ｍ÷0.00271/2＝1.058×10−10ｍ÷0.05196＝2.036×10−9ｍ
天王星の表面の原子の電子のラブのエネルギー＝8.665×10−24Jm÷(2.036×10−9ｍ)＝4.256×10−15J
海王星。
海王星の表面の原子の電子のラブの公転軌道＝1.058×10−10ｍ÷輻射量1/2＝1.058×10−10ｍ÷0.00111/2＝1.058×10−10ｍ÷0.033＝3.206×10−9ｍ
海王星の表面の原子の電子のラブのエネルギー＝8.665×10−24Jm÷(3.206×10−9ｍ)＝2.703×10−15J
まとめて表に示す。
惑星の並ぶ順序。
表14
2009201352.tif 000016
この事から理解できる事
1.惑星は、表面の原子の電子のラブの公転軌道が小さく、表面の原子の電子のラブのエネルギーが大きい順に並んでいる。これは、元素の電子のラブが並ぶ順序と同じです。
・元素の電子のラブはどのように並んでいるか。
電子のラブの表面に存在する特性X線は、電子のラブが大きな軌道の殻から小さい殻に移動する時、特性X線を排斥する。
例えば、Au(79)の場合、K系α1,2は、波長が0.0182×10−9ｍ、L系α1は、波長が0.1277×10−9ｍ、M系γは、波長が0.5623×10−9ｍです。
N殻の表面の特性X線は、波長が0.5623×10−9ｍです。軌道は、0.5623×10−9ｍ÷2＝2.811×10−10ｍ、です。
このX線1個のエネルギーは、1.233×1041Jm÷(2.811×10−10ｍ)＝4.404×10−32J、です。
M殻の表面の特性X線は、波長が0.1277×10−9ｍです。軌道は、0.1277×10−9ｍ÷2＝6.385×10−11ｍ、です。
このX線1個のエネルギーは、1.233×1041Jm÷(6.385×10−11ｍ)＝1.931×10−31J、です。
L殻の表面の特性X線は、波長が0.0182×10−9ｍです。軌道は、0.0182×10−9ｍ÷2＝9.1×10−12ｍです。
このX線1個のエネルギーは、1.233×1041Jm÷(9.1×10−12ｍ)＝1.355×10−30J、です。
よって、表面の特性X線の軌道が小さい原子ほど中央に近い殻に並んでいる。表面の特性X線のエネルギーが大きい電子ほど中央に近い殻に並んでいる。
また、特性X線を作る電子のラブの公転軌道は、これより小さいです。
それで、電子のラブのエネルギーは、L殻の電子のラブ、M殻の電子のラブ、N殻の電子のラブの順です。
よって、元素の電子のラブは中央から、エネルギーの大きい順に並んでいる。
この事から推察できる事。
1.電子のラブの表面に存在する特性X線のエネルギーが大きい電子ほど中央に近い殻に並び、かつ、電子のラブのエネルギーが大きい電子ほど中央に近い殻に並ぶ。
この事から、
惑星も電子と同じように、表面の原子の電子のラブのエネルギーの大きい順に中央に近い軌道に並び、かつ惑星のエネルギーの大きい順に並んでいる、と推測できる。
３５．  惑星のエネルギーはどのように求める事ができるのか。
電子の場合。
L殻の電子の表面の特性X線1個のエネルギーは、1.355×10−30Jです。これが排斥します。
M殻の電子の表面の特性X線1個のエネルギーは、1.931×10−31Jです。これが排斥します。
N殻の電子の表面の特性X線1個のエネルギーは、4.404×10−32Jです。これが排斥します。
それで、K殻の電子に存在する特性X線のエネルギーは、1.355×10−30J以上です。
L殻の電子に存在する特性X線のエネルギーは、1.931×10−31J以上です。
M殻の電子に存在する特性X線のエネルギーは、1.931×10−31J以下であり、4.404×10−32J以上です。
惑星の場合。
・電子と同じ現象が惑星でもおきている。
即ち、惑星から放出している熱は、惑星の表面が作っている熱であり、この熱は太陽から受ける輻射量であり、惑星から排斥される熱と理解できる。
惑星から放出している熱＝惑星の表面が作っている熱＝太陽から受ける輻射量＝惑星から排斥される熱
そして、惑星の中のエネルギーは、惑星の表面のエネルギーより大きい。
惑星の中の熱は、中央に進むほど高くなる。
それで、惑星の中の原子の電子のラブのエネルギー＞惑星の表面の原子の電子のラブのエネルギー、です。
水星。水星の中の原子の電子のラブのエネルギー＞2.115×10−13J
金星。金星の中の原子の電子のラブのエネルギー＞1.132×10−13J
地球。地球の中の原子の電子のラブのエネルギー＞8.190×10−14J
火星。火星の中の原子の電子のラブのエネルギー＞5.372×10−14J
木星。木星の中の原子の電子のラブのエネルギー＞1.573×10−14J
土星。土星の中の原子の電子のラブのエネルギー＞8.588×10−15J
天王星。天王星の中の原子の電子のラブのエネルギー＞4.256×10−15J
海王星。海王星の中の原子の電子のラブのエネルギー＞2.703×10−15J
この事から理解できたこと。
1. 惑星から放出している熱は、惑星の表面が作っている熱であり、この熱は太陽から受ける輻射量であり、惑星から排斥される熱と理解できる。
2.惑星の中の原子の電子のラブのエネルギーは、惑星の表面の原子の電子のラブのエネルギーより大きい。
太陽に近い惑星ほど、惑星のエネルギーは大きい。
３６．  太陽の中心の場では、中性子より存在しない事の証明。
太陽の中心のAは、4×104です。(この事に関して、私は、2007年11月19日に提出した、特願2007−325263の「請求項24」に記した。)
この場の公転軌道は、1.058×10−10ｍ÷A=1.058×10−10ｍ÷(4×104)＝2.645×10−15ｍです。この場のエネルギーは、8.665×10−24Jm÷(2.645×10−15ｍ)＝3.276×10−9J、です。
陽子のラブの公転軌道は、8.665×10−24Jm÷(1.5×10−10J)＝5.777×10−14ｍ、です。
中性子の公転軌道は、8.665×10−24Jm÷(2.882×10−10J)＝3×10−14ｍ、です。
陽子のラブは、公転軌道が5.777×10−14ｍの軌道に存在する。
中性子は、公転軌道が3×10−14ｍの軌道に存在する。
太陽の中心は、公転軌道が2.645×10−15ｍです。
太陽の中心には、中性子が束になって存在する。
よって、太陽の中心には中性子より存在できない。
３７．  太陽が爆発したとき、できる元素は何か。
・太陽の中心には、中性子が何個存在できるか。
中性子ののエネルギー×ｘ個＝太陽の中心のエネルギー
2.882×10−10J×ｘ個＝3.276×10−9J
ｘ個＝3.276×10−9J÷(2.882×10−10J)＝1.137×10
太陽の中心には、中性子が11個存在できる。
・太陽が爆発後、中性子が11個は、何の元素になるか。
太陽が爆発後、中性子が11個は、中性子が6個、陽子のラブが5個、電子のラブが5個となる。これは、原子番号が５であるBになる。
よって、太陽が爆発すると、He、Li、Be、Bができる。
３８．  星の中央には、中性子より存在できない事の証明。
太陽質量の8倍以上の星が超新星爆発すると、中性子星ができる。この事は、太陽質量の8倍以上の星の中心には、中性子より存在できない事を証明する。
３９．  ビッグバンの以前の球体はどのようであったか。
ビッグバンの以前、電子のラブは自転していた。陽子のラブは自転していた。(この事について、私は、2008年5月26日に提出した、特願2008−162553「宇宙８」の「請求項3」に記した。)(計算式は、2006年11月1日に提出した、特願2006−336352、「素粒子の軌道質量と引力と熱」に記した。)
電子のラブの自転軌道エネルギーは、3.416×10−31Jmです。
陽子のラブの自転軌道エネルギーは、6.272×10−28Jmです。
それで、ビッグバンの以前、電子のラブのエネルギーが１Jであったとすると、電子のラブの自転軌道は、3.416×10−31Jm÷1J＝3.416×10−31mです。
ビッグバンの以前、陽子のラブのエネルギーが１J×1.5×10−10J÷(8.187×10−14J)＝1.832×103Jであったとすると、陽子のラブの自転軌道は、6.272×10−28Jm ÷(1.832×103J)＝3.424×10−31mです。
電子のラブが1自転で作る磁気の光子１個のエネルギーは、6.112×10−57Jm÷自転軌道＝6.112×10−57Jm ÷(3.416×10−31m)＝1.789×10−26J、です。
陽子のラブが1自転で作る磁気の光子１個のエネルギーは、1.121×10−53Jm÷自転軌道＝1.121×10−53Jm ÷(3.424×10−31m)＝3.274×10−23J、です。
それで、ビッグバンの以前の球体は、中央に陽子のラブが自転しながら存在し、外側に電子のラブが自転しながら存在する。
球体の中央では、陽子のラブ1個のエネルギーが1.832×103Jであるとすると、自転軌道は3.424×10−31mであり、1自転でできる磁気の光子1個のエネルギーは3.274×10−23Jです。陽子のラブはこの磁気の光子のエネルギーにより、しっかり結合している。
球体の外側では、電子のラブ1個のエネルギーが1Jであるとすると、自転軌道は3.416×10−31mであり、1自転でできる磁気の光子1個のエネルギーは1.789×10−26Jです。電子のラブはこの磁気の光子のエネルギーにより、しっかり結合している。
表15
2009201352.tif 000017
４０．  ビッグバンがおきた原因は何か。
ビッグバンの以前、球体の中央では陽子のラブが自転し、磁気の光子を作っていた。外側では、電子のラブが自転し、磁気の光子を作っていた。それはまるで、原子のようでした。それはまるで太陽のようでした。磁気の光子はビッグバンの以前、球体から放射していました。これが、宇宙背景放射です。
時間と共に、陽子のラブのエネルギーは減少し、自転軌道が大きくなりました。陽子のラブの自転でできる磁気の光子のエネルギーは小さくなりました。
時間と共に、電子のラブのエネルギーは減少し、自転軌道が大きくなりました。電子のラブの自転でできる磁気の光子のエネルギーは小さくなりました。
磁気の光子のエネルギーが小さくなると、引力は小さくなり、その引力では、陽子のラブは球体の中心に集まり、結合していることができなくなりました。球体の中心は大きくなりました。
磁気の光子のエネルギーが小さくなると、引力は小さくなり、その引力では、電子のラブは球体外側に集まり、結合していることができなくなりました。球体の外側は大きくなりました。
それで、球体は爆発しました。
これがビッグバンです。
４１．  銀河系と原子の相似性。
１．銀河系の星は、螺旋回転しながら、銀河系の中心を公転している。
電子のラブは螺旋回転しながら、原子核を中心に公転している。
陽子のラブは螺旋回転しながら、公転している。
２．現在、銀河系の中心のブラックホールの質量エネルギーは、3×106太陽質量エネルギーである。大きい腕の中心のブラックホールは、約104太陽質量エネルギー。中位の腕の中心のブラックホールは、約5×103太陽質量エネルギー、小さい腕の中心のブラックホールは、約103太陽質量エネルギーです。
銀河系の中心のブラックホールの質量エネルギーは、腕の中心のブラックホールの質量エネルギーの、約1000倍です。
原子核の質量エネルギーは、電子のラブの質量エネルギーの約1000倍です。
３．銀河系の太陽は、約2億年で銀河系を1公転し、約200万年で1回螺旋回転する。
1公転する間に、2×108年÷(2×106年)＝100回螺旋回転する。
電子のラブは、1公転する間に、約108回自転(螺旋回転)する。
陽子のラブは、1公転する間に、約104回自転(螺旋回転)する。
この事は、質量エネルギーの大きい物ほど1公転する時の螺旋回転数が少ない事を示す。
４．銀河系の公転軌道エネルギーは、電子のラブと陽子のラブの公転軌道エネルギーの何倍か。
銀河系の中心の質量が太陽質量の3×106倍であるとすると、3×103＝103.4771ですから、軌道エネルギーは、
銀河系の公転軌道エネルギー＝5.471×1018×102×3.4771÷3JKm
＝5.471×1018×102.3181JKｍ
＝5.471×1018×2.080×102JKｍ
＝1.138×1021JKｍ
＝1.138×1024Jｍ。
電子のラブと陽子のラブの公転軌道エネルギーは、
公転軌道エネルギー＝8.665×10−24Jｍ
銀河系の公転軌道エネルギー÷電子のラブや陽子のラブの公転軌道エネルギー＝1.138×1024Jｍ÷(8.665×10−24Jｍ)＝1.313×1047
よって、銀河系の公転軌道エネルギーは、電子のラブと陽子のラブの公転軌道エネルギーの2.627×1047倍です。
５．太陽系の螺旋回転の軌道エネルギーは、電子のラブの自転軌道エネルギーの何倍であるか。太陽系の螺旋回転の軌道エネルギーは、陽子のラブの自転軌道エネルギーの何倍であるか。
太陽系の螺旋回転軌道エネルギーは、太陽系が螺旋回転している中心のブラックホールの質量エネルギーは、5.252×103＝103.7204太陽質量エネルギーですから、
太陽系の公転軌道エネルギー＝5.471×1018×102×3.7204÷3JKm
＝5.471×1018×102.480JKm
＝5.471×1018×3.020×102JKm
＝1.652×1021JKｍ。
太陽系の螺旋回転の軌道エネルギーは公転軌道エネルギーの79.7倍ですから、
太陽系の螺旋回転の軌道エネルギー＝1.652×1021JKｍ×79.7＝1.317×1023JKｍ＝1.317×1026Jｍ。
電子のラブの自転軌道エネルギーは、電子のラブのエネルギー×自転軌道＝8.187×10−14J×4.172×10−18ｍ＝3.416×10−31Jm です。
陽子のラブの自転軌道エネルギーは、陽子のラブのエネルギー×自転軌道＝1.5×10−10J×4.181×10−18ｍ＝6.272×10−28Jmです。
・太陽系の螺旋回転の軌道エネルギーは、電子のラブの自転軌道エネルギーの何倍であるか。
太陽系の螺旋回転の軌道エネルギー÷電子のラブの自転軌道エネルギー＝1.317×1026Jｍ÷(3.416×10−31Jm)＝3.855×1056
太陽系の螺旋回転の軌道エネルギーは、電子のラブの自転軌道エネルギーの3.853×1056倍です。
・太陽系の螺旋回転の軌道エネルギーは、陽子のラブの自転軌道エネルギーの何倍であるか。
太陽系の螺旋回転の軌道エネルギー÷陽子のラブの自転軌道エネルギー＝1.317×1026Jｍ÷(6.272×10−28Jm)＝2.100×1053
太陽系の螺旋回転の軌道エネルギーは、陽子のラブの自転軌道エネルギーの2.100×1053倍です。
・電子のラブの自転軌道エネルギーは、陽子のラブの自転軌道エネルギーの何倍であるか。
陽子のラブの自転軌道エネルギー÷電子のラブの自転軌道エネルギー＝6.272×10−28Jm ÷(3.416×10−31Jm)＝1.836×103
陽子のラブの自転軌道エネルギーは、電子のラブの自転軌道エネルギーの1.836×103倍です。
まとめて表に示す。
表16
2009201352.tif 000018
【産業上の利用可能性】
【００１２】
この発明は、宇宙産業に役立つ。
【符号の説明】
【００１３】
１  太陽の表面の原子数×1原子が作る1個の光子のエネルギー
２  軌道
３  銀河系の中央のブラックホールの表面の原子数×1原子が作る1個の光子のエネルギー
４  中性子星の表面の原子数×1原子が作る1個の光子のエネルギー
５  地球の表面の原子数×1原子が作る1個の光子のエネルギー
６  オルトーの雲
７  ブラックホール
８  ブラックホールから出発したジェット
９  7.795×109Kmの軌道
１０  “水素の小惑星”
１１  “核融合反応に点火した場”
１２  “核融合反応に点火したジェット”
１３  5.909×108Kmの軌道
１４  1.6492太陽質量のブラックホール
１５  第1世代の惑星ができなかった軌道の範囲
１６  ブラックホールが作った速度が3.760×105Km で、距離が0.579×108Kmの軌道
１７  ブラックホールが作った速度が1.895×105Kmで、距離が2.279×108Kmの軌道
１８  “第1世代の木星”
１９  軌道エネルギーが1.052×1010Jで、速度が1.026×105Kmで、軌道引力が1.107×1020Jである、7.783×108Kmの軌道
２０  “第1世代の土星”
２１  軌道エネルギーが5.726×109Jで、速度が7.567×104Kmで、軌道引力が3.279×1019Jである、14.294×108Kmの軌道
２２  “第1世代の天王星”
２３  軌道エネルギーが2.847×109Jで、速度が5.336×104Kmで、軌道引力が8.105×1018Jである、28.750×108Kmの軌道
２４  “第1世代の海王星”
２５  軌道エネルギーが1.817×109Jで、速度が4.263×104Kmで、軌道引力が3.301×1018Jである、45.044×108Kmの軌道
２６  ビッグバンの以前の球体
２７  ビッグバンの以前の球体の外側
２８  エネルギーを１Jとする電子のラブ
２９  電子のラブは、3.416×10−31mの自転軌道で自転する。
３０  1自転でできる1.789×10−26Jの磁気の光子1個
３１  ビッグバンの以前の球体の中央
３２  エネルギーが1.832×103Jである陽子のラブ
３３  陽子のラブは、3.424×10−31mの自転軌道で自転する。
３４  1自転でできる3.274×10−23Jの磁気の光子１個
３５  磁気の光子は、ビッグバンの以前の球体から放出する。
３６  電子のラブのエネルギーは次第に弱まり、自転軌道は大きくなる。
３７  陽子のラブのエネルギーは次第に弱まり、自転軌道は大きくなる。
３８  球体は次第に大きくなり、爆発した。これがビッグバンです。
３９  質量が10n太陽質量のブラックホール
４０  軌道の速度が2×105Kmである軌道は、半径3.15×108×102n/3Kmです。
４１  この軌道の引力は16×1020Jです。
４２  何も存在しない空間
【図１】
2009201352.tif 000033
【図２】
2009201352.tif 000034
【図３】
2009201352.tif 000035
【図４】
2009201352.tif 000036
【図５】
2009201352.tif 000037